(57)【要約】      （修正有）【課題】無認可スペクトルの利用可能性を決定する。【解決手段】クリアチャネルアセスメント（ＣＣＡ）を基地局において実行する。第１の波形は、利用可能なときに、無認可スペクトルを介してユーザ機器（ＵＥ）のセットに送信される。第１の波形は、基地局が無認可スペクトルを介したチャネルアクセスを有する第１の時間期間と第２の時間期間とを示す。第２の波形は、第１の波形に応答して１つまたは複数のＵＥから受信される。各第２の波形は、第１の時間期間中に無認可スペクトルを介して受信され、第２の時間期間中に基地局からデータを受信するために、それぞれのＵＥが無認可スペクトルを介したチャネルアクセスを有することを示す。【選択図】図１７
2019024235.tif 000002
【特許請求の範囲】
【請求項１】
ワイヤレス通信のための方法であって、
無認可スペクトルの利用可能性を決定するために基地局においてクリアチャネルアセスメント（ＣＣＡ）を実行することと、
前記無認可スペクトルが利用可能であるという決定が行われるとき、前記無認可スペクトルを介して、ユーザ機器（ＵＥ）のセットに、サブフレームにおいて送信される第１の波形を前記基地局によって送信することと、ここにおいて、前記サブフレームが、ＷｉＦｉデバイスによって可読であるように構成された第１の構成要素と、セルラーデバイスによって可読であるように構成された第２の構成要素とを備え、ここにおいて、前記第1の構成要素と前記第２の構成要素は異なる、
前記第１の波形に応答して、前記基地局によってＵＥの前記セットのうちの１つまたは複数から第２の波形を受信することと、各第２の波形が、前記無認可スペクトルを介して受信され、前記基地局からデータを受信するために前記それぞれのＵＥが前記無認可スペクトルを介したチャネルアクセスを有することを示すように構成される、
を備える、ワイヤレス通信のための方法。
【請求項２】
前記無認可スペクトルを介してＵＥの前記セットのうちの前記１つまたは複数にデータを送信すること
をさらに備える、請求項１に記載の方法。
【請求項３】
前記無認可スペクトルを介してＵＥの前記セットのうちの前記１つまたは複数に同期波形とトレーニング波形との一方または両方を送信すること
をさらに備える、請求項２に記載の方法。
【請求項４】
前記第１の構成要素は、前記利用可能な無認可スペクトルにアクセスすることを、ＷｉＦｉデバイスに回避させるように構成され、
前記第２の構成要素は、前記基地局が前記無認可スペクトルを介したチャネルアクセスを有する時間期間を示すように構成される、
請求項１に記載の方法。
【請求項５】
前記セルラーデバイスが、無認可スペクトルで動作するＬＴＥデバイスを備える、請求項１に記載の方法。
【請求項６】
前記第1の波形の同じ第１の構成要素が、事業者展開中の各基地局によって使用される、請求項１に記載の方法。
【請求項７】
前記第1の波形の異なる第２の構成要素が、事業者展開中の各基地局によって使用される、請求項１に記載の方法。
【請求項８】
前記第1の波形の前記第１の構成要素が、物理レイヤ収束プロシージャ（ＰＬＣＰ）ヘッダとＷｉＦｉ可読データフィールドとを備える、請求項１に記載の方法。
【請求項９】
前記第１の波形は、前記基地局が無認可スペクトルを介したチャネルアクセスを有する第１の時間期間と第２の時間期間とを示すように構成される、請求項１に記載の方法。
【請求項１０】
ＣＣＡを実行することが、サブフレーム中に前記ＣＣＡを実行することを備え、
前記第１の時間期間は、前記基地局が、前記サブフレームの終了まで、または次のサブフレーム中のある時間まで、前記無認可スペクトルを介したチャネルアクセスを有することを示し、
前記第２の時間期間は、前記基地局が、前記サブフレームの後、または次のサブフレーム中のある時間の後の指定された時間期間の間、前記無認可スペクトルを介したチャネルアクセスを有することを示す、
請求項９に記載の方法。
【請求項１１】
前記サブフレームは、単一の無線アクセス技術を使用して送信される、
請求項１に記載の方法。
【請求項１２】
ワイヤレス通信のための基地局であって、
プロセッサと、
前記プロセッサと電子通信しているメモリと、
前記メモリに記憶された命令と
を備え、前記命令は、
無認可スペクトルの利用可能性を決定するためにクリアチャネルアセスメント（ＣＣＡ）を実行することと、
前記無認可スペクトルが利用可能であるという決定が行われるとき、前記無認可スペクトルを介して、ユーザ機器（ＵＥ）のセットに、サブフレームにおいて送信される第１の波形を送信することと、ここにおいて、前記サブフレームが、ＷｉＦｉデバイスによって可読であるように構成された第１の構成要素と、セルラーデバイスによって可読であるように構成された第２の構成要素とを備え、ここにおいて、前記第1の構成要素と前記第２の構成要素は異なる、
前記第１の波形に応答して、前記基地局によってＵＥの前記セットのうちの１つまたは複数から第２の波形を受信することと、各第２の波形が、前記無認可スペクトルを介して受信され、前記基地局からデータを受信するために前記それぞれのＵＥが前記無認可スペクトルを介したチャネルアクセスを有することを示すように構成される、
を行うために前記プロセッサによって実行可能である、基地局。
【請求項１３】
前記命令は、
前記無認可スペクトルを介してＵＥの前記セットのうちの前記１つまたは複数にデータを送信すること
を行うために前記プロセッサによって実行可能である、請求項１２に記載の基地局。
【請求項１４】
前記命令は、
前記無認可スペクトルを介してＵＥの前記セットのうちの前記１つまたは複数に同期波形とトレーニング波形との一方または両方を送信すること
を行うために前記プロセッサによって実行可能である、請求項１３に記載の基地局。
【請求項１５】
前記セルラーデバイスが、無認可スペクトルで動作するＬＴＥデバイスを備える、請求項１２に記載の基地局。
【請求項１６】
前記第1の波形の同じ第１の構成要素が、事業者展開中の各基地局によって使用される、請求項１２に記載の基地局。
【請求項１７】
前記第1の波形の異なる第２の構成要素が、事業者展開中の各基地局によって使用される、請求項１２に記載の基地局。
【請求項１８】
前記第1の波形の前記第１の構成要素が、物理レイヤ収束プロシージャ（ＰＬＣＰ）ヘッダとＷｉＦｉ可読データフィールドとを備える、請求項１２に記載の基地局。
【請求項１９】
前記第１の波形は、前記基地局が無認可スペクトルを介したチャネルアクセスを有する第１の時間期間と第２の時間期間とを示すように構成される、請求項１２に記載の基地局。
【請求項２０】
ＣＣＡを実行するために前記プロセッサによって実行可能な前記命令が、サブフレーム中に前記ＣＣＡを実行するために前記プロセッサによって実行可能な命令を備え、
前記第１の時間期間は、前記基地局が、前記サブフレームの終了まで、または次のサブフレーム中のある時間まで、前記無認可スペクトルを介したチャネルアクセスを有することを示し、
前記第２の時間期間は、前記基地局が、前記サブフレームの後、または次のサブフレーム中のある時間の後の指定された時間期間の間、前記無認可スペクトルを介したチャネルアクセスを有することを示す、
請求項１９に記載の基地局。
【請求項２１】
ワイヤレス通信のための方法であって、
サブフレームにおいて送信される第１の波形をユーザ機器（ＵＥ）において受信することと、ここにおいて、前記サブフレームが、ＷｉＦｉデバイスによって可読であるように構成された第１の構成要素と、セルラーデバイスによって可読であるように構成された第２の構成要素とを備え、
前記第１の波形に応答して、前記ＵＥのための無認可スペクトルの利用可能性を決定するためにクリアチャネルアセスメント（ＣＣＡ）を実行することと、
前記無認可スペクトルが利用可能であるという決定が行われるとき、前記無認可スペクトルを介して第２の波形と第３の波形とを送信することと、前記第２の波形は、近くのＷｉＦｉデバイスに、基地局が前記無認可スペクトルを介したチャネルアクセスを有することを示すように構成され、前記第３の波形が、前記ＵＥへのデータ送信のために前記基地局に情報を与えるように構成される、ここにおいて、前記第３の波形を送信することが、チャネル推定とチャネル同期との一方または両方のための基準シンボルを送信することを備える、
を備える、ワイヤレス通信のための方法。
【請求項２２】
第２の波形スロットのセットのうちの１つを識別することと、
前記識別された第２の波形スロット中に前記第２の波形を送信することと
をさらに備える、請求項２１に記載の方法。
【請求項２３】
前記識別することが、同じ事業者展開中の別のＵＥによって識別される第２の波形スロットに対して前記第２の波形スロットをジグザグに配置するために、前記第２の波形スロットを識別することを備える、請求項２２に記載の方法。
【請求項２４】
ワイヤレス通信のためのユーザ機器（ＵＥ）であって、
プロセッサと、
前記プロセッサと電子通信しているメモリと、
前記メモリに記憶された命令と
を備え、前記命令は、
サブフレームにおいて送信される第１の波形を受信することと、ここにおいて、前記サブフレームが、ＷｉＦｉデバイスによって可読であるように構成された第１の構成要素と、セルラーデバイスによって可読であるように構成された第２の構成要素とを備え、
前記第１の波形に応答して、前記ＵＥのための無認可スペクトルの利用可能性を決定するためにクリアチャネルアセスメント（ＣＣＡ）を実行することと、
前記無認可スペクトルが利用可能であるという決定が行われるとき、前記無認可スペクトルを介して第２の波形と第３の波形とを送信することと、前記第２の波形は、近くのＷｉＦｉデバイスに、基地局が前記無認可スペクトルを介したチャネルアクセスを有することを示すように構成され、前記第３の波形が、前記ＵＥへのデータ送信のために前記基地局に情報を与えるように構成される、ここにおいて、前記第３の波形を送信するために前記プロセッサによって実行可能な前記命令が、チャネル推定とチャネル同期との一方または両方のための基準シンボルを送信するために前記プロセッサによって実行可能な命令を含む、
を行うために前記プロセッサによって実行可能である、ＵＥ。
【請求項２５】
前記命令は、
第２の波形スロットのセットのうちの１つを識別することと、
前記識別された第２の波形スロット中に前記第２の波形を送信することと
を行うために前記プロセッサによって実行可能である、請求項２４に記載のＵＥ。
【請求項２６】
第２の波形スロットのセットのうちの１つを識別するために前記プロセッサによって実行可能な前記命令が、同じ事業者展開中の別のＵＥによって識別される第２の波形スロットに対して前記第２の波形スロットをジグザグに配置するために、前記第２の波形スロットを識別するために前記プロセッサによって実行可能な命令を含む、請求項２５に記載のＵＥ。
【発明の詳細な説明】
【技術分野】
【０００１】
相互参照
[0001]本特許出願は、各々が本出願の譲受人に譲渡された、２０１４年６月２７日に出願された、「ＬＴＥ  Ｃｈａｎｎｅｌ  Ａｃｃｅｓｓ  Ｏｖｅｒ  Ｕｎｌｉｃｅｎｓｅｄ  Ｂａｎｄｓ」と題する、Ｙｅｒｒａｍａｌｌｉらによる米国特許出願第１４／３１７，０９０号、および２０１３年７月１７日に出願された、「ＬＴＥ  Ｃｈａｎｎｅｌ  Ａｃｃｅｓｓ  Ｏｖｅｒ  Ｕｎｌｉｃｅｎｓｅｄ  Ｂａｎｄｓ」と題する、Ｙｅｒｒａｍａｌｌｉらによる米国仮特許出願第６１／８４７，３６９号の優先権を主張する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続（multiple-access）ネットワークであり得る。
【０００３】
[0003]ワイヤレス通信ネットワークは、いくつかのアクセスポイントを含み得る。セルラーネットワークのアクセスポイントは、ノードＢ（ＮＢ）または発展型ノードＢ（ｅＮＢ）など、いくつかの基地局を含み得る。ワイヤレスローカルエリアネットワーク（ＷＬＡＮ）のアクセスポイントは、ＷｉＦｉ（登録商標）ノードなど、いくつかのＷＬＡＮアクセスポイントを含み得る。各アクセスポイントは、いくつかのユーザ機器（ＵＥ）のための通信をサポートし得、しばしば、同時に複数のＵＥと通信し得る。同様に、各ＵＥは、いくつかのアクセスポイントと通信し得、時々、複数のアクセスポイントおよび／または異なるアクセス技術を採用するアクセスポイントと通信し得る。アクセスポイントは、ダウンリンクおよびアップリンクを介してＵＥと通信し得る。ダウンリンク（または順方向リンク）はアクセスポイントからＵＥへの通信リンクを指し、アップリンク（または逆方向リンク）はＵＥからアクセスポイントへの通信リンクを指す。
【０００４】
[0004]セルラーネットワークが混雑し始めるにつれて、事業者は、容量を増加する方法に注目し始めた。１つの手法には、セルラーネットワークのトラフィックおよび／またはシグナリングの一部をオフロードするためのＷＬＡＮの使用があり得る。認可スペクトルで動作するセルラーネットワークとは異なり、ＷｉＦｉネットワークは、概して、無認可スペクトルで動作するので、ＷＬＡＮ（またはＷｉＦｉネットワーク）は魅力的である。ただし、ＷＬＡＮチャネルは、一般に、ポイントツーポイントまたはパーリンクアクセス技法を使用してアクセスされるが、セルラーネットワークの基地局は、ネットワークレベルでのチャネルアクセスを取得し、同時にいくつかのＵＥとの多重通信を取得したいと希望し得る。
【発明の概要】
【０００５】
[0005]説明する特徴は、一般に、ワイヤレス通信のための１つまたは複数の改善されたシステム、方法、および／またはデバイスに関し、より詳細には、ワイヤレス通信のためのチャネルアクセス技法に関する。いくつかの例では、基地局は、無認可スペクトルの利用可能性を決定するためにクリアチャネルアセスメント（ＣＣＡ：clear channel assessment）を実行することと、無認可スペクトルが利用可能であるという決定が行われたとき、基地局が認可スペクトルを介したチャネルアクセスを有する１つまたは複数の時間期間を示すために第１の波形を送信することとを行い得る。場合によっては、第１の波形は、第１の構成要素と第２の構成要素とを含み得る。第１の構成要素は、基地局が無認可スペクトルを介したチャネルアクセスを有する第１の時間期間を示すように構成され得る。第１の構成要素は、ＷｉＦｉデバイスによって可読であり得る。第２の構成要素は、基地局が無認可スペクトルを介したチャネルアクセスを有する第２の時間期間を示すように構成され得る。第２の構成要素は、セルラーデバイス（たとえば、ＵＥ）によって可読であり得る。
【０００６】
[0006]第１の波形を受信するいくつかのＵＥの各々は、そのＵＥのための無認可スペクトルの利用可能性を決定するために、それ自体のＣＣＡを実行し得る。無認可スペクトルが利用可能であるという決定がＵＥによって行われると、ＵＥは、無認可スペクトルを介して第２の波形と第３の波形とを送信し得る。第２の波形は、近くのＷｉＦｉデバイスに、基地局が第２の時間期間中に無認可スペクトルを介したチャネルアクセスを有することを示すように構成され得る。第３の波形は、第２の時間期間中のＵＥへのデータ送信のために基地局に情報を与えるように構成され得る。
【０００７】
[0007]ワイヤレス通信のための方法は、無認可スペクトルの利用可能性を決定するために基地局においてＣＣＡを実行することを含む。本方法はまた、無認可スペクトルが利用可能であるという決定が行われたとき、無認可スペクトルを介してＵＥのセットに第１の波形を送信すること、ここで、第１の波形は、基地局が無認可スペクトルを介したチャネルアクセスを有する第１の時間期間と第２の時間期間とを示すように構成される、を含む。本方法は、第１の波形に応答して、ＵＥのセットのうちの１つまたは複数から第２の波形を受信すること、ここで、各第２の波形が、第１の時間期間中に無認可スペクトルを介して受信され、第２の時間期間中に基地局からデータを受信するためにそれぞれのＵＥが無認可スペクトルを介したチャネルアクセスを有することを示すように構成される、をさらに含む。いくつかの例では、本方法は、第２の時間期間中に無認可スペクトルを介してＵＥのセットのうちの１つまたは複数にデータを送信することを含む。いくつかの例では、本方法は、第２の時間期間中に無認可スペクトルを介してＵＥのセットのうちの１つまたは複数に同期波形とトレーニング波形との一方または両方を送信することを含む。基地局は、第２の事業者展開と同期された第１の事業者展開の一部であり得る。第１の波形の持続時間は、約９１または１１５マイクロ秒であり得、第２の波形の持続時間は、約７１マイクロ秒であり得る。
【０００８】
[0008]本方法のいくつかの例では、第１の波形は、第１の構成要素と第２の構成要素とを含む、ここで、第１の構成要素は、第１の時間期間を示すことと、ＷｉＦｉデバイスによって可読であることとを行うように構成される、ここで、第２の構成要素は、第２の時間期間を示すことと、セルラーデバイスによって可読であることとを行うように構成される。第１の波形の第１の構成要素および第２の構成要素は不連続であり得る。第１の波形の第２の構成要素は、第１の波形の第１の構成要素の前に送信され得る。第１の波形の同じ第１の構成要素が、事業者展開中の各基地局によって使用され得る。第１の波形の第１の構成要素は、第１の事業者展開中の基地局によって使用され得、第２の事業者展開中の基地局によって使用される第１の波形の第１の構成要素とは異なる、ここで、第２の事業者展開は、第１の事業者展開と同期される。第１の波形の異なる第２の構成要素が、事業者展開中の各基地局によって使用され得る。第１の波形の第１の構成要素は、物理レイヤ収束プロシージャ（ＰＬＣＰ：physical layer convergence procedure）ヘッダとＷｉＦｉ可読データフィールドとを含み得る。第１の波形の第２の構成要素は、サイクリックプレフィックスと直交周波数分割多重（ＯＦＤＭ：orthogonal frequency-division multiplexing）シンボルとを含み得る。
【０００９】
[0009]本方法のいくつかの例では、ＣＣＡを実行することは、サブフレーム中にＣＣＡを実行することを含み、第１の時間期間は、基地局が、サブフレームの終了まで、または次のサブフレーム中のある時間まで、無認可スペクトルを介したチャネルアクセスを有することを示す。ＣＣＡを実行することは、サブフレーム中にＣＣＡを実行することを含み得、第２の時間期間は、基地局が、サブフレームの後、または次のサブフレーム中のある時間の後の指定された時間期間の間、無認可スペクトルを介したチャネルアクセスを有することを示す。いくつかの例では、本方法はまた、サブフレーム中でＣＣＡスロットのセットのうちの１つを擬似ランダムに選択することと、選択されたＣＣＡスロット中にＣＣＡを実行することとを含む。基地局は、第１の事業者展開の一部であり得、選択されたＣＣＡスロットは、第１の事業者展開中の基地局によって共有され、第２の事業者展開中の基地局のための選択されたＣＣＡスロットとは異なる、ここで、第２の事業者展開は、第１の事業者展開と同期される。
【００１０】
[0010]ワイヤレス通信のための基地局は、プロセッサと、プロセッサと電子通信しているメモリと、メモリに記憶された命令とを含む。命令は、無認可スペクトルの利用可能性を決定するためにＣＣＡを実行するために、プロセッサによって実行可能であり得る。命令は、無認可スペクトルが利用可能であるという決定が行われたとき、無認可スペクトルを介してＵＥのセットに第１の波形を送信すること、ここで、第１の波形は、基地局が無認可スペクトルを介したチャネルアクセスを有する第１の時間期間と第２の時間期間とを示すように構成される、を行うために、プロセッサによって実行可能であり得る。命令は、第１の波形に応答して、ＵＥのセットのうちの１つまたは複数から第２の波形を受信すること、ここで、各第２の波形が、第１の時間期間中に無認可スペクトルを介して受信され、第２の時間期間中に基地局からデータを受信するためにそれぞれのＵＥが無認可スペクトルを介したチャネルアクセスを有することを示すように構成される、を行うために、プロセッサによって実行可能であり得る。命令は、第２の時間期間中に無認可スペクトルを介してＵＥのセットのうちの１つまたは複数にデータを送信するために、プロセッサによって実行可能であり得る。命令は、第２の時間期間中に無認可スペクトルを介してＵＥのセットのうちの１つまたは複数に同期波形とトレーニング波形との一方または両方を送信するために、プロセッサによって実行可能であり得る。基地局は、第２の事業者展開と同期された第１の事業者展開の一部であり得る。第１の波形の持続時間は、約９１または１１５マイクロ秒であり得、第２の波形の持続時間は、約７１マイクロ秒であり得る。
【００１１】
[0011]基地局のいくつかの例では、第１の波形は、第１の構成要素と第２の構成要素とを含む、ここで、第１の構成要素は、第１の時間期間を示すことと、ＷｉＦｉデバイスによって可読であることとを行うように構成される、ここで、第２の構成要素は、第２の時間期間を示すことと、セルラーデバイスによって可読であることとを行うように構成される。第１の波形の同じ第１の構成要素が、事業者展開中の各基地局によって使用され得る。第１の波形の第１の構成要素は、第１の事業者展開中の基地局によって使用され得、第２の事業者展開中の基地局によって使用される第１の波形の第１の構成要素とは異なる、ここで、第２の事業者展開は、第１の事業者展開と同期される。第１の波形の異なる第２の構成要素が、事業者展開中の各基地局によって使用され得る。
【００１２】
[0012]基地局のいくつかの例では、ＣＣＡを実行するために、プロセッサによって実行可能な命令は、サブフレーム中にＣＣＡを実行するために、プロセッサによって実行可能な命令を含み、第１の時間期間は、基地局が、サブフレームの終了まで、または次のサブフレーム中のある時間まで、無認可スペクトルを介したチャネルアクセスを有することを示す。ＣＣＡを実行するために、プロセッサによって実行可能な命令は、サブフレーム中にＣＣＡを実行するために、プロセッサによって実行可能な命令を含み得、第２の時間期間は、基地局が、サブフレームの後、または次のサブフレーム中のある時間の後の指定された時間期間の間、無認可スペクトルを介したチャネルアクセスを有することを示す。命令は、サブフレーム中でＣＣＡスロットのセットのうちの１つを擬似ランダムに選択することと、選択されたＣＣＡスロット中にＣＣＡを実行することとを行うために、プロセッサによって実行可能であり得る。
【００１３】
[0013]ワイヤレス通信のための基地局は、無認可スペクトルの利用可能性を決定するためにＣＣＡを実行するための手段を含む。基地局はまた、無認可スペクトルが利用可能であるという決定が行われたとき、無認可スペクトルを介してＵＥのセットに第１の波形を送信するための手段、ここで、第１の波形は、基地局が無認可スペクトルを介したチャネルアクセスを有する第１の時間期間と第２の時間期間とを示すように構成される、を含む。基地局は、第１の波形に応答して、ＵＥのセットのうちの１つまたは複数から第２の波形を受信するための手段、ここで、各第２の波形が、第１の時間期間中に無認可スペクトルを介して受信され、第２の時間期間中に基地局からデータを受信するためにそれぞれのＵＥが無認可スペクトルを介したチャネルアクセスを有することを示すように構成される、をさらに含む。いくつかの例では、基地局は、第２の時間期間中に無認可スペクトルを介してＵＥのセットのうちの１つまたは複数にデータを送信するための手段を含む。いくつかの例では、基地局は、第２の時間期間中に無認可スペクトルを介してＵＥのセットのうちの１つまたは複数に同期波形とトレーニング波形との一方または両方を送信するための手段を含む。基地局は、第２の事業者展開と同期された第１の事業者展開の一部であり得る。第１の波形の持続時間は、約９１または１１５マイクロ秒であり得、第２の波形の持続時間は、約７１マイクロ秒であり得る。
【００１４】
[0014]基地局のいくつかの例では、第１の波形は、第１の構成要素と第２の構成要素とを含む、ここで、第１の構成要素は、第１の時間期間を示すことと、ＷｉＦｉデバイスによって可読であることとを行うように構成される、ここで、第２の構成要素は、第２の時間期間を示すことと、セルラーデバイスによって可読であることとを行うように構成される。第１の波形の第１の構成要素および第２の構成要素は不連続であり得る。第１の波形の第２の構成要素は、第１の波形の第１の構成要素の前に送信され得る。第１の波形の同じ第１の構成要素が、事業者展開中の各基地局によって使用され得る。第１の波形の第１の構成要素は、第１の事業者展開中の基地局によって使用され得、第２の事業者展開中の基地局によって使用される第１の波形の第１の構成要素とは異なる、ここで、第２の事業者展開は、第１の事業者展開と同期される。第１の波形の異なる第２の構成要素が、事業者展開中の各基地局によって使用され得る。第１の波形の第１の構成要素は、ＰＬＣＰヘッダとＷｉＦｉ可読データフィールドとを含み得る。第１の波形の第２の構成要素は、サイクリックプレフィックスとＯＦＤＭシンボルとを含み得る。
【００１５】
[0015]基地局のいくつかの例では、ＣＣＡを実行するための手段は、サブフレーム中にＣＣＡを実行するための手段を含み、第１の時間期間は、基地局が、サブフレームの終了まで、または次のサブフレーム中のある時間まで、無認可スペクトルを介したチャネルアクセスを有することを示す。ＣＣＡを実行するための手段は、サブフレーム中にＣＣＡを実行するための手段を含み得、第２の時間期間は、基地局が、サブフレームの後、または次のサブフレーム中のある時間の後の指定された時間期間の間、無認可スペクトルを介したチャネルアクセスを有することを示す。いくつかの例では、基地局は、サブフレーム中でＣＣＡスロットのセットのうちの１つを擬似ランダムに選択するための手段と、選択されたＣＣＡスロット中にＣＣＡを実行するための手段とを含み得る。基地局は、第１の事業者展開の一部であり得、選択されたＣＣＡスロットは、第１の事業者展開中の基地局によって共有され得、第２の事業者展開中の基地局のための選択されたＣＣＡスロットとは異なる、ここで、第２の事業者展開は、第１の事業者展開と同期される。
【００１６】
[0016]ワイヤレス通信のためのコンピュータプログラム製品は、無認可スペクトルの利用可能性を決定するために基地局においてＣＣＡを実行するために、プロセッサによって実行可能な命令を記憶する非一時的コンピュータ可読媒体を含む。命令は、無認可スペクトルが利用可能であるという決定が行われたとき、無認可スペクトルを介してＵＥのセットに第１の波形を送信すること、ここで、第１の波形は、基地局が無認可スペクトルを介したチャネルアクセスを有する第１の時間期間と第２の時間期間とを示すように構成される、を行うために、プロセッサによって実行可能である。命令は、第１の波形に応答して、ＵＥのセットのうちの１つまたは複数から第２の波形を受信すること、ここで、各第２の波形が、第１の時間期間中に無認可スペクトルを介して受信され、第２の時間期間中に基地局からデータを受信するためにそれぞれのＵＥが無認可スペクトルを介したチャネルアクセスを有することを示すように構成される、を行うために、プロセッサによって実行可能である。命令は、第２の時間期間中に無認可スペクトルを介してＵＥのセットのうちの１つまたは複数にデータを送信するために、プロセッサによって実行可能である。命令は、第２の時間期間中に無認可スペクトルを介してＵＥのセットのうちの１つまたは複数に同期波形とトレーニング波形との一方または両方を送信するために、プロセッサによって実行可能である。基地局は、第２の事業者展開と同期された第１の事業者展開の一部であり得る。
【００１７】
[0017]コンピュータプログラム製品のいくつかの例では、第１の波形は、第１の構成要素と第２の構成要素とを含む、ここで、第１の構成要素は、第１の時間期間を示すことと、ＷｉＦｉデバイスによって可読であることとを行うように構成される、ここで、第２の構成要素は、第２の時間期間を示すことと、セルラーデバイスによって可読であることとを行うように構成される。
【００１８】
[0018]コンピュータプログラム製品のいくつかの例では、ＣＣＡを実行するために、プロセッサによって実行可能な命令は、サブフレーム中にＣＣＡを実行するために、プロセッサによって実行可能な命令を含み、第２の時間期間は、基地局が、サブフレームの後、または次のサブフレーム中のある時間の後の指定された時間期間の間、無認可スペクトルを介したチャネルアクセスを有することを示す。命令は、サブフレーム中でＣＣＡスロットのセットのうちの１つを擬似ランダムに選択することと、選択されたＣＣＡスロット中にＣＣＡを実行することとを行うために、プロセッサによって実行可能であり得る。
【００１９】
[0019]ワイヤレス通信のための方法は、ＵＥにおいて、基地局から第１の波形を受信すること、ここで、第１の波形は、基地局が無認可スペクトルを介したチャネルアクセスを有する第１の時間期間と第２の時間期間とを示すように構成される、を含む。基地局は、第２の事業者展開と同期された第１の事業者展開の一部であり得る。本方法はまた、第１の波形に応答して、ＵＥのための無認可スペクトルの利用可能性を決定するためにＣＣＡを実行することを含む。本方法は、無認可スペクトルが利用可能であるという決定が行われたとき、無認可スペクトルを介して第２の波形と第３の波形とを送信すること、ここで、第２の波形は、近くのＷｉＦｉデバイスに、基地局が第２の時間期間中に無認可スペクトルを介したチャネルアクセスを有することを示すように構成され、第３の波形は、第２の時間期間中のＵＥへのデータ送信のために基地局に情報を与えるように構成される、をさらに含む。ＣＣＡを実行することは、サブフレーム中にＣＣＡを実行することを含み得、第１の時間期間は、基地局が、サブフレームの終了まで、または次のサブフレーム中のある時間まで、無認可スペクトルを介したチャネルアクセスを有することを示す。いくつかの例では、本方法は、第１の時間期間中に第２の波形スロットのセットのうちの１つを識別することと、識別された第２の波形スロット中に第２の波形を送信することとを含む。識別することは、同じ事業者展開中の別のＵＥによって識別される第２の波形スロットに対して第２の波形スロットをジグザグに配置するために、第２の波形スロットを識別することを含み得る。
【００２０】
[0020]本方法のいくつかの例では、第１の波形は、第１の構成要素と第２の構成要素とを含む、ここで、第１の構成要素は、第１の時間期間を示すことと、ＷｉＦｉデバイスによって可読であることとを行うように構成される、ここで、第２の構成要素は、第２の時間期間を示すことと、セルラーデバイスによって可読であることとを行うように構成される。いくつかの例では、本方法は、第２の時間期間を識別するために、第１の波形の第２の構成要素を復号することを含む。第１の波形の第１の構成要素および第２の構成要素は不連続であり得る。第２の波形および第３の波形は不連続であり得る。第３の波形を送信することは、チャネル推定とチャネル同期との一方または両方のための基準シンボルを送信することを含み得る。
【００２１】
[0021]ワイヤレス通信のためのＵＥは、プロセッサと、プロセッサと電子通信しているメモリと、メモリに記憶された命令とを含む。命令は、基地局から第１の波形を受信すること、ここで、第１の波形は、基地局が無認可スペクトルを介したチャネルアクセスを有する第１の時間期間と第２の時間期間とを示すように構成される、を行うために、プロセッサによって実行可能である。命令はまた、第１の波形に応答して、ＵＥのための無認可スペクトルの利用可能性を決定するためにＣＣＡを実行することを行うために、プロセッサによって実行可能である。命令はまた、無認可スペクトルが利用可能であるという決定が行われたとき、無認可スペクトルを介して第２の波形と第３の波形とを送信すること、ここで、第２の波形は、近くのＷｉＦｉデバイスに、基地局が第２の時間期間中に無認可スペクトルを介したチャネルアクセスを有することを示すように構成される、ここで、第３の波形は、第２の時間期間中のＵＥへのデータ送信のために基地局に情報を与えるように構成される、を行うために、プロセッサによって実行可能である。ＣＣＡを実行するために、プロセッサによって実行可能な命令は、サブフレーム中にＣＣＡを実行するために、プロセッサによって実行可能な命令を含み得、第１の時間期間は、基地局が、サブフレームの終了まで、または次のサブフレーム中のある時間まで、無認可スペクトルを介したチャネルアクセスを有することを示す。命令は、第１の時間期間中に第２の波形スロットのセットのうちの１つを識別することと、識別された第２の波形スロット中に第２の波形を送信することとを行うために、プロセッサによって実行可能であり得る。第２の波形スロットのセットのうちの１つを識別するために、プロセッサによって実行可能な命令は、同じ事業者展開中の別のＵＥによって識別される第２の波形スロットに対して第２の波形スロットをジグザグに配置するために、第２の波形スロットを識別するために、プロセッサによって実行可能な命令を含む。
【００２２】
[0022]ＵＥのいくつかの例では、第１の波形は、第１の構成要素と第２の構成要素とを含む、ここで、第１の構成要素は、第１の時間期間を示すことと、ＷｉＦｉデバイスによって可読であることとを行うように構成される、ここで、第２の構成要素は、第２の時間期間を示すことと、セルラーデバイスによって可読であることとを行うように構成される。命令は、第２の時間期間を識別するために、第１の波形の第２の構成要素を復号するためにプロセッサによって実行可能である。第３の波形を送信するために、プロセッサによって実行可能な命令は、チャネル推定とチャネル同期との一方または両方のための基準シンボルを送信するためにプロセッサによって実行可能な命令を含む。第２の波形および第３の波形は不連続であり得る。
【００２３】
[0023]ワイヤレス通信のためのＵＥは、基地局から第１の波形を受信するための手段、ここで、第１の波形は、基地局が無認可スペクトルを介したチャネルアクセスを有する第１の時間期間と第２の時間期間とを示すように構成される、を含む。基地局は、第２の事業者展開と同期された第１の事業者展開の一部であり得る。ＵＥはまた、第１の波形に応答して、ＵＥのための無認可スペクトルの利用可能性を決定するためにＣＣＡを実行するための手段を含む。ＵＥは、無認可スペクトルが利用可能であるという決定が行われたとき、無認可スペクトルを介して第２の波形と第３の波形とを送信するための手段、ここで、第２の波形は、近くのＷｉＦｉデバイスに、基地局が第２の時間期間中に無認可スペクトルを介したチャネルアクセスを有することを示すように構成される、ここで、第３の波形は、第２の時間期間中のＵＥへのデータ送信のために基地局に情報を与えるように構成される、をさらに含む。ＣＣＡを実行するための手段は、サブフレーム中にＣＣＡを実行するための手段を含み、第１の時間期間は、基地局が、サブフレームの終了まで、または次のサブフレーム中のある時間まで、無認可スペクトルを介したチャネルアクセスを有することを示す。いくつかの例では、ＵＥは、第１の時間期間中に第２の波形スロットのセットのうちの１つを識別するための手段と、識別された第２の波形スロット中に第２の波形を送信するための手段とをさらに含む。識別するための手段は、同じ事業者展開中の別のＵＥによって識別される第２の波形スロットに対して第２の波形スロットをジグザグに配置するために、第２の波形スロットを識別するための手段を含む。
【００２４】
[0024]ＵＥのいくつかの例では、第１の波形は、第１の構成要素と第２の構成要素とを含む、ここで、第１の構成要素は、第１の時間期間を示すことと、ＷｉＦｉデバイスによって可読であることとを行うように構成される、ここで、第２の構成要素は、第２の時間期間を示すことと、セルラーデバイスによって可読であることとを行うように構成される。いくつかの例では、ＵＥは、第２の時間期間を識別するために、第１の波形の第２の構成要素を復号するための手段をさらに含む。第１の波形の第１の構成要素および第２の構成要素は不連続であり得る。第３の波形を送信するための手段は、チャネル推定とチャネル同期との一方または両方のための基準シンボルを送信するための手段を含む。第２の波形および第３の波形は不連続であり得る。
【００２５】
[0025]ワイヤレス通信のためのコンピュータプログラム製品は、ＵＥにおいて、基地局から第１の波形を受信すること、ここで、第１の波形は、基地局が無認可スペクトルを介したチャネルアクセスを有する第１の時間期間と第２の時間期間とを示すように構成される、を行うために、プロセッサによって実行可能な命令を記憶する非一時的コンピュータ可読媒体を含む。命令はまた、第１の波形に応答して、ＵＥのための無認可スペクトルの利用可能性を決定するためにＣＣＡを実行することを行うために、プロセッサによって実行可能である。命令はまた、無認可スペクトルが利用可能であるという決定が行われたとき、無認可スペクトルを介して第２の波形と第３の波形とを送信すること、ここで、第２の波形は、近くのＷｉＦｉデバイスに、基地局が第２の時間期間中に無認可スペクトルを介したチャネルアクセスを有することを示すように構成される、ここで、第３の波形は、第２の時間期間中のＵＥへのデータ送信のために基地局に情報を与えるように構成される、を行うために、プロセッサによって実行可能である。命令は、第１の時間期間中に第２の波形スロットのセットのうちの１つを識別することと、識別された第２の波形スロット中に第２の波形を送信することとを行うために、プロセッサによって実行可能であり得る。
【００２６】
[0026]コンピュータプログラム製品のいくつかの例では、第１の波形は、第１の構成要素と第２の構成要素とを含む、ここで、第１の構成要素は、第１の時間期間を示すことと、ＷｉＦｉデバイスによって可読であることとを行うように構成される、ここで、第２の構成要素は、第２の時間期間を示すことと、セルラーデバイスによって可読であることとを行うように構成される。命令は、第２の時間期間を識別するために、第１の波形の第２の構成要素を復号するために、プロセッサによって実行可能であり得る。第３の波形を送信するために、プロセッサによって実行可能な命令は、チャネル推定とチャネル同期との一方または両方のための基準シンボルを送信するために、プロセッサによって実行可能な命令を含む。
【００２７】
[0027]説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２８】
[0028]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２９】
【図１】[0029]ワイヤレス通信システムのブロック図。
【図２】[0030]様々な例による、無認可スペクトルにおいてＬＴＥを使用するキャリアアグリゲーションの一例を示す図。
【図３】[0031]認可スペクトルにおける周期的ＬＴＥ無線フレームと無認可スペクトルにおける周期的ＬＴＥフレームとの間の例示的な同期を示す図。
【図４】[0032]無認可スペクトルにおけるセルラーダウンリンクのための無認可フレームゲーティング間隔の一例を示す図。
【図５】[0033]いくつかのワイヤレスアクセスポイントおよびＵＥが基地局のカバレージエリア内にあるワイヤレス通信システムを示す図。
【図６Ａ】[0034]無認可チャネルアクセスプロシージャに関して第１の基地局、第２の基地局、ＵＥ、および１つまたは複数のＷｉＦｉノードによって実行される動作およびそれらによって行われる送信の例を示すタイミング図。
【図６Ｂ】無認可チャネルアクセスプロシージャに関して第１の基地局、第２の基地局、ＵＥ、および１つまたは複数のＷｉＦｉノードによって実行される動作およびそれらによって行われる送信の例を示すタイミング図。
【図７Ａ】[0035]様々な例による、Ｓ’サブフレームの例示的なフォーマットを示す図。
【図７Ｂ】[0036]様々な例による、波形送信のためのＳ’サブフレームの例示的な使用を示す図。
【図７Ｃ】[0037]様々な例による、波形送信のためのＳ’サブフレームおよび次のサブフレームの一例を示す図。
【図８Ａ】[0038]様々な例によるイン、基地局によって送信される第１の波形の第１の構成要素またはＵＥによって送信される第２の波形の例示的なフォーマットを示す図。
【図８Ｂ】[0039]様々な例による、基地局によって送信された第１の波形の第２の構成要素またはＵＥによって送信された第３の波形の例示的なフォーマットを示す図。
【図９Ａ】[0040]様々な例による、別のＳ’サブフレームの例示的なフォーマットを示す図。
【図９Ｂ】[0041]様々な例による、波形送信のための別のＳ’サブフレームの例示的な使用を示す図。
【図１０】[0042]様々な例による、基地局によって送信された第１の波形の第１の構成要素またはＵＥによって送信された第２の波形の例示的なフォーマットを示す図。
【図１１Ａ】[0043]様々な例による、ワイヤレス通信において使用するための、基地局などのデバイスの例のブロック図。
【図１１Ｂ】様々な例による、ワイヤレス通信において使用するための、基地局などのデバイスの例のブロック図。
【図１２Ａ】[0044]様々な例による、ワイヤレス通信において使用するための、ＵＥなどのデバイスの例のブロック図。
【図１２Ｂ】様々な例による、ワイヤレス通信において使用するための、ＵＥなどのデバイスの例のブロック図。
【図１３】[0045]様々な例による、基地局アーキテクチャの一例を示すブロック図。
【図１４】[0046]様々な例による、ＵＥアーキテクチャの一例を示すブロック図。
【図１５】[0047]様々な例による、多入力多出力（ＭＩＭＯ）通信システムの一例を示すブロック図。
【図１６】[0048]様々な例による、（たとえば、基地局における）無認可スペクトルを使用したワイヤレス通信のための方法の例のフローチャート。
【図１７】様々な例による、（たとえば、基地局における）無認可スペクトルを使用したワイヤレス通信のための方法の例のフローチャート。
【図１８】様々な例による、（たとえば、基地局における）無認可スペクトルを使用したワイヤレス通信のための方法の例のフローチャート。
【図１９】[0049]様々な例による、（たとえば、ＵＥにおける）無認可スペクトルを使用したワイヤレス通信のための方法の例のフローチャート。
【図２０】様々な例による、（たとえば、ＵＥにおける）無認可スペクトルを使用したワイヤレス通信のための方法の例のフローチャート。
【図２１】様々な例による、（たとえば、ＵＥにおける）無認可スペクトルを使用したワイヤレス通信のための方法の例のフローチャート。
【発明を実施するための形態】
【００３０】
[0050]セルラー通信（たとえば、ロングタームエボリューション（ＬＴＥ）通信）のために無認可スペクトル（たとえば、ＷｉＦｉ通信のために一般に使用されるスペクトル）が使用され得る方法、装置、システム、およびデバイスについて説明する。詳細には、本明細書で開示する技法は、無認可スペクトルを介したＬＴＥ通信に適用され得る。
【００３１】
[0051]本明細書で開示するチャネルアクセス技法のうちの１つにおいて、基地局は、無認可スペクトルの利用可能性を決定するために、クリアチャネルアセスメント（ＣＣＡ）を実行し得る。無認可スペクトルが利用可能であるという決定が行われると、基地局は、基地局が無認可スペクトルを介したチャネルアクセスを有する１つまたは複数の時間期間を示すために、第１の波形を送信し得る。場合によっては、第１の波形は、第１の構成要素と第２の構成要素とを含み得る。第１の構成要素は、基地局が無認可スペクトルを介したチャネルアクセスを有する第１の時間期間を示すように構成され得る。第１の構成要素は、ＷｉＦｉデバイスによって可読であり、それによって、基地局がチャネルアクセスを有する無認可スペクトルにＷｉＦｉデバイスがアクセスするのを回避させ得る。第２の構成要素は、基地局が無認可スペクトルを介したチャネルアクセスを有する第２の時間期間を示すように構成され得る。第２の構成要素は、セルラーデバイス（たとえば、ＵＥ）によって可読であり、それによって、（たとえば、第２の時間期間中に）セルラーデバイスも無認可スペクトルにアクセスすることができるかどうかを決定するためにセルラーデバイスが１つまたは複数の動作を開始することが可能になり得る。いくつかの例では、１つまたは複数の動作は、ＵＥのための無認可スペクトルの利用可能性を決定するために、ＵＥのＣＣＡの実行を含み得る。無認可スペクトルが利用可能であるという決定がＵＥによって行われると、ＵＥは、無認可スペクトルを介して第２の波形と第３の波形とを送信し得る。第２の波形は、近くのＷｉＦｉデバイスに、基地局が第２の時間期間中に無認可スペクトルを介したチャネルアクセスを有することを示すように構成され得る。第３の波形は、第２の時間期間中のＵＥへの（またはそれからの）データ送信のために基地局に情報を与えるように構成され得る。
【００３２】
[0052]本明細書で開示する上記のおよび他のチャネルアクセス技法は、ＬＴＥダウンリンクとアップリンクトラフィックの両方が認可スペクトル（たとえば、ＬＴＥスペクトル）から無認可スペクトルにオフロードされ得る、無認可チャネルアクセスを介したＬＴＥのためのキャリアアグリゲーションモードに特に有用であり得る。
【００３３】
[0053]本明細書で説明する技法は、ＬＴＥに限定されず、同じく、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（ＷｉＦｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。ＬＴＥおよびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標）：3rd Generation Partnership Project）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明した技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【００３４】
[0054]以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００３５】
[0055]最初に図１を参照すると、図に、ワイヤレス通信システム１００の一例が示されている。ワイヤレス通信システム１００は、複数の基地局（たとえば、アクセスポイント、ｅＮＢ、またはＷＬＡＮアクセスポイント）１０５と、いくつかのユーザ機器（ＵＥ）１１５と、コアネットワーク１３０とを含む。基地局１０５のうちのいくつかは、様々な例ではコアネットワーク１３０またはいくつかの基地局１０５（たとえば、アクセスポイントまたはｅＮＢ）の一部であり得る、基地局コントローラ（図示せず）の制御下でＵＥ１１５と通信し得る。基地局１０５のうちのいくつかは、バックホール１３２を通してコアネットワーク１３０と制御情報および／またはユーザデータを通信し得る。いくつかの例では、基地局１０５のうちのいくつかは、ワイヤードまたはワイヤレス通信リンクであり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３６】
[0056]基地局１０５は、１つまたは複数の基地局アンテナを介して、ＵＥ１１５とワイヤレス通信し得る。基地局１０５の各々は、それぞれのカバレージエリア１１０に通信カバレージを与え得る。いくつかの例では、基地局１０５は、アクセスポイント、基地トランシーバ局（ＢＴＳ：base transceiver station）、無線基地局、無線トランシーバ、基本サービスセット（ＢＳＳ：basic service set）、拡張サービスセット（ＥＳＳ：extended service set）、ノードＢ、発展型ノードＢ（ｅＮＢ：evolved NodeB）、ホームノードＢ、ホームｅノードＢ、ＷＬＡＮアクセスポイント、ＷｉＦｉノードまたは何らかの他の好適な用語で呼ばれることがある。基地局のためのカバレージエリア１１０は、カバレージエリアの一部分のみを構成するセクタ（図示せず）に分割され得る。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術などの異なる無線技術を利用し得る。基地局１０５は同じまたは異なるアクセスネットワークまたは事業者展開に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは重複し得る。
【００３７】
[0057]いくつかの例では、ワイヤレス通信システム１００は、無認可スペクトルにおけるＬＴＥ／ＬＴＥ−Ａのための動作または展開シナリオの１つまたは複数のモードをサポートするＬＴＥ／ＬＴＥ−Ａ通信システム（またはネットワーク）を含み得る。他の例では、ワイヤレス通信システム１００は、無認可スペクトルと、無認可スペクトルにおけるＬＴＥ／ＬＴＥ−Ａとは異なるアクセス技術とを使用したワイヤレス通信、または認可スペクトルと、ＬＴＥ／ＬＴＥ−Ａとは異なるアクセス技術とを使用したワイヤレス通信をサポートし得る。ＬＴＥ／ＬＴＥ−Ａ通信システムでは、発展型ノードＢまたはｅＮＢという用語は、概して、基地局１０５について説明するために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは、低電力ノードすなわちＬＰＮを含み得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３８】
[0058]コアネットワーク１３０は、バックホール１３２（たとえば、Ｓ１など）を介して基地局１０５と通信し得る。基地局１０５はまた、たとえば、バックホールリンク１３４（たとえば、Ｘ２など）を介して、および／またはバックホール１３２を介して（たとえば、コアネットワーク１３０を介して）、直接的または間接的に、互いに通信し得る。ワイヤレス通信システム１００は同期動作または非同期動作をサポートし得る。同期動作の場合、基地局は同様のフレームおよび／またはゲーティングタイミングを有し得、異なる基地局からの送信は近似的に時間的に整合され得る。非同期動作の場合、基地局は異なるフレームおよび／またはゲーティングタイミングを有し得、異なる基地局からの送信は時間的に整合されないことがある。本明細書で説明する技法は、同期動作または非同期動作のいずれかのために使用され得る。
【００３９】
[0059]ＵＥ１１５は、ワイヤレス通信システム１００全体にわたって分散され得、各ＵＥ１１５は固定または移動であり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークなど、異なるアクセスネットワーク上で通信することが可能であり得る。
【００４０】
[0060]ワイヤレス通信システム１００に示された通信リンク１２５は、（たとえば、ＵＥ１１５から基地局１０５への）アップリンク（ＵＬ）送信を搬送するためのアップリンクおよび／または（たとえば、基地局１０５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。ダウンリンク送信は、認可スペクトル、無認可スペクトル、またはその両方を使用して行われ得る。同様に、アップリンク送信は、認可スペクトル、無認可スペクトル、またはその両方を使用して行われ得る。
【００４１】
[0061]ワイヤレス通信システム１００のいくつかの例では、無認可スペクトルにおけるＬＴＥのための様々な展開シナリオが、認可スペクトルにおけるＬＴＥダウンリンク容量が無認可スペクトルにオフロードされ得る補足ダウンリンクモードと、ＬＴＥのダウンリンク容量とアップリンク容量の両方が認可スペクトルから無認可スペクトルにオフロードされ得るキャリアアグリゲーションモードと、基地局（たとえば、ｅＮＢ）とＵＥとの間のＬＴＥダウンリンクおよびアップリンク通信が無認可スペクトルにおいて行われ得るスタンドアロンモードとを含めてサポートされ得る。基地局１０５ならびにＵＥ１１５は、これらのまたは同様の動作モードのうちの１つまたは複数をサポートし得る。ＯＦＤＭＡ通信信号は、無認可および／または認可スペクトルにおけるＬＴＥダウンリンク送信のために通信リンク１２５中で使用され得、一方、ＳＣ−ＦＤＭＡ通信信号は、無認可および／または認可スペクトルにおけるＬＴＥアップリンク送信のために通信リンク１２５中で使用され得る。ワイヤレス通信システム１００などのシステムにおける無認可スペクトルのためのＬＴＥ展開シナリオまたは動作モードの実装形態、ならびに無認可スペクトルにおけるＬＴＥの動作に関係する他の特徴および機能に関するさらなる詳細を、図２〜図２１に関して以下に与える。
【００４２】
[0062]図２に、ワイヤレス通信システム２００における無認可スペクトルにおけるＬＴＥ／ＬＴＥ−Ａのためのキャリアアグリゲーションモードの一例を示す図を示す。この例では、基地局２０５は、双方向リンク２２０のダウンリンク（ＤＬ）を介してＵＥ２１５にＯＦＤＭＡ通信信号を送信し得、双方向リンク２２０のアップリンク（ＵＬ）を介して同じＵＥ２１５からＳＣ−ＦＤＭＡ通信信号を受信し得る。双方向リンク２２０は、無認可スペクトルにおける周波数Ｆ１に関連付けられ得る。基地局２０５はまた、双方向リンク２２５のＤＬを介して同じＵＥ２１５にＯＦＤＭＡ通信信号を送信し得、双方向リンク２２５のＵＬを介して同じＵＥ２１５からＳＣ−ＦＤＭＡ通信信号を受信し得る。双方向リンク２２５は、認可スペクトルにおける周波数Ｆ２に関連付けられ得る。（無認可スペクトルにおける）双方向リンク２２０は、基地局２０５にダウンリンクおよびアップリンク容量オフロードを与え得る。このシナリオは、認可スペクトルを使用し、トラフィックおよび／またはシグナリング輻輳の一部を軽減する必要がある任意のサービスプロバイダ（たとえば、モバイルネットワーク事業者またはＭＮＯ）で生じ得る。シグナリングおよび／または制御情報は、概して、双方向リンク２２５のＵＬとＤＬとを使用して基地局２０５とＵＥ２１５との間で通信され得る。ただし、何らかのシグナリングおよび／または制御情報が、双方向リンク２２０のＵＬとＤＬとを使用して基地局２０５とＵＥ２１５との間で通信され得る事例があり得る。
【００４３】
[0063]無認可スペクトルは、たとえば、６００メガヘルツ（ＭＨｚ）から６ギガヘルツ（ＧＨｚ）までの範囲にあり得る。場合によっては、無認可スペクトルにおけるＬＴＥ／ＬＴＥ−Ａは、ＷｉＦｉよりもかなり良好に実行し得る。たとえば、（単一のまたは複数の事業者のための）ＬＴＥ／ＬＴＥ−Ａのすべての無認可スペクトル展開をすべてのＷｉＦｉ展開と比較すると、または高密度小規模セル展開があると、無認可スペクトルにおけるＬＴＥ／ＬＴＥ−ＡはＷｉＦｉよりもかなり良好に実行し得る。無認可スペクトルにおけるＬＴＥ／ＬＴＥ−Ａはまた、無認可スペクトルにおけるＬＴＥ／ＬＴＥ−Ａが（単一のまたは複数の事業者のための）ＷｉＦｉと混合されるときなどの他の場合にＷｉＦｉよりも良好に実行し得る。
【００４４】
[0064]図３に、認可スペクトルにおけるＬＴＥネットワークにおける周期的ＬＴＥ無線フレーム３１０（たとえば、ＬＴＥ無線フレームＮ−１、Ｎ、およびＮ＋１）と無認可スペクトルにおける同じまたは異なるＬＴＥネットワークのための周期的ＬＴＥ無線フレーム３０５（たとえば、無認可フレームＮ−１、Ｎ、およびＮ＋１）との間の例示的な同期３００を示す。場合によっては、無認可スペクトルにおけるフレーム３０５は、認可スペクトルにおけるフレーム３１０のフレーム境界と整合した境界を有し得る。他の場合には、無認可スペクトルにおけるフレーム３０５は、認可スペクトルにおけるフレーム３１０のフレーム境界と同期されるが、それからオフセットした境界を有し得る。たとえば、無認可スペクトルにおけるフレーム３０５の境界は、認可スペクトルにおけるフレーム３１０のサブフレーム境界と整合するか、または認可スペクトルにおけるフレーム３１０のサブフレーム中間点境界（たとえば、特定のサブフレームの中間点）と整合し得る。
【００４５】
[0065]場合によっては、認可スペクトルにおけるフレーム３１０および無認可スペクトルにおけるフレーム３０５の各々は、１０ミリ秒の持続時間を有し得る。他の場合には、認可スペクトルにおけるフレーム３１０および無認可スペクトルにおけるフレーム３０５の各々は、５ミリ秒の持続時間を有し得る。認可スペクトルにおけるフレーム３１０および無認可スペクトルにおけるフレーム３０５の両方のために他の持続時間（たとえば、１ミリ秒）も使用され得る。
【００４６】
[0066]図４に、無認可スペクトルにおけるセルラーダウンリンクのための無認可フレームゲーティング間隔４０５の一例４００を示す。無認可フレームゲーティング間隔４０５は、無認可スペクトルにおけるＬＴＥ／ＬＴＥ−ＡをサポートするｅＮＢによって使用され得る。そのようなｅＮＢの例は、図１および／または図２の基地局１０５および／または２０５であり得る。ゲーティング間隔４０５は、図１のワイヤレス通信システム１００および／または図２を参照しながら説明するワイヤレス通信システムとともに使用され得る。ゲーティング間隔４０５は、図３の無認可スペクトルにおけるフレーム３０５に対応するか、またはその一例であり得る。
【００４７】
[0067]例として、ゲーティング間隔４０５の持続時間は、セルラーダウンリンクに関連するＬＴＥ無線フレーム（たとえば、認可スペクトルにおけるフレーム３１０）の持続時間に等しくなる（またはほぼ等しくなる）ものとして示されている。ゲーティング間隔４０５の境界は、ＬＴＥ無線フレームの境界と同期され得る（たとえば、それと整合し得る）。
【００４８】
[0068]ゲーティング間隔４０５（たとえば、無認可スペクトルにおけるフレーム３０５）は、１０個のサブフレーム（たとえば、ＳＦ０、ＳＦ１、．．．、ＳＦ９）を有し得る。サブフレームＳＦ０〜ＳＦ８は、ダウンリンク（Ｄ）サブフレーム４２０であり得、サブフレームＳＦ９は、特殊な（Ｓ’）サブフレーム４１０であり得る。Ｄサブフレーム４２０は、ゲーティング間隔４０５のチャネル占有時間を集合的に定義し得、Ｓ’サブフレーム４１０の少なくとも一部は、チャネルアイドル時間を定義し得る。現在のＬＴＥ規格の下で、ＬＴＥ無線フレームは、１ミリ秒と９．５ミリ秒との間の最大チャネル占有時間（オン時間）を有し、チャネル占有時間の５パーセント（たとえば、最低５０マイクロ秒）の最小チャネルアイドル時間（オフ時間）を有し得る。ＬＴＥ規格への準拠を保証するために、ゲーティング間隔４０５は、ＬＴＥ規格のこれらのまたは同様の要件に準拠し得、Ｓ’サブフレーム４１０の一部として０．５ミリ秒のガード期間（すなわち、オフ時間）を与え得る。
【００４９】
[0069]Ｓ’サブフレーム４１０は、一般に、１ミリ秒の持続時間を有し得るので、無認可スペクトルの特定のチャネルを求めて競合する送信デバイスがそれらのＣＣＡを実行し得る、１つまたは複数のＣＣＡスロット４３０（たとえば、タイムスロット）を含み得る。典型的なＣＣＡタイムスロットは、２０マイクロ秒の持続時間であり得る。チャネルが利用可能であるが、ゲーティング間隔４０５の終了の前にデバイスのＣＣＡが完了したことを送信デバイスのＣＣＡが示すとき、デバイスは、ゲーティング間隔４０５の終了までチャネルを予約するために１つまたは複数の信号を送信し得る。１つまたは複数の信号は、場合によっては、それぞれ、チャネル使用パイロット信号（ＣＵＰＳ：Channel Usage Pilot Signal）または部分ＣＵＰＳ（ＰＣＵＰＳ：Partial CUPS）とも呼ばれる、チャネル使用ビーコン信号（ＣＵＢＳ：Channel Usage Beacon Signal）または部分ＣＵＢＳ（ＰＣＵＢＳ：Partial CUBS）を含み得る。ＰＣＵＢＳについて、本明細書で後で説明するが、ＰＣＵＢＳは、チャネル同期とチャネル予約の両方のために使用され得る。すなわち、別のデバイスがチャネル上でＰＣＵＢＳ（またはＣＵＢＳ）を送信し始めた後にチャネルに対してＣＣＡを実行するデバイスは、ＰＣＵＢＳ（またはＣＵＢＳ）のエネルギーを検出し、チャネルが現在利用不可能であることを決定し得る。
【００５０】
[0070]送信デバイスが、チャネルに対するＣＣＡの完了に成功すると、送信デバイスは、波形（たとえば、ＬＴＥベースの波形）を送信するために所定の時間期間（たとえば、１つのＬＴＥ無線フレーム）までの間チャネルを使用し得る。一例では、送信デバイスは、現在のゲーティング間隔４０５のＳ’サブフレームの終了までチャネルアクセスを予約し得る。別の例では、送信デバイスは、現在のゲーティング間隔４０５を超えて、次のゲーティング間隔４０５までチャネルアクセスを予約し得る、
【００５１】
[0071]（たとえば、相互キャリア伝送において）異なるコンポーネントキャリアを使用して送信が行われるとき、Ｓ’サブフレームロケーションは、１０ミリ秒未満の分離で基地局がチャネルアクセス機会を有するように異なるコンポーネントキャリアのためにジグザグに配置され得る。
【００５２】
[0072]図５に、いくつかのワイヤレスアクセスポイント（たとえば、ＷｉＦｉノード）５３５およびＵＥ５１５が基地局５０５のカバレージエリア５１０内にあるワイヤレス通信システム５００を示す。いくつかの例では、基地局５０５、ＵＥ５１５、および／またはワイヤレスアクセスポイント５３５は、前の図を参照しながら説明した基地局１０５および／または２０５、ＵＥ１１５および／または２１５、および／またはデバイスの１つまたは複数の態様のそれぞれの例であり得る。
【００５３】
[0073]ＵＥ５１５は、無認可スペクトルにおける双方向リンク５２０（たとえば、ＷｉＦｉ、Ｂｌｕｅｔｏｏｔｈ（登録商標）、または他の無認可スペクトルによって従来使用されるスペクトル）と、認可スペクトルにおける双方向リンク５２５（たとえば、従来のＬＴＥスペクトル）とのいずれかまたはその両方を使用して基地局５０５と通信し得る。そのような通信は、図２に関して上記で説明したキャリアアグリゲーションシナリオの一例であり得る。ＵＥ５１５は、無認可スペクトルを介して近くのワイヤレスアクセスポイント５３５と通信し得る。
【００５４】
[0074]無認可スペクトルにおいて双方向リンク５２０を介してチャネルアクセスを獲得しようと試みるとき、基地局５０５とＵＥ５１５の両方は、無認可スペクトルの利用可能性を決定するためにＣＣＡを実行し得る。場合によっては、基地局５０５とＵＥ５１５の両方は、基地局５０５から隠れているが、ＵＥ５１５の範囲内にあるワイヤレスアクセスポイント５３５の存在を考慮するためにＣＣＡを実行し得る。
【００５５】
[0075]図６Ａは、無認可チャネルアクセスプロシージャに関して第１のｅＮＢ（ｅＮＢ１  ６０５）、第２のｅＮＢ（たとえば、ｅＮＢ２  ６０５−ａ）、ＵＥ６１５、および１つまたは複数のＷｉＦｉノード６２０によって実行される動作とそれらによって行われる送信との一例を示すタイミング図６００である。ｅＮＢ１  ６０５およびｅＮＢ２  ６０５−ａは、同じ事業者展開（たとえば、Ｖｅｒｉｚｏｎ（登録商標）またはＳｐｒｉｎｔ（登録商標）による展開）のｅＮＢであり得、同期され得る（たとえば、共通タイミング基準の下で動作し得る）。
【００５６】
[0076]ｅＮＢ６０５、６０５−ａによって行われた送信は、図１、図２、および／または図５を参照しながら説明した基地局１０５、２０５、および／または５０５のうちの複数によって行われた送信の例であり得、ＵＥ６１５によって行われた送信は、図１、図２、および／または図５を参照しながら説明したＵＥ１１５、２１５、および／または５１５のうちの１つによって行われた送信の例であり得る。ＷｉＦｉノード６２０によって行われた送信は、図１および／または図５を参照しながら説明したＷｉＦｉノード１０５および／または５３５のうちの１つまたは複数によって行われた送信の例であり得る。
【００５７】
[0077]最初に、図４を参照しながら説明したＳ’サブフレーム（ＳＦ）９などのＳ’  ＳＦ中に、ｅＮＢ１  ６０５およびｅＮＢ２  ６０５−ａはそれぞれ、無認可スペクトル（たとえば、無認可スペクトル）の利用可能性を決定するために、それぞれのＣＣＡ６２５、６２５−ａを実行し得る。ｅＮＢ６０５、６０５−ａが同じ事業者展開の一部であるので、ｅＮＢ６０５、６０５−ａは、それらのそれぞれのＣＣＡ６２５、６２５−ａを同時に実行し得る。
【００５８】
[0078]無認可スペクトルが利用可能である（すなわち、チャネル利用可能）という決定をｅＮＢ６０５または６０５−ａのうちの１つが行うと、ｅＮＢは、無認可スペクトルを介してＵＥのセットにそれぞれの第１の波形（たとえば、波形６３０または６３０−ａ）を送信し得る。ＵＥのセットは、ｅＮＢのカバレージエリア内のすべてのＵＥまたはｅＮＢのカバレージエリア内のＵＥの指定されたサブセットを含み得る。第１の波形６３０または６３０−ａは、それのそれぞれのｅＮＢが無認可スペクトルを介したチャネルアクセスを有する第１の時間期間と第２の時間期間とを示すように構成され得る。第１の時間期間は、ｅＮＢ６０５、６０５−ａのカバレージエリア内の１つまたは複数のＵＥ（たとえば、ＵＥ６１５）とのデータ送信をセットアップするためにｅＮＢ６０５、６０５−ａによって使用され、ＵＥ（たとえば、ＵＥ６１５）自体のそれぞれのＣＣＡを実行するためにＵＥ（たとえば、ＵＥ６１５）によって使用され得る。第２の時間期間は、データを送信および／または受信するために、ｅＮＢ６０５、６０５−ａおよび１つまたは複数のＵＥによって使用され得る。
【００５９】
[0079]いくつかの例では、第１の波形は、第１の構成要素（Ｗ１）と第２の構成要素（Ｌ１）とを含み得る。波形の第１の構成要素は、ｅＮＢが無認可スペクトルを介したチャネルアクセスを有する第１の時間期間を示すように構成され得る。第１の構成要素は、６３５においてＷｉＦｉノード６２０によってなど、ＷｉＦｉデバイスによって可読であり、それによって、ｅＮＢのカバレージエリア内のＷｉＦｉデバイスが、第１の時間期間のタイミングを決定し、第１の時間期間中に無認可スペクトルにアクセスするのを回避することが可能になり得る。第１の波形の第１の構成要素はまた、第１の波形の第２の構成要素を読み取るためのタイミングおよび周波数同期情報を取得するためにＵＥ６１５によって使用され得る。同じ事業者展開中のｅＮＢ６０５、６０５−ａの各々は、第１の波形の同じ第１の構成要素を送信し得る。波形の第２の構成要素は、ｅＮＢが無認可スペクトルを介したチャネルアクセスを有する第２の時間期間を示すように構成され得る。第２の構成要素はまた、たとえば、ＵＥ６１５がＣＣＡを実行すべき周波数帯域を示すように構成され得る。代替的に、周波数帯域は、チャネルアクセスプロシージャに先立ってＵＥ６１５に示され得る。周波数帯域の選定はＵＥ固有であり得、複数のＵＥが同じ帯域を使用し得る。第２の構成要素は、ＵＥ６１５などのセルラーデバイスによって可読であり、それによって、ｅＮＢのカバレージエリア内のＵＥが、第２の時間期間のタイミングを決定することが可能になり得る。同じ事業者展開中のｅＮＢ６０５、６０５−ａの各々は、第１の波形の異なる第２の構成要素を送信し得る。このようにして、異なるｅＮＢ６０５、６０５−ａは、それらがサービングｅＮＢとして動作するＵＥに異なるタイプおよび量のデータを送信し得る。
【００６０】
[0080]場合によっては、第１の波形の第１の構成要素は、第１の波形の第２の構成要素の前に送信され得る。他の場合には、第１の波形の第２の構成要素は、第１の波形の第１の構成要素の前に送信され得る。第１の構成要素および第２の構成要素は、連続してまたは連続せずに送信され得る。
【００６１】
[0081]ＵＥ６１５が受信モードから送信モードに遷移することを可能にする短フレーム間隔（ＳＩＦＳ：short inter-frame spacing）の後に、ＵＥ６１５は、ブロック６４０において、ＵＥ６１５のための無認可スペクトルの利用可能性を決定するために、それ自体のＣＣＡを実行し得る。無認可スペクトルが利用可能であるという決定が行われると、ＵＥ６１５は、第２の波形（Ｗ２）６４５と第３の波形（Ｌ２）６５０とを送信し得る。第２の波形６４５は、場合によっては、ＷｉＦｉノード６２０などの近くのＷｉＦｉデバイスに、ｅＮＢ１  ６０５が第２の時間期間中に無認可スペクトルを介したチャネルアクセスを有することを示すように構成され得る。場合によっては、第２の波形６４５は随意であり得る。第３の波形６５０は、第２の時間期間中のＵＥ６１５へのデータ送信のためにｅＮＢ１  ６０５に情報を与えるように構成され得る。場合によっては、第３の波形は、チャネル推定とチャネル同期との一方または両方のための基準シンボルを含み得る。第３の波形はまた、たとえば、他のチャネルメトリック、スケジューリングメトリック、バッファステータス、電力制御情報、および／または他の情報を含み得る。
【００６２】
[0082]第２および／または第３の波形は、場合によっては、ＵＥ６１５が、それのサービングｅＮＢからの第１の波形（たとえば、図６Ａに示した例ではｅＮＢ１  ６０５からの第１の波形６３０）を受信するときにのみ送信され得る。ＵＥ６１５は、場合によっては、無認可スペクトルが利用不可能なときを理解するために１つまたは複数の他のｅＮＢから（たとえば、ｅＮＢ２  ６０５−ａから）受信された第１の波形を復号し得る。
【００６３】
[0083]場合によっては、第２の波形６４５は、第３の波形６５０の前に送信され得る。他の場合には、第３の波形６５０は、第２の波形６４５の前に送信され得る。第２の波形６４５および第３の波形６５０は、連続してまたは連続せずに送信され得る。
【００６４】
[0084]ＵＥ６１５から第３の波形６５０を受信すると、ｅＮＢ１  ６０５は、ＵＥ６１５に（およびそれが第３の波形を受信した他のＵＥに）データ６５５を送信し得る。場合によっては、データ６５５は、ＳＦ９に続く次のサブフレーム中で（たとえば、次のフレームのＳＦ０中で）送信され得る。場合によっては、データ６５５は、ＳＦ９に続く２つ以上のサブフレームを介して送信され得る。データ６５５は、第２の時間期間中に無認可スペクトルを介して送信され得る。場合によっては、データ６５５は、無認可スペクトルを介した同期波形とトレーニング波形との一方または両方の送信によって先行され得る。
【００６５】
[0085]図６Ｂは、無認可チャネルアクセスプロシージャに関して第１のｅＮＢ（ｅＮＢ１  ６０５）、第２のｅＮＢ（たとえば、ｅＮＢ２  ６０５−ａ）、ＵＥ６１５、および１つまたは複数のＷｉＦｉノード６２０によって実行される動作とそれらによって行われる送信との別の例を示すタイミング図６６０である。ただし、タイミング図６６０では、ｅＮＢ１  ６０５およびｅＮＢ２  ６０５−ａは、異なる事業者展開のｅＮＢであり得る。それでも、異なる事業者展開のｅＮＢ６０５、６０５−ａは同期され得る（たとえば、共通タイミング基準の下で動作し得る）。
【００６６】
[0086]ｅＮＢ６０５、６０５−ａによって行われた送信は、図１、図２、および／または図５を参照しながら説明した基地局１０５、２０５、および／または５０５のうちの複数によって行われた送信の例であり得、ＵＥ６１５によって行われた送信は、図１、図２、および／または図５を参照しながら説明したＵＥ１１５、２１５、および／または５１５のうちの１つによって行われた送信の例であり得る。ＷｉＦｉノード６２０によって行われた送信は、図１および／または図５を参照しながら説明したＷｉＦｉノード１０５および／または５３５のうちの１つまたは複数によって行われた送信の例であり得る。
【００６７】
[0087]最初に、図４を参照しながら説明したＳ’サブフレーム（ＳＦ）９などのＳ’  ＳＦ中に、ｅＮＢ１  ６０５およびｅＮＢ２  ６０５−ａはそれぞれ、無認可スペクトル（たとえば、無認可スペクトル）の利用可能性を決定するために、それぞれのＣＣＡ６２５、６２５−ａを実行し得る。ｅＮＢ６０５、６０５−ａが異なる事業者展開に属するので、ｅＮＢ６０５、６０５−ａは、それらのそれぞれのＣＣＡ６２５、６２５−ａを異なる時間に実行し得る。ｅＮＢ１  ６０５が、最初にそれのＣＣＡ６２５を実行し、利用可能な無認可スペクトルを発見すると、ｅＮＢ１は、無認可スペクトルを予約し得、ｅＮＢ２によって実行されるＣＣＡ６２５−ａに失敗し得る。
【００６８】
[0088]無認可スペクトルが利用可能であるという決定をｅＮＢ１  ６０５が行うと、ｅＮＢ１  ６０５は、無認可スペクトルを介してＵＥのセットに第１の波形６３０を送信し得る。ＵＥのセットは、ｅＮＢ１  ６０５のカバレージエリア内のすべてのＵＥまたはｅＮＢ１  ６０５のカバレージエリア内のＵＥの指定されたサブセットを含み得る。第１の波形６３０は、ｅＮＢ１  ６０５が無認可スペクトルを介したチャネルアクセスを有する第１の時間期間と第２の時間期間とを示すように構成され得る。第１の時間期間は、ｅＮＢ１  ６０５のカバレージエリア内の１つまたは複数のＵＥ（たとえば、ＵＥ６１５）とのデータ送信をセットアップするためにｅＮＢ１  ６０５によって使用され、ＵＥ（たとえば、ＵＥ６１５）自体のそれぞれのＣＣＡを実行するためにＵＥ（たとえば、ＵＥ６１５）によって使用され得る。第２の時間期間は、データを送信および／または受信するために、ｅＮＢ１  ６０５および１つまたは複数のＵＥによって使用され得る。
【００６９】
[0089]いくつかの例では、第１の波形は、第１の構成要素（Ｗ１）と第２の構成要素（Ｌ１）とを含み得る。波形の第１の構成要素は、ｅＮＢ１  ６０５が無認可スペクトルを介したチャネルアクセスを有する第１の時間期間を示すように構成され得る。第１の構成要素は、６３５においてＷｉＦｉノード６２０によってなど、ＷｉＦｉデバイスによって可読であり、それによって、ｅＮＢ１  ６０５のカバレージエリア内のＷｉＦｉデバイスが、第１の時間期間のタイミングを決定し、第１の時間期間中に無認可スペクトルにアクセスするのを回避することが可能になり得る。第１の波形の第１の構成要素はまた、第１の波形の第２の構成要素を読み取るためのタイミングおよび周波数同期情報を取得するためにＵＥ６１５によって使用され得る。波形の第２の構成要素は、ｅＮＢ１  ６０５が無認可スペクトルを介したチャネルアクセスを有する第２の時間期間を示すように構成され得る。第２の構成要素はまた、たとえば、ＵＥ６１５がＣＣＡを実行すべき周波数帯域を示すように構成され得る。代替的に、周波数帯域は、チャネルアクセスプロシージャに先立ってＵＥ６１５に示され得る。周波数帯域の選定はＵＥ固有であり得、複数のＵＥが同じ帯域を使用し得る。第２の構成要素は、ＵＥ６１５などのセルラーデバイスによって可読であり、それによって、ｅＮＢ１  ６０５のカバレージエリア内のＵＥが、第２の時間期間のタイミングを決定することが可能になり得る。
【００７０】
[0090]場合によっては、第１の波形の第１の構成要素は、第１の波形の第２の構成要素の前に送信され得る。他の場合には、第１の波形の第２の構成要素は、第１の波形の第１の構成要素の前に送信され得る。第１の構成要素とおよび第２の構成要素は、連続してまたは連続せずに送信され得る。
【００７１】
[0091]ＵＥ６１５が受信モードから送信モードに遷移することを可能にするＳＩＦＳの後に、ＵＥ６１５は、ブロック６４０において、ＵＥ６１５のための無認可スペクトルの利用可能性を決定するために、それ自体のＣＣＡを実行し得る。無認可スペクトルが利用可能であるという決定が行われると、ＵＥ６１５は、第２の波形（Ｗ２）６４５と第３の波形（Ｌ２）６５０とを送信し得る。第２の波形６４５は、場合によっては、ＷｉＦｉノード６２０などの近くのＷｉＦｉデバイスに、ｅＮＢ１  ６０５が第２の時間期間中に無認可スペクトルを介したチャネルアクセスを有することを示すように構成され得る。場合によっては、第２の波形６４５は随意であり得る。第３の波形６５０は、第２の時間期間中のＵＥ６１５へのデータ送信のためにｅＮＢ１  ６０５に情報を与えるように構成され得る。場合によっては、第３の波形は、チャネル推定とチャネル同期との一方または両方のための基準シンボルを含み得る。第３の波形はまた、たとえば、他のチャネルメトリック、スケジューリングメトリック、バッファステータス、電力制御情報、および／または他の情報を含み得る。
【００７２】
[0092]第２および／または第３の波形は、場合によっては、ＵＥ６１５が、それのサービングｅＮＢからの第１の波形（たとえば、図６Ａに示した例ではｅＮＢ１  ６０５からの第１の波形６３０）を受信するときにのみ送信され得る。
【００７３】
[0093]場合によっては、第２の波形６４５は、第３の波形６５０の前に送信され得る。他の場合には、第３の波形６５０は、第２の波形６４５の前に送信され得る。第２の波形６４５および第３の波形６５０は、連続してまたは連続せずに送信され得る。
【００７４】
[0094]ＵＥ６１５から第３の波形６５０を受信すると、ｅＮＢ１  ６０５は、ＵＥ６１５に（およびそれが第３の波形を受信した他のＵＥに）データ６５５を送信し得る。場合によっては、データ６５５は、ＳＦ９に続く次のサブフレーム中で（たとえば、次のフレームのＳＦ０中で）送信され得る。場合によっては、データ６５５は、ＳＦ９に続く２つ以上のサブフレームを介して送信され得る。データ６５５は、第２の時間期間中に無認可スペクトルを介して送信され得る。場合によっては、データ６５５は、無認可スペクトルを介した同期波形とトレーニング波形との一方または両方の送信によって先行され得る。
【００７５】
[0095]図７Ａに、Ｓ’サブフレーム７００の例示的なフォーマットを示す。いくつかの例では、Ｓ’サブフレーム７００は、図４、図６Ａ、および／または図６Ｂを参照しながら説明したＳ’サブフレームの一例であり得る。Ｓ’サブフレーム７００は、サイレント期間７１０と、いくつかの（たとえば、７つの）ｅＮＢ  ＣＣＡスロット７１５と、ｅＮＢ送信期間７２０と、ＵＥ  ＣＣＡスロット７２５と、いくつかの（たとえば、３つの）第２の波形スロット７３０と、ＵＥ送信期間７３５と、部分チャネル使用ビーコンシンボル（ＰＣＵＢＳ：partial channel usage beacon symbol）送信期間７４０とを含み得る。場合によっては、Ｓ’サブフレーム７００は、１０ミリ秒のフレームまたはゲーティング構造と連携して使用され、１ミリ秒の持続時間を有し得る。図７Ａ、図７Ｂ、図７Ｃ、図９Ａ、および図９Ｂにおいて説明するｅＮＢ  ＣＣＡスロット７１５は、図１、図２、および／または図５を参照しながら説明した基地局１０５、２０５、および／または５０５のうちの複数のためのＣＣＡスロットの例であり得る。同様に、図７Ａ、図７Ｂ、図７Ｃ、図９Ａ、および図９Ｂにおいて説明するＵＥ  ＣＣＡスロット７２５は、図１、図２、および／または図５を参照しながら説明したＵＥ１１５、２１５、および／または５１５のうちの１つのためのＣＣＡスロットの例であり得る。
【００７６】
[0096]サイレント期間７１０は、始めまたは終わりなど、Ｓ’サブフレーム７００中の様々なポイントで生じ得、場合によっては、２つ以上のサイレント期間に分割され得る。例として、サイレント期間７１０がＳ’サブフレーム７００の始めに生じるものとして示されている。サイレント期間７１０により、ＬＴＥ規格のチャネル占有要件への準拠が可能になる。いくつかの事例では、サイレント期間７１０は、４７５マイクロ秒の最小持続時間を有し得る。
【００７７】
[0097]無認可スペクトルの利用可能性を決定するためにＣＣＡを実行するためのｅＮＢによって、ｅＮＢ  ＣＣＡスロット７１５のうちの１つが擬似ランダムに選択され得る。ｅＮＢ  ＣＣＡスロット７１５は、同じ事業者展開のｅＮＢがｅＮＢ  ＣＣＡスロット７１５のうちの共通する１つの中でＣＣＡを実行し、異なる事業者展開のｅＮＢがｅＮＢ  ＣＣＡスロット７１５のうちの異なる複数の中でＣＣＡを実行するように擬似ランダムに選択され得る。Ｓ’サブフレーム７００の連続するインスタンスでは、ｅＮＢ  ＣＣＡスロットの擬似ランダム選択は、異なる事業者展開がｅＮＢ  ＣＣＡスロットのうちの最初のスロットを選択するという結果になり得る。このようにして、いくつかの事業者展開の各々は、ＣＣＡを実行する最初の機会を与えられ得る（たとえば、第１の事業者展開が、１つのＳ’サブフレーム７００中の最初のｅＮＢ  ＣＣＡスロットを選択し得、第２の事業者展開が、次のＳ’サブフレーム７００中の最初のｅＮＢ  ＣＣＡスロットを選択し得るなど）。いくつかの事例では、ｅＮＢ  ＣＣＡスロット７１５はそれぞれ、約２０マイクロ秒の持続時間を有し得る。
【００７８】
[0098]ｅＮＢは、無認可スペクトルが利用可能であるという決定を行うと、第１の波形を直ちに送信し始め得る。第１の波形は、ｅＮＢ  ＣＣＡスロット７１５の後の複数の間に、および／またはｅＮＢ送信期間７２０の間に送信され得る。第１の波形は、ｅＮＢが無認可スペクトルを介したチャネルアクセスを有する１つまたは複数の時間期間を示すように構成され得る。
【００７９】
[0099]第１の波形を受信するＵＥは、第１の波形に応答して、ＵＥ  ＣＣＡスロット７２５中にそれら自体のＣＣＡを実行し得る。無認可スペクトルが利用可能であるとＵＥが決定すると、ＵＥは、無認可スペクトルを介して第２の波形と第３の波形とを送信し得る。第２の波形は、第２の波形スロット７３０のうちの１つの中で送信され得、近くのＷｉＦｉデバイスに、第１の波形を送信した基地局が、特定の時間期間中に無認可スペクトルを介したチャネルアクセスを有することを示すように構成され得る。第２の波形スロットのセットにより、ＵＥは、同じ事業者展開中の別のＵＥによって識別される第２の波形スロットに対してジグザグに配置された第２の波形スロットを識別することが可能になり得る。第２の波形スロットのセット中の第２の波形のジグザグ配置により、近くのＷｉＦｉデバイスは、２つ以上のＵＥから受信された第２の波形をより良く区別し、復号することが可能になり得る。第２の波形スロット７３０はそれぞれ、約４４マイクロ秒の持続時間を有し得る。
【００８０】
[0100]第３の波形は、第２の波形の直後におよび／またはＵＥ送信期間７３５中に送信され得る。第３の波形は、ＵＥへのデータ送信のためにｅＮＢに情報を与えるように構成され得る。データ送信は、Ｓ’サブフレーム７００の後に行われ得る。
【００８１】
[0101]ＰＣＵＢＳ送信期間７４０は、特定のＳ’サブフレーム７００中に生じることも、または生じないこともある。それの発生は、第３の波形の送信タイミングに依存し得る。ＰＣＵＢＳ送信期間７４０中に、１つまたは複数のｅＮＢおよび／またはＵＥは、無認可スペクトルを介したそれのチャネルアクセス（たとえば、予約）を維持するためにＰＣＵＢＳを送信し得る。
【００８２】
[0102]図７Ｂに、波形送信のためのＳ’サブフレーム７５０の例示的な使用を示す。いくつかの例では、Ｓ’サブフレーム７５０は、図４、図６Ａ、図６Ｂ、および／または図７Ａを参照しながら説明したＳ’サブフレームの一例であり得る。Ｓ’サブフレーム７５０は、図７Ａに関して説明したように、サイレント期間７１０と、いくつかのｅＮＢ  ＣＣＡスロット７１５と、ｅＮＢ送信期間７２０と、ＵＥ  ＣＣＡスロット７２５と、いくつかの第２の波形スロット７３０と、ＵＥ送信期間７３５と、ＰＣＵＢＳ送信期間７４０とを含み得る。
【００８３】
[0103]図示の例では、ｅＮＢ  ＣＣＡは、最初の３つのｅＮＢ  ＣＣＡスロット７１５の各々の間に失敗し得る（または実行されないことがある）。４番目のｅＮＢ  ＣＣＡスロット中に、（ｅＮＢ  ＣＣＡスロットのうちの斜線が施されたスロットによって示す）ｅＮＢ  ＣＣＡが成功し得る。
【００８４】
[0104]成功したｅＮＢ  ＣＣＡの後、成功したＣＣＡを実行したｅＮＢはそれぞれ、第１の波形７６０を送信し得る。第１の波形７６０は、それのそれぞれのｅＮＢが無認可スペクトルを介したチャネルアクセスを有する第１の時間期間と第２の時間期間とを示すように構成され得る。第１の時間期間は、たとえば、現在のＳ’サブフレームの残余を含むか、または次のサブフレーム中のある時間まで、もしくは何らかの他の後続のサブフレームまで延長し得る。第１の時間期間は、ｅＮＢのカバレージエリア内の１つまたは複数のＵＥとのデータ送信をセットアップするためにｅＮＢによって使用され、ＵＥ自体のそれぞれのＣＣＡを実行するためにＵＥによって使用され得る。第２の時間期間は、データを送信および／または受信するためにｅＮＢおよび１つまたは複数のＵＥによって使用され得、たとえば、Ｓ’サブフレームの後の、または次のサブフレーム中のある時間の後の指定された時間期間を含み得る。
【００８５】
[0105]いくつかの例では、第１の波形７６０は、第１の構成要素（Ｗ１）７６５と第２の構成要素（Ｌ１）７７０とを含み得る。波形７６０の第１の構成要素７６５は、ｅＮＢが無認可スペクトルを介したチャネルアクセスを有する第１の時間期間を示すように構成され得る。第１の構成要素７６５は、ＷｉＦｉデバイスによって可読であり、それによって、ｅＮＢのカバレージエリア内のＷｉＦｉデバイスが、第１の時間期間のタイミングを決定し、第１の時間期間中に無認可スペクトルにアクセスするのを回避することが可能になり得る。第１の構成要素７６５はまた、第１の波形７６０の第２の構成要素７７０を読み取るためのタイミングおよび周波数同期情報を取得するために、ＷｉＦｉ能力をもつセルラーデバイスまたはＵＥによって使用され得る。第２の構成要素７７０は、セルラーデバイスによって可読であり、それによって、ｅＮＢのカバレージエリア内のＵＥが、第２の時間期間のタイミングを決定することが可能になり得る。第２の構成要素７７０はまた、たとえば、ＵＥがＣＣＡを実行すべき周波数帯域を示し得る。代替的に、周波数帯域は、Ｓ’サブフレーム７００に先立ってＵＥに示され得る。第１の波形７６０の第１の構成要素７６５および第２の構成要素７７０は、それぞれ、４４マイクロ秒および７１マイクロ秒のおおよその持続時間を有し得る。そのような場合、第１の波形７６０は、約１１５マイクロ秒の持続時間を有し得る。
【００８６】
[0106]場合によっては、第１の波形７６０の第１の構成要素７６５は、第１の波形７６０の第２の構成要素７７０の前に送信され得る。他の場合には、第１の波形７６０の第２の構成要素７７０は、第１の波形７６０の第１の構成要素７６５の前に送信され得る。第１の構成要素７６５および第２の構成要素７７０は、連続してまたは連続せずに送信され得る。
【００８７】
[0107]ＵＥが受信モードから送信モードに遷移することを可能にするＳＩＦＳの後に、サービングｅＮＢから第１の波形を受信するＵＥは、ＵＥごとに無認可スペクトルの利用可能性を決定するために、それら自体のそれぞれのＣＣＡを実行し得る。ＵＥ  ＣＣＡは、ＵＥ  ＣＣＡスロット７２５中に実行され得る。
【００８８】
[0108]無認可スペクトルがＵＥのために利用可能であるとＵＥが決定すると、ＵＥは、第２の波形（Ｗ２）７８０と第３の波形（Ｌ２）７８５とを送信し得る。第２の波形７８０は、第２の波形スロット７３０のうちの識別された１つの中で送信され得、近くのＷｉＦｉデバイスに、ｅＮＢが第２の時間期間中に無認可スペクトルを介したチャネルアクセスを有することを示すように構成され得る。第２の波形７８０は、約４４マイクロ秒の持続時間を有し得る。第３の波形７８５は、ＵＥ送信期間７３５中に送信され得、第２の時間期間中のＵＥへのデータ送信のためにｅＮＢに情報を与えるように構成され得る。場合によっては、第３の波形７８５は、チャネル推定とチャネル同期との一方または両方のための基準シンボルを含み得る。第３の波形７８５はまた、たとえば、他のチャネルメトリック、スケジューリングメトリック、バッファステータス、電力制御情報、および／または他の情報を含み得る。第３の波形７８５は、約７１マイクロ秒の持続時間を有し得る。
【００８９】
[0109]第２の波形７８０および／または第３の波形７８５は、場合によっては、ＵＥがそれのサービングｅＮＢから第１の波形７６０を受信するときにのみ送信され得る。ＵＥは、場合によっては、無認可スペクトルが利用不可能なときを理解するために１つまたは複数の他のｅＮＢから受信された第１の波形を復号し得る。
【００９０】
[0110]場合によっては、第２の波形７８０は、第３の波形７８５の前に送信され得る。他の場合には、第３の波形７８５は、第２の波形７８０の前に送信され得る。場合によっては、第２の波形７８０は随意であり得る。第２の波形７８０および第３の波形７８５は、連続してまたは連続せずに送信され得る。
【００９１】
[0111]図７Ｃに、Ｓ’サブフレームと次のサブフレーム（たとえば、Ｓ’サブフレームの後の次のサブフレーム）の一例７９０を示す。いくつかの例では、Ｓ’サブフレーム７９０は、図４、図６Ａ、図６Ｂ、図７Ａ、および／または図７Ｂを参照しながら説明したＳ’サブフレームの一例であり得る。Ｓ’サブフレーム７９０は、図７Ａおよび／または図７Ｂを参照しながら説明した期間および／またはスロットのいずれかまたはすべてを含み得る。
【００９２】
[0112]図示の例では、無認可スペクトルの利用可能性を決定した、成功したｅＮＢ  ＣＣＡは、（ｅＮＢ  ＣＣＡスロットのうちの斜線が施された１つによって示す）ｅＮＢ  ＣＣＡスロットのうちの１つ７１５中に同じ事業者展開の１つまたは複数のｅＮＢによって実行され得る。成功したｅＮＢ  ＣＣＡを実行すると、成功したｅＮＢ  ＣＣＡを実行したｅＮＢは、無認可スペクトルを介してＵＥのセットに第１の波形を送信し得る。第１の波形は、ｅＮＢが無認可スペクトルを介したチャネルアクセスを有する第１の時間期間と第２の時間期間とを示すように構成され得る。第１の時間期間は、たとえば、図７Ｃに示すように、現在のＳ’サブフレームの残余を含み得る。第１の時間期間は、ｅＮＢのカバレージエリア内の１つまたは複数のＵＥとのデータ送信をセットアップするためにｅＮＢによって使用され、斜線が施されたＵＥ  ＣＣＡスロット７２５によって示される成功したＵＥ  ＣＣＡなど、ＵＥ自体のそれぞれのＣＣＡを実行するためにＵＥによって使用され得る。第２の時間期間は、データを送信および／または受信するためにｅＮＢおよび１つまたは複数のＵＥによって使用され得、たとえば、Ｓ’サブフレームの後の指定された時間期間を含み得る。指定された時間期間は、場合によっては、図７Ｃに示すように、Ｓ’サブフレームの後の次のサブフレームまたは２つ以上のサブフレームを含み得る。
【００９３】
[0113]図８Ａに、図６Ａ、図６Ｂ、図７Ａ、図７Ｂ、および／または図７Ｃを参照しながら説明した第１の波形送信および／または第２の波形送信に従ってｅＮＢによって送信される第１の波形の第１の構成要素（Ｗ１）またはＵＥによって送信される第２の波形（Ｗ２）の例示的なフォーマット８００を示す。波形８１０の例示的なフォーマット８００は、ＷｉＦｉ送信要求（ＲＴＳ：Request to Send）パケットのように構造化され、物理レイヤ収束プロシージャ（ＰＬＣＰ）ヘッダ８２０とＷｉＦｉ可読データフィールド８３０とを含み得る。ＰＬＣＰヘッダ８２０は、たとえば、ショートトレーニングフィールド（ＳＴＦ：short training field）と、ロングトレーニングフィールド（ＬＴＦ：long training field）と、信号（ＳＩＧ）フィールドとを含み、ＷｉＦｉシグナリングヌメロロジー（numerology）に従い得る。
【００９４】
[0114]図８Ｂに、図６Ａ、図６Ｂ、図７Ａ、図７Ｂ、および／または図７Ｃを参照しながら説明した第１の波形送信および／または第２の波形送信に従ってｅＮＢによって送信される第１の波形の第２の構成要素（Ｌ１）またはＵＥによって送信される第３の波形（Ｌ２）の例示的なフォーマット８５０を示す。波形８６０の例示的なフォーマット８５０は、サイクリックプレフィックス８７０とＯＦＤＭシンボル８８０とを含む。ＯＦＤＭシンボル８８０は、たとえば、どのＵＥがアドレス指定されるかと、ｅＮＢによって送信される第１の波形によって示される第２の時間期間の長さとを指定し得る。ＯＦＤＭシンボル８８０によって複数のＵＥについての情報が搬送され得る。場合によっては、いくつかのＵＥについてのデータが第３の波形内で多重化され得る。
【００９５】
[0115]図９Ａに、Ｓ’サブフレーム９００の例示的なフォーマットを示す。いくつかの例では、Ｓ’サブフレーム９００は、図４、図６Ａ、および／または図６Ｂを参照しながら説明したＳ’サブフレームの一例であり得る。Ｓ’サブフレーム９００は、サイレント期間９１０と、いくつかの（たとえば、７つの）ｅＮＢ  ＣＣＡスロット９１５と、ｅＮＢ送信期間９２０と、ＵＥ  ＣＣＡスロット９２５と、いくつかの第２の波形スロット９３０と、ＵＥ送信期間９３５と、ＯＦＤＭシンボル送信期間９４０とを含み得る。場合によっては、Ｓ’サブフレーム９００は、５ミリ秒のフレーム構造と連携して使用され、１ミリ秒の持続時間を有し得る。
【００９６】
[0116]サイレント期間９１０は、始めまたは終わりなど、Ｓ’サブフレーム９００中の様々なポイントで生じ得、場合によっては、２つ以上のサイレント期間に分割され得る。例として、サイレント期間９１０がＳ’サブフレーム９００の始めに生じるものとして示されている。サイレント期間９１０により、ＬＴＥ規格のチャネル占有要件への準拠が可能になる。サイレント期間９１０は、約２４０マイクロ秒の持続時間を有し得る。
【００９７】
[0117]無認可スペクトルの利用可能性を決定するためにＣＣＡを実行するためのｅＮＢによって、ｅＮＢ  ＣＣＡスロット９１５のうちの１つが擬似ランダムに選択され得る。ｅＮＢ  ＣＣＡスロット９１５は、同じ事業者展開のｅＮＢがｅＮＢ  ＣＣＡスロット９１５のうちの共通する１つの中でＣＣＡを実行し、異なる事業者展開のｅＮＢがｅＮＢ  ＣＣＡスロット９１５のうちの異なる複数の中でＣＣＡを実行するように擬似ランダムに選択され得る。Ｓ’サブフレーム９００の連続するインスタンスでは、ｅＮＢ  ＣＣＡスロットの擬似ランダム選択は、異なる事業者展開がｅＮＢ  ＣＣＡスロットのうちの最初のスロットを選択するという結果になり得る。このようにして、いくつかの事業者展開の各々は、ＣＣＡを実行する最初の機会を与えられ得る（たとえば、第１の事業者展開が、１つのＳ’サブフレーム９００中の最初のｅＮＢ  ＣＣＡスロットを選択し得、第２の事業者展開が、次のＳ’サブフレーム９００中の最初のｅＮＢ  ＣＣＡスロットを選択し得るなど）。いくつかの事例では、ｅＮＢ  ＣＣＡスロット９１５はそれぞれ、約２０マイクロ秒の持続時間を有し得る。
【００９８】
[0118]ｅＮＢは、無認可スペクトルが利用可能であるという決定を行うと、第１の波形を直ちに送信し始め得る。第１の波形は、ｅＮＢ  ＣＣＡスロット９１５の後の複数の間に、および／またはｅＮＢ送信期間９２０の間に送信され得る。第１の波形は、ｅＮＢが無認可スペクトルを介したチャネルアクセスを有する１つまたは複数の時間期間を示すように構成され得る。
【００９９】
[0119]第１の波形を受信するＵＥは、第１の波形に応答して、ＵＥ  ＣＣＡスロット９２５中にそれら自体のＣＣＡを実行し得る。無認可スペクトルが利用可能であるとＵＥが決定すると、ＵＥは、無認可スペクトルを介して第２の波形と第３の波形とを送信し得る。第２の波形は、第２の波形スロット９３０のうちの１つの中で送信され得、近くのＷｉＦｉデバイスに、第１の波形を送信した基地局が、特定の時間期間中に無認可スペクトルを介したチャネルアクセスを有することを示すように構成され得る。第２の波形スロット９３０のセットにより、ＵＥは、同じ事業者展開中の別のＵＥによって識別される第２の波形スロットに対してジグザグに配置された第２の波形スロットを識別することが可能になり得る。第２の波形スロット９３０のセット中の第２の波形のジグザグ配置により、近くのＷｉＦｉデバイスは、２つ以上のＵＥから受信された第２の波形をより良く区別し、復号することが可能になり得る。場合によっては、第２の波形は随意であり得る。
【０１００】
[0120]第３の波形は、第２の波形の直後におよび／またはＵＥ送信期間９３５中に送信され得る。第３の波形は、ＵＥへのデータ送信のためにｅＮＢに情報を与えるように構成され得る。データ送信は、Ｓ’サブフレーム９００のＯＦＤＭシンボル送信期間９４０中に、および／またはＳ’サブフレーム９００の後に行われ得る。ＯＦＤＭシンボル送信期間９４０は、約３５６マイクロ秒の持続時間を有し得る。
【０１０１】
[0121]図９Ｂに、波形送信のためのＳ’サブフレーム９５０の例示的な使用を示す。いくつかの例では、Ｓ’サブフレーム９５０は、図４、図６Ａ、図６Ｂ、および／または図９Ａを参照しながら説明したＳ’サブフレームの一例であり得る。Ｓ’サブフレーム９５０は、図９Ａに関して説明したように、サイレント期間９１０と、いくつかのｅＮＢ  ＣＣＡスロット９１５と、ｅＮＢ送信期間９２０と、ＵＥ  ＣＣＡスロット９２５と、いくつかの第２の波形スロット９３０と、ＵＥ送信期間９３５と、ＯＦＤＭシンボル送信期間９４０とを含み得る。
【０１０２】
[0122]図示の例では、ｅＮＢ  ＣＣＡは、最初の６つのｅＮＢ  ＣＣＡスロット９１５の各々の間に失敗し得る（または実行されないことがある）。７番目のｅＮＢ  ＣＣＡスロット中に、（ｅＮＢ  ＣＣＡスロットのうちの斜線が施されたスロットによって示す）ｅＮＢ  ＣＣＡが成功し得る。
【０１０３】
[0123]成功したｅＮＢ  ＣＣＡの後、成功したＣＣＡを実行したｅＮＢはそれぞれ、第１の波形９６０を送信し得る。第１の波形９６０は、それのそれぞれのｅＮＢが無認可スペクトルを介したチャネルアクセスを有する第１の時間期間と第２の時間期間とを示すように構成され得る。第１の時間期間は、ｅＮＢのカバレージエリア内の１つまたは複数のＵＥとのデータ送信をセットアップするためにｅＮＢによって使用され、ＵＥ自体のそれぞれのＣＣＡを実行するためにＵＥによって使用され得る。第２の時間期間は、データを送信および／または受信するためにｅＮＢおよび１つまたは複数のＵＥによって使用され得、たとえば、Ｓ’サブフレームの始めの、その中の、またはその後の指定された時間期間を含み得る。
【０１０４】
[0124]いくつかの例では、第１の波形９６０は、第１の構成要素（部分Ｗ１またはＰＷ１）９６５と第２の構成要素（Ｌ１）９７０とを含み得る。波形９６０の第１の構成要素９６５は、ヘッダまたはプリアンブルを含み、データフィールドを含まないことがある。第１の構成要素９６５は、ＷｉＦｉデバイスによって可読であり得、それにより、第１の構成要素９６５がデータフィールドを有しないことの結果として、所定の時間期間の間ｅＮＢによって予約された無認可スペクトルにアクセスすることを回避し得る。第１の構成要素９６５はまた、第１の波形９６０の第２の構成要素９７０を読み取るためのタイミングおよび周波数同期情報を取得するために、ＷｉＦｉ能力をもつセルラーデバイスまたはＵＥによって使用され得る。第２の構成要素９７０は、セルラーデバイスによって可読であり、それによって、ｅＮＢのカバレージエリア内のＵＥが、第２の時間期間のタイミングを決定することが可能になり得る。第１の波形９６０の第１の構成要素９６５および第２の構成要素９７０は、それぞれ、２０マイクロ秒および７１マイクロ秒のおおよその持続時間を有し得る。そのような場合、第１の波形９６０は、約９１マイクロ秒の持続時間を有し得る。
【０１０５】
[0125]場合によっては、第１の波形９６０の第１の構成要素９６５は、第１の波形９６０の第２の構成要素９７０の前に送信され得る。他の場合には、第１の波形９６０の第２の構成要素９７０は、第１の波形９６０の第１の構成要素９６５の前に送信され得る。第１の構成要素９６５および第２の構成要素９７０は、連続してまたは連続せずに送信され得る。
【０１０６】
[0126]ＵＥが受信モードから送信モードに遷移することを可能にするＳＩＦＳの後に、サービングｅＮＢから第１の波形を受信するＵＥは、ＵＥごとに無認可スペクトルの利用可能性を決定するために、それら自体のそれぞれのＣＣＡを実行し得る。ＵＥ  ＣＣＡは、ＵＥ  ＣＣＡスロット９２５中に実行され得る。
【０１０７】
[0127]無認可スペクトルがＵＥのために利用可能であるとＵＥが決定すると、ＵＥは、第２の波形（部分Ｗ２またはＰＷ２）９８０と第３の波形（Ｌ２）９８５とを送信し得る。第２の波形９８０は、第２の波形スロット９３０のうちの識別された１つの中で送信され得、近くのＷｉＦｉデバイスに、ｅＮＢが第２の時間期間中に無認可スペクトルを介したチャネルアクセスを有することを示すように構成され得る。場合によっては、第２の波形９８０は随意であり得る。第３の波形９８５は、ＵＥ送信期間９３５中に送信され得、第２の時間期間中のＵＥへのデータ送信のためにｅＮＢに情報を与えるように構成され得る。場合によっては、第３の波形９８５は、チャネル推定とチャネル同期との一方または両方のための基準シンボルを含み得る。第３の波形９８５はまた、たとえば、他のチャネルメトリック、スケジューリングメトリック、バッファステータス、電力制御情報、および／または他の情報を含み得る。第２の波形９８０および第３の波形９８５は、それぞれ、４４マイクロ秒および７１マイクロ秒のおおよその持続時間を有し得る。
【０１０８】
[0128]第２の波形９８０および／または第３の波形９８５は、場合によっては、ＵＥがそれのサービングｅＮＢから第１の波形９６０を受信するときにのみ送信され得る。ＵＥは、場合によっては、無認可スペクトルが利用不可能なときを理解するために１つまたは複数の他のｅＮＢから受信された第１の波形を復号し得る。
【０１０９】
[0129]場合によっては、第２の波形９８０は、第３の波形９８５の前に送信され得る。他の場合には、第３の波形９８５は、第２の波形９８０の前に送信され得る。第２の波形９８０および第３の波形９８５は、連続してまたは連続せずに送信され得る。
【０１１０】
[0130]ＵＥから第３の波形９８５を受信すると、ｅＮＢは、ＵＥに（およびそれが第３の波形を受信した他のＵＥに）データを送信し得る。場合によっては、データは、Ｓ’サブフレーム９５０のＯＦＤＭシンボル送信期間９４０中に、またはその中の始めに送信され得る。データは、無認可スペクトルを介して第２の時間期間中に送信され得る。場合によっては、データは、無認可スペクトルを介した同期波形とトレーニング波形との一方または両方の送信によって先行され得る。データ送信および／または同期波形および／またはトレーニング波形はまた、少なくとも２６マイクロ秒の持続時間であり得るＳＩＦＳ９９０によって先行され得る。
【０１１１】
[0131]図１０に、図６Ａ、図６Ｂ、図９Ａ、および／または図９Ｂを参照しながら説明した第１の波形送信および／または第２の波形送信に従ってｅＮＢによって送信される第１の波形の第１の構成要素（ＰＷ１）またはＵＥによって送信される第２の波形（ＰＷ２）の例示的なフォーマット１０００を示す。波形１０１０の例示的なフォーマット１０００は、物理レイヤ収束プロシージャ（ＰＬＣＰ）ヘッダ１０２０を含み、データフィールドを含まない。
【０１１２】
[0132]図１１Ａを参照すると、ブロック図１１００に、様々な例による、ワイヤレス通信において使用するためのデバイス１１０５を示す。いくつかの例では、デバイス１１０５は、図１、図２、図５、図６Ａ、および／または図６Ｂに関して説明した基地局１０５、２０５、５０５、および／または６０５の１つまたは複数の態様の一例であり得る。デバイス１１０５はまた、プロセッサであり得る。デバイス１１０５は、受信機モジュール１１１０、基地局無認可チャネルアクセスモジュール１１２０、および／または送信機モジュール１１３０を含み得る。これらの構成要素の各々は互いと通信していることがある。
【０１１３】
[0133]デバイス１１０５の構成要素は、ハードウェアにおいて適用可能な機能の一部または全部を実行するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１１４】
[0134]いくつかの例では、受信機モジュール１１１０は、認可スペクトル（たとえば、認可ＬＴＥスペクトル）および／または無認可スペクトル（たとえば、ＷｉＦｉ、Ｂｌｕｅｔｏｏｔｈ、または他の無認可スペクトルによって従来使用されるスペクトル）における送信を受信するように動作可能な無線周波数（ＲＦ）受信機などのＲＦ受信機であるか、またはそれを含み得る。受信機モジュール１１１０は、図１、図２、および／または図５を参照しながら説明したワイヤレス通信システム１００、２００、および／または５００の１つもしくは複数の通信リンク、および／または図６Ａおよび／または図６Ｂを参照しながら説明したタイミング図６００および／または６６０のうちの１つまたは複数中に確立される通信リンクのうちの１つもしくは複数など、認可スペクトルおよび無認可スペクトルを含むワイヤレス通信システムの１つまたは複数の通信リンクを介して様々なタイプのデータおよび／または制御信号（すなわち、送信）を受信するために使用され得る。
【０１１５】
[0135]いくつかの例では、送信機モジュール１１３０は、認可スペクトルおよび／または無認可スペクトルにおいて送信するように動作可能なＲＦ送信機などのＲＦ送信機であるか、またはそれを含み得る。送信機モジュール１１３０は、図１、図２、および／または図５を参照しながら説明したワイヤレス通信システム１００、２００、および／または５００の１つもしくは複数の通信リンク、および／もしくは図６Ａおよび／または図６Ｂを参照しながら説明したタイミング図６００および／または６６０のうちの１つまたは複数中に確立される通信リンクのうちの１つもしくは複数など、ワイヤレス通信システムの１つまたは複数の通信リンクを介して様々なタイプのデータおよび／または制御信号（すなわち、送信）を送信するために使用され得る。
【０１１６】
[0136]いくつかの例では、基地局無認可チャネルアクセスモジュール１１２０は、無認可スペクトルの利用可能性を決定するためにＣＣＡを実行し得る。無認可スペクトルが利用可能であるという決定が行われると、モジュール１１２０は、無認可スペクトルを介してＵＥのセットに第１の波形（たとえば、Ｗ１＋Ｌ１、ＰＷ１＋Ｌ１）を送信し得る。ＵＥのセットは、デバイス１１０５のカバレージエリア内のすべてのＵＥまたはデバイス１１０５のカバレージエリア内のＵＥの指定されたサブセットを含み得る。第１の波形は、デバイス１１０５が無認可スペクトルを介したチャネルアクセスを有する第１の時間期間と第２の時間期間とを示すように構成され得る。第１の波形に応答して、モジュール１１２０は、第１の波形が送信されたＵＥのセットのうちの１つまたは複数から第２の波形（たとえば、Ｌ２）を受信し得る。各第２の波形は、第１の時間期間中に無認可スペクトルを介して受信され得、第２の時間期間中にデバイス１１０５からデータを受信するために、それぞれのＵＥが無認可スペクトルを介したチャネルアクセスを有することを示すように構成され得る。
【０１１７】
[0137]１つまたは複数のＵＥから第２の波形を受信した後に、デバイス１１０５は、第２の時間期間中に無認可スペクトルを介して１つまたは複数のＵＥにデータを送信し得る。場合によっては、同期波形とトレーニング波形との一方または両方は、第２の時間期間中に送信され得る。
【０１１８】
[0138]いくつかの例では、デバイス１１０５は、第１の事業者展開のｅＮＢであり得、第１の事業者展開の１つまたは複数の他のｅＮＢと同期され得る。代替または追加として、第１の事業者展開は、１つまたは複数の追加の事業者展開と（たとえば、第２の事業者展開と）同期され得る。
【０１１９】
[0139]図１１Ｂを参照すると、ブロック図１１５０に、様々な例による、ワイヤレス通信において使用するためのデバイス１１５５を示す。いくつかの例では、デバイス１１５５は、図１１Ａに関して説明したデバイス１１０５の一例であり得る。デバイス１１５５はまた、プロセッサであり得る。デバイス１１５５は、受信機モジュール１１１２、基地局無認可チャネルアクセスモジュール１１６０、および／または送信機モジュール１１３２を含み得る。これらの構成要素の各々は互いと通信していることがある。
【０１２０】
[0140]デバイス１１５５の構成要素は、ハードウェアにおいて適用可能な機能の一部または全部を実行するように適応された１つまたは複数のＡＳＩＣとともに、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１２１】
[0141]いくつかの例では、受信機モジュール１１１２は、認可スペクトル（たとえば、認可ＬＴＥスペクトル）および／または無認可スペクトル（たとえば、ＷｉＦｉ、Ｂｌｕｅｔｏｏｔｈ、または他の無認可スペクトルによって従来使用されるスペクトル）における送信を受信するように動作可能な無線周波数（ＲＦ）受信機などのＲＦ受信機であるか、またはそれを含み得る。ＲＦ受信機は、認可スペクトルおよび無認可スペクトルのための別個の受信機を含み得る。別個の受信機は、場合によっては、認可スペクトルモジュール１１１４および無認可スペクトルモジュール１１１６の形態をとり得る。認可スペクトルモジュール１１１４と無認可スペクトルモジュール１１１６とを含む受信機モジュール１１１２は、図１、図２、および／または図５を参照しながら説明したワイヤレス通信システム１００、２００、および／または５００の１つもしくは複数の通信リンク、および／または図６Ａおよび／または図６Ｂを参照しながら説明したタイミング図６００および／または６６０のうちの１つまたは複数中に確立される通信リンクのうちの１つもしくは複数など、認可スペクトルおよび無認可スペクトルを含むワイヤレス通信システムの１つまたは複数の通信リンクを介して様々なタイプのデータおよび／または制御信号（すなわち、送信）を受信するために使用され得る。
【０１２２】
[0142]いくつかの例では、送信機モジュール１１３２は、認可スペクトルおよび／または無認可スペクトルにおいて送信するように動作可能なＲＦ送信機などのＲＦ送信機であるか、またはそれを含み得る。ＲＦ送信機は、認可スペクトルおよび無認可スペクトルのための別個の送信機を含み得る。別個の送信機は、場合によっては、認可スペクトルモジュール１１３４および無認可スペクトルモジュール１１３６の形態をとり得る。送信機モジュール１１３２は、図１、図２、および／または図５を参照しながら説明したワイヤレス通信システム１００、２００、および／または５００の１つもしくは複数の通信リンク、および／または図６Ａおよび／または図６Ｂを参照しながら説明したタイミング図６００および／または６６０のうちの１つまたは複数中に確立される通信リンクのうちの１つもしくは複数など、ワイヤレス通信システムの１つまたは複数の通信リンクを介して様々なタイプのデータおよび／または制御信号（すなわち、送信）を送信するために使用され得る。
【０１２３】
[0143]基地局無認可チャネルアクセスモジュール１１６０は、図１１Ａを参照しながら説明した基地局無認可チャネルアクセスモジュール１１６０の一例であり得、ＣＣＡモジュール１１６５、ＷｉＦｉ可読波形モジュール１１７０、ＬＴＥ波形モジュール１１７５、および／または波形タイミングモジュール１１８０を含み得る。これらの構成要素の各々は互いと通信していることがある。
【０１２４】
[0144]いくつかの例では、ＣＣＡモジュール１１６５は、無認可スペクトルの利用可能性を決定するためにＣＣＡを実行し得る。場合によっては、ＣＣＡモジュール１１６５は、サブフレーム中でＣＣＡスロットのセットのうちの１つを擬似ランダムに選択し、選択されたＣＣＡスロット中にＣＣＡを実行し得る。
【０１２５】
[0145]無認可スペクトルが利用可能であるという決定が行われると、基地局無認可チャネルアクセスモジュール１１６０は、無認可スペクトルを介してＵＥのセットに第１の波形（たとえば、Ｗ１＋Ｌ１、ＰＷ１＋Ｌ１）を送信し得る。ＵＥのセットは、デバイス１１５５のカバレージエリア内のすべてのＵＥまたはデバイス１１５５のカバレージエリア内のＵＥの指定されたサブセットを含み得る。第１の波形は、デバイス１１５５が無認可スペクトルを介したチャネルアクセスを有する第１の時間期間と第２の時間期間とを示すように構成され得る。第１の時間期間は、１つまたは複数のＵＥとのデータ送信をセットアップするためにデバイス１１５５によって使用され、ＵＥ自体のそれぞれのＣＣＡを実行するためにＵＥによって使用され得る。第２の時間期間は、データを送信および／または受信するために、デバイス１１５５および１つまたは複数のＵＥによって使用され得る。第１の波形は、場合によっては、ＷｉＦｉ可読波形モジュール１１７０、ＬＴＥ波形モジュール１１７５、および／または波形タイミングモジュール１１８０によって生成され得る。
【０１２６】
[0146]いくつかの例では、第１の波形は、第１の構成要素（たとえば、Ｗ１、ＰＷ１）と第２の構成要素（たとえば、Ｌ１）とを含み得る。波形の第１の構成要素は、ＷｉＦｉ可読波形モジュール１１７０に少なくとも部分的によって生成され、デバイス１１５５が無認可スペクトルを介したチャネルアクセスを有する第１の時間期間を示すように構成され得る。第１の構成要素は、ＷｉＦｉデバイスによって可読であり、それによって、デバイス１１５５のカバレージエリア内のＷｉＦｉデバイスが、第１の時間期間のタイミングを決定し、第１の時間期間中に無認可スペクトルにアクセスするのを回避することが可能になり得る。場合によっては、第１の構成要素は、ＰＬＣＰヘッダとＷｉＦｉ可読データフィールド（たとえば、Ｗ１）とを含み得る。他の場合には、第１の構成要素は、ＰＬＣＰヘッダを含むが、ＷｉＦｉ可読データフィールド（たとえば、ＰＷ１）を含まないことがある。
【０１２７】
[0147]波形の第２の構成要素は、ＬＴＥ波形モジュール１１７５に少なくとも部分的によって生成され、デバイス１１５５が無認可スペクトルを介したチャネルアクセスを有する第２の時間期間を示すように構成され得る。第２の構成要素は、無認可スペクトルを介したＬＴＥ／ＬＴＥ−Ａに適合するＵＥなどのセルラーデバイスによって可読であり、それによって、デバイス１１５５のカバレージエリア内のＵＥが、第２の時間期間のタイミングを決定することが可能になり得る。ＵＥは、次いで、ＵＥのための無認可スペクトルの利用可能性を決定するためにＣＣＡを実行し得、無認可スペクトルがＵＥのために利用可能であるという決定が行われると、ＵＥは、近くのＷｉＦｉデバイスに、デバイス１１５５が第２の時間期間中にチャネルアクセスを有することを示すように構成された波形を送信し得る。場合によっては、第２の構成要素は、サイクリックプレフィックスとＯＦＤＭシンボルとを含み得る。他の場合には、第２の構成要素は、サイクリックプレフィックスを含み得るが、ＯＦＤＭシンボルを含まないことがある。
【０１２８】
[0148]波形タイミングモジュール１１８０は、第１の波形の第１の構成要素および第２の構成要素のタイミングを指定し得る。場合によっては、波形タイミングモジュール１１８０は、第１の構成要素が第２の構成要素の前に送信されるようなタイミングを指定し得る。他の場合には、波形タイミングモジュール１１８０は、第２の構成要素が第１の構成要素の前に送信されるようなタイミングを指定し得る。波形タイミングモジュール１１８０はまた、第１の構成要素および第２の構成要素が連続しているのか、または連続していないのかを指定し得る。
【０１２９】
[0149]場合によっては、ＣＣＡモジュール１１６５は、特定のサブフレーム中にＣＣＡを実行し得、第１の時間期間は、デバイス１１５５が、サブフレームの終了まで、または次のサブフレーム中のある時間まで、無認可スペクトルを介したチャネルアクセスを有することを示し得る。代替または追加として、第２の時間期間は、デバイス１１５５が、サブフレームの後、または次のサブフレーム中のある時間の後、または２つ以上の後のフレームの後の指定された時間期間の間、無認可スペクトルを介したチャネルアクセスを有することを示し得る。
【０１３０】
[0150]第１の波形に応答して、ＬＴＥ波形モジュール１１７５は、第１の波形が送信されたＵＥのセットのうちの１つまたは複数から第２の波形（たとえば、Ｌ２）を受信し得る。各第２の波形は、第１の時間期間中に無認可スペクトルを介して受信され得、第２の時間期間中にデバイス１１５５からデータを受信するために、それぞれのＵＥが無認可スペクトルを介したチャネルアクセスを有することを示すように構成され得る。
【０１３１】
[0151]１つまたは複数のＵＥから第２の波形を受信した後に、デバイス１１５５は、第２の時間期間中に無認可スペクトルを介して１つまたは複数のＵＥにデータを送信し得る。場合によっては、同期波形とトレーニング波形との一方または両方は、第２の時間期間中に送信され得る。
【０１３２】
[0152]いくつかの例では、デバイス１１５５は、第１の事業者展開の基地局であり得、第１の事業者展開の１つまたは複数の他の基地局と同期され得る。代替または追加として、第１の事業者展開は、１つまたは複数の追加の事業者展開と（たとえば、第２の事業者展開と）同期され得る。場合によっては、ＣＣＡモジュール１１６５によって選択されたＣＣＡスロットは、第１の事業者展開中の基地局によって共有され、第２の事業者展開中の基地局のための選択されたＣＣＡスロットとは異なり得る。場合によっては、第１の波形の同じ第１の構成要素（たとえば、Ｗ１、ＰＷ１）が、第１の事業者展開中の各基地局によって使用され得る。たとえば、第１の事業者展開中の各基地局は、同時に同じ波形を送信することによって第１の波形の第１の構成要素を送信し得る。場合によっては、第１の事業者展開中の基地局によって使用される第１の波形の第１の構成要素（たとえば、Ｗ１、ＰＷ１）は、第２の事業者展開中の基地局によって使用される第１の波形の第１の構成要素とは異なり得る。場合によっては、第１の波形の異なる第２の構成要素（たとえば、Ｌ１）が、第１の事業者展開中の各基地局によって使用され得る。
【０１３３】
[0153]図１２Ａを参照すると、ブロック図１２００は、様々な実施形態によるワイヤレス通信に使用するためのデバイス１２１５を示す。いくつかの例では、デバイス１２１５は、図１、図２、図５、図６Ａ、および／または図６Ｂに関して説明したＵＥ１１５、２１５、５１５、および／または６１５の１つまたは複数の態様の一例であり得る。デバイス１２１５はまた、プロセッサであり得る。デバイス１２１５は、受信機モジュール１２１０、ＵＥ無認可チャネルアクセスモジュール１２２０、および／または送信機モジュール１２３０を含み得る。これらの構成要素の各々は互いと通信していることがある。
【０１３４】
[0154]デバイス１２１５の構成要素は、ハードウェアにおいて適用可能な機能の一部または全部を実行するように適応された１つまたは複数のＡＳＩＣとともに、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１３５】
[0155]いくつかの例では、受信機モジュール１２１０は、認可スペクトル（たとえば、認可ＬＴＥスペクトル）および／または無認可スペクトル（たとえば、ＷｉＦｉ、Ｂｌｕｅｔｏｏｔｈ、または他の無認可スペクトルによって従来使用されるスペクトル）における送信を受信するように動作可能な無線周波数（ＲＦ）受信機などのＲＦ受信機であるか、またはそれを含み得る。受信機モジュール１２１０は、図１、図２、および／または図５を参照しながら説明したワイヤレス通信システム１００、２００、および／または５００の１つもしくは複数の通信リンク、および／または図６Ａおよび／または図６Ｂを参照しながら説明したタイミング図６００および／または６６０のうちの１つまたは複数中に確立される通信リンクのうちの１つもしくは複数など、認可スペクトルおよび無認可スペクトルを含むワイヤレス通信システムの１つまたは複数の通信リンクを介して様々なタイプのデータおよび／または制御信号（すなわち、送信）を受信するために使用され得る。
【０１３６】
[0156]いくつかの例では、送信機モジュール１２３０は、認可スペクトルおよび／または無認可スペクトルにおいて送信するように動作可能なＲＦ送信機などのＲＦ送信機であるか、またはそれを含み得る。送信機モジュール１２３０は、図１、図２、および／または図５を参照しながら説明したワイヤレス通信システム１００、２００、および／または５００の１つもしくは複数の通信リンク、および／または図６Ａおよび／または図６Ｂを参照しながら説明したタイミング図６００および／または６６０のうちの１つまたは複数中に確立される通信リンクのうちの１つもしくは複数など、ワイヤレス通信システムの１つまたは複数の通信リンクを介して様々なタイプのデータおよび／または制御信号（すなわち、送信）を送信するために使用され得る。
【０１３７】
[0157]いくつかの例では、ＵＥ無認可チャネルアクセスモジュール１２２０は、基地局から第１の波形（たとえば、Ｗ１＋Ｌ１、ＰＷ１＋Ｌ１）を受信し得る。第１の波形は、基地局が無認可スペクトルを介したチャネルアクセスを有する第１の時間期間と第２の時間期間とを示すように構成され得る。第１の波形に応答して、モジュール１２２０は、ＵＥのための無認可スペクトルの利用可能性を決定するためにＣＣＡを実行し得る。無認可スペクトルが利用可能であるという決定が行われると、モジュール１２２０は、無認可スペクトルを介して第２の波形（たとえば、Ｗ２、ＰＷ２）と第３の波形（たとえば、Ｌ２）とを送信し得る。第２の波形は、近くのＷｉＦｉデバイスに、基地局が第２の時間期間中に無認可スペクトルを介したチャネルアクセスを有することを示すように構成され得る。第３の波形は、第２の時間期間中のデバイス１２１５へのデータ送信のために基地局に情報を与えるように構成され得る。
【０１３８】
[0158]いくつかの例では、基地局は、第１の事業者展開の基地局であり得、第１の事業者展開の１つまたは複数の他の基地局と同期され得る。代替または追加として、第１の事業者展開は、１つまたは複数の追加の事業者展開と（たとえば、第２の事業者展開と）同期され得る。
【０１３９】
[0159]図１２Ｂを参照すると、ブロック図１２５０は、様々な実施形態によるワイヤレス通信に使用するためのデバイス１２５５を示す。いくつかの例では、デバイス１２５５は、図１２Ａに関して説明したデバイス１２１５の一例であり得る。デバイス１２５５はまた、プロセッサであり得る。デバイス１２５５は、受信機モジュール１２１２、ＵＥ無認可チャネルアクセスモジュール１２６０、および／または送信機モジュール１２３２を含み得る。これらの構成要素の各々は互いと通信していることがある。
【０１４０】
[0160]デバイス１２５５の構成要素は、ハードウェアにおいて適用可能な機能の一部または全部を実行するように適応された１つまたは複数のＡＳＩＣとともに、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１４１】
[0161]いくつかの例では、受信機モジュール１２１２は、認可スペクトル（たとえば、認可ＬＴＥスペクトル）および／または無認可スペクトル（たとえば、ＷｉＦｉ、Ｂｌｕｅｔｏｏｔｈ、または他の無認可スペクトルによって従来使用されるスペクトル）における送信を受信するように動作可能な無線周波数（ＲＦ）受信機などのＲＦ受信機であるか、またはそれを含み得る。ＲＦ受信機は、認可スペクトルおよび無認可スペクトルのための別個の受信機を含み得る。別個の受信機は、場合によっては、認可スペクトルモジュール１２１４および無認可スペクトルモジュール１２１６の形態をとり得る。認可スペクトルモジュール１２１４と無認可スペクトルモジュール１２１６とを含む受信機モジュール１２１２は、図１、図２、および／または図５を参照しながら説明したワイヤレス通信システム１００、２００、および／または５００の１つもしくは複数の通信リンク、および／または図６Ａおよび／または図６Ｂを参照しながら説明したタイミング図６００および／または６６０のうちの１つまたは複数中に確立される通信リンクのうちの１つもしくは複数など、認可スペクトルおよび無認可スペクトルを含むワイヤレス通信システムの１つまたは複数の通信リンクを介して様々なタイプのデータおよび／または制御信号（すなわち、送信）を受信するために使用され得る。
【０１４２】
[0162]いくつかの例では、送信機モジュール１２３２は、認可スペクトルおよび／または無認可スペクトルにおいて送信するように動作可能なＲＦ送信機などのＲＦ送信機であるか、またはそれを含み得る。ＲＦ送信機は、認可スペクトルおよび無認可スペクトルのための別個の送信機を含み得る。別個の送信機は、場合によっては、認可スペクトルモジュール１２３４および無認可スペクトルモジュール１２３６の形態をとり得る。送信機モジュール１２３２は、図１、図２、および／または図５を参照しながら説明したワイヤレス通信システム１００、２００、および／または５００の１つもしくは複数の通信リンク、および／または図６Ａおよび／または図６Ｂを参照しながら説明したタイミング図６００および／または６６０のうちの１つまたは複数中に確立される通信リンクのうちの１つもしくは複数など、ワイヤレス通信システムの１つまたは複数の通信リンクを介して様々なタイプのデータおよび／または制御信号（すなわち、送信）を送信するために使用され得る。
【０１４３】
[0163]ＵＥ無認可チャネルアクセスモジュール１２６０は、図１２Ａを参照しながら説明したＵＥ無認可チャネルアクセスモジュール１２２０の一例であり得、ＣＣＡモジュール１２６５、ＷｉＦｉ可読波形モジュール１２７０、ＬＴＥ波形モジュール１２７５、および／または波形タイミングモジュール１２８０を含み得る。これらの構成要素の各々は互いと通信していることがある。
【０１４４】
[0164]いくつかの例では、ＵＥ無認可チャネルアクセスモジュール１２６０は、基地局から第１の波形（たとえば、Ｗ１＋Ｌ１、ＰＷ１＋Ｌ１）を受信し得る。第１の波形は、基地局が無認可スペクトルを介したチャネルアクセスを有する第１の時間期間と第２の時間期間とを示すように構成され得る。第１の時間期間は、基地局とのデータ送信をセットアップするために、およびＣＣＡを実行するためにデバイス１２５５によって使用され得る。第２の時間期間は、データを送信および／または受信するために、ｅＮＢおよびデバイス１２５５によって使用され得る。
【０１４５】
[0165]いくつかの例では、第１の波形は、第１の構成要素（たとえば、Ｗ１、ＰＷ１）と第２の構成要素（たとえば、Ｌ１）とを含み得る。第１の構成要素および第２の構成要素は、連続しているか、または連続しておらず、第１の構成要素または第２の構成要素のいずれかが最初に送信され得る。波形の第１の構成要素は、基地局が無認可スペクトルを介したチャネルアクセスを有する第１の時間期間を示すように構成され得る。第１の構成要素は、ＷｉＦｉデバイスによって可読であり、それによって、基地局のカバレージエリア内のＷｉＦｉデバイスが、第１の時間期間のタイミングを決定し、第１の時間期間中に無認可スペクトルにアクセスするのを回避することが可能になり得る。波形の第２の構成要素は、基地局が無認可スペクトルを介したチャネルアクセスを有する第２の時間期間を示すように構成され得る。第２の構成要素は、デバイス１２５５などのセルラーデバイスによって可読であり、それによって、デバイス１２５５が、第２の時間期間のタイミングを決定することが可能になり得る。場合によっては、ＬＴＥ波形モジュール１２７５は、第２の時間期間を識別するために、第１の波形の第２の構成要素を復号し得る。
【０１４６】
[0166]第１の波形に応答して、ＣＣＡモジュール１２６５は、デバイス１２５５のための無認可スペクトルの利用可能性を決定するためにＣＣＡを実行し得る。
【０１４７】
[0167]無認可スペクトルが利用可能であるという決定が行われると、ＵＥ無認可チャネルアクセスモジュール１２６０は、無認可スペクトルを介して第２の波形（たとえば、Ｗ２、ＰＷ２）と第３の波形（たとえば、Ｌ２）とを送信し得る。第２の波形は、場合によっては、ＷｉＦｉ可読波形モジュール１２７０および／または波形タイミングモジュール１２８０によって生成され得、近くのＷｉＦｉデバイスに、基地局が第２の時間期間中に無認可スペクトルを介したチャネルアクセスを有することを示すように構成され得る。場合によっては、第２の波形は随意であり得る。第３の波形は、場合によっては、ＬＴＥ波形モジュール１２７５および／または波形タイミングモジュール１２８０によって生成され得、第２の時間期間中のデバイス１２５５へのデータ送信のために基地局に情報を与えるように構成され得る。場合によっては、第３の波形は、チャネル推定とチャネル同期との一方または両方のための基準シンボルを含み得る。
【０１４８】
[0168]波形タイミングモジュール１２８０は、第２の波形および第３の波形のタイミングを指定し得る。場合によっては、波形タイミングモジュール１２８０は、第２の波形が第３の波形の前に送信されるようなタイミングを指定し得る。他の場合には、波形タイミングモジュール１２８０は、第３の波形が第２の波形の前に送信されるようなタイミングを指定し得る。波形タイミングモジュール１２８０はまた、第２の波形および第３の波形が連続しているのか、または連続していないのかを指定し得る。
【０１４９】
[0169]場合によっては、波形タイミングモジュール１２８０は、ジグザグ配置モジュール１２８５を含み得る。ジグザグ配置モジュール１２８５は、第１の時間期間中に第２の波形スロットのセットのうちの１つを識別し、ＵＥ無認可チャネルアクセスモジュール１２６０に、識別された第２の波形スロット中に第２の波形を送信させ得る。第２の波形スロットのセットにより、同じ事業者展開中の別のＵＥは、デバイス１２５５によって識別される第２の波形スロットに対してジグザグに配置された第２の波形スロットを識別することが可能になり得る。第２の波形スロットのセットのジグザグ配置により、近くのＷｉＦｉデバイスは、２つ以上のＵＥから受信された第２の波形をより良く区別し、復号することが可能になり得る。
【０１５０】
[0170]場合によっては、ＣＣＡモジュール１２６５は、特定のサブフレーム中にＣＣＡを実行し得、第１の時間期間は、第１の波形を送信した基地局が、サブフレームの終了まで、または次のサブフレーム中のある時間まで、または２つ以上の後のフレームの後に無認可スペクトルを介したチャネルアクセスを有することを示し得る。代替または追加として、第２の時間期間は、局が、サブフレームの後、または次のサブフレーム中のある時間の後の指定された時間期間の間、無認可スペクトルを介したチャネルアクセスを有することを示し得る。
【０１５１】
[0171]いくつかの例では、第１の波形を送信した基地局は、第１の事業者展開の基地局であり得、第１の事業者展開の１つまたは複数の他の基地局と同期され得る。代替または追加として、第１の事業者展開は、１つまたは複数の追加の事業者展開と（たとえば、第２の事業者展開と）同期され得る。場合によっては、第１の波形の同じ第１の構成要素が、第１の事業者展開中の各基地局によって使用され得る。たとえば、第１の事業者展開中の各基地局は、同時に同じ波形を送信することによって第１の波形の第１の構成要素を送信し得る。場合によっては、第１の事業者展開中の基地局によって使用される第１の波形の第１の構成要素は、第２の事業者展開中の基地局によって使用される第１の波形の第１の構成要素とは異なり得る。場合によっては、第１の波形の異なる第２の構成要素が、第１の事業者展開中の各基地局によって使用され得る。
【０１５２】
[0172]図１３を参照すると、無認可スペクトルを介したＬＴＥ／ＬＴＥ−Ａ通信のために構成された基地局またはｅＮＢ１３０５を示すブロック図１３００が示されている。いくつかの例では、ｅＮＢ１３０５は、図１、図２、図５、図６Ａ、図６Ｂ、図１１Ａ、および／または図１１Ｂに関して説明した基地局１０５、２０５、５０５、６０５、１１０５、および／もしくは１１５５またはデバイスの１つまたは複数の態様の一例であり得る。ｅＮＢ１３０５は、図１〜図５、図６Ａ、図６Ｂ、図７Ａ、図７Ｂ、図７Ｃ、図９Ａ、図９Ｂ、図１１Ａ、および／または図１１Ｂに関して上記で説明したｅＮＢチャネルアクセス特徴および機能のうちの少なくともいくつかを実装するように構成され得る。ｅＮＢ１３０５は、プロセッサモジュール１３３０と、メモリモジュール１３１０と、（トランシーバモジュール１３５５によって表される）少なくとも１つのトランシーバモジュールと、（アンテナ１３６０によって表される）少なくとも１つのアンテナと、基地局無線アクセス技術（ＲＡＴ：radio access technology）モジュール１３７０とを含み得る。ｅＮＢ１３０５はまた、基地局通信モジュール１３２５とネットワーク通信モジュール１３４０との一方または両方を含み得る。これらの構成要素の各々は、１つまたは複数のバス１３３５を介して直接または間接的に互いと通信していることがある。
【０１５３】
[0173]メモリモジュール１３１０は、ランダムアクセスメモリ（ＲＡＭ）と読取り専用メモリ（ＲＯＭ）とを含み得る。メモリモジュール１３１０はまた、実行されたとき、プロセッサモジュール１３３０に、キャリアアグリゲーション動作モードで認可スペクトルおよび／または無認可スペクトルを使用するアップリンク送信に関係する様々な態様を含む、認可スペクトルおよび／または無認可スペクトルにおいてＬＴＥベースの通信を使用するための本明細書で説明する様々な機能を実行することを行わせるように構成された命令を含んでいるコンピュータ可読、コンピュータ実行可能ソフトウェア（ＳＷ）コード１３２０を記憶し得る。代替的に、ソフトウェアコード１３２０は、プロセッサモジュール１３３０によって直接実行可能でないことがあるが、たとえば、コンパイルされ実行されたとき、ｅＮＢ１３０５に、本明細書で説明する様々な機能を実行させるように構成され得る。
【０１５４】
[0174]プロセッサモジュール１３３０は、インテリジェントハードウェアデバイス、たとえば、中央処理ユニット（ＣＰＵ）、マイクロコントローラ、ＡＳＩＣなどを含み得る。プロセッサモジュール１３３０は、トランシーバモジュール１３５５、基地局通信モジュール１３２５、および／またはネットワーク通信モジュール１３４０を介して受信された情報を処理し得る。プロセッサモジュール１３３０はまた、図１を参照しながら説明したコアネットワーク１３０の態様の一例であり得る、アンテナ１３６０を介した送信のためのトランシーバモジュール１３５５に、１つまたは複数の他の基地局またはｅＮＢ１３０５−ａおよび１３０５−ｂへの送信のための基地局通信モジュール１３２５に、ならびに／またはコアネットワーク１３４５への送信のためのネットワーク通信モジュール１３４０に送られるべき情報を処理し得る。プロセッサモジュール１３３０は、単独でまたは基地局ＲＡＴモジュール１３７０とともに、キャリアアグリゲーション動作モードで認可スペクトルおよび／または無認可スペクトルを使用するアップリンク送信に関係する様々な態様を含む、認可スペクトルおよび／または無認可スペクトルにおいてＬＴＥベースの通信を使用する様々な態様を処理し得る。
【０１５５】
[0175]トランシーバモジュール１３５５は、パケットを変調し、変調されたパケットを送信のためにアンテナ１３６０に与え、アンテナ１３６０から受信されたパケットを復調するように構成されたモデムを含み得る。トランシーバモジュール１３５５は、１つまたは複数の送信機モジュールおよび１つまたは複数の別個の受信機モジュールとして実装され得る。トランシーバモジュール１３５５は、少なくとも１つの認可スペクトル（たとえば、認可ＬＴＥスペクトル）における通信と、少なくとも１つの無認可スペクトル（たとえば、ＷｉＦｉ、Ｂｌｕｅｔｏｏｔｈ、または他の無認可スペクトルによって従来使用されるスペクトル）における通信とをサポートし得る。トランシーバモジュール１３５５は、たとえば、図１、図２、図５、図６Ａ、図６Ｂ、図１２Ａ、および／または図１２Ｂを参照しながら説明したＵＥ１１５、２１５、５１５、６１５、１２１５、および／もしくは１２５５またはデバイスのうちの１つまたは複数と、アンテナ１３６０を介して、双方向に通信するように構成され得る。ｅＮＢ１３０５は、一般に、複数のアンテナ１３６０（たとえば、アンテナアレイ）を含み得る。ｅＮＢ１３０５は、ネットワーク通信モジュール１３４０を通してコアネットワーク１３４５と通信し得る。ｅＮＢ１３０５は、基地局通信モジュール１３２５を使用して、ｅＮＢ１３０５−ａおよび１３０５−ｂなどの他の基地局またはｅＮＢと通信し得る。
【０１５６】
[0176]図１３のアーキテクチャによれば、ｅＮＢ１３０５は通信管理モジュール１３５０をさらに含み得る。通信管理モジュール１３５０は、他の基地局および／またはデバイスとの通信を管理し得る。通信管理モジュール１３５０は、バス１３３５を介してｅＮＢ１３０５の他の構成要素の一部または全部と通信し得る。代替として、通信管理モジュール１３５０の機能は、トランシーバモジュール１３５５の構成要素として、コンピュータプログラム製品として、および／またはプロセッサモジュール１３３０の１つもしくは複数のコントローラ要素として実装され得る。
【０１５７】
[0177]基地局ＲＡＴモジュール１３７０は、認可スペクトルおよび／または無認可スペクトルにおいてＬＴＥベースの通信を使用することに関係して図１〜図５、図６Ａ、図６Ｂ、図７Ａ、図７Ｂ、図７Ｃ、図９Ａ、図９Ｂ、図１１Ａ、および／または図１１Ｂを参照しながら説明したｅＮＢ機能または態様の一部または全部を実行および／または制御するように構成され得る。たとえば、基地局ＲＡＴモジュール１３７０は、補足ダウンリンクモード、キャリアアグリゲーションモード、および／またはスタンドアロンモードをサポートするように構成され得る。基地局ＲＡＴモジュール１３７０は、ＬＴＥ通信を処理するように構成されたＬＴＥモジュール１３７５と、無認可スペクトルにおいてＬＴＥ通信を処理するように構成されたＬＴＥ無認可モジュール１３８０と、無認可スペクトルにおいてＬＴＥ以外の通信を処理するように構成された非ＬＴＥ無認可モジュール１３８５とを含み得る。基地局ＲＡＴモジュール１３７０はまた、たとえば、図１〜図５、図６Ａ、図６Ｂ、図７Ａ、図７Ｂ、図７Ｃ、図９Ａ、図９Ｂ、図１１Ａ、および／または図１１Ｂを参照しながら説明したｅＮＢチャネルアクセス機能のいずれかを実行するように構成された基地局無認可チャネルアクセスモジュール１３９０を含み得る。基地局無認可チャネルアクセスモジュール１３９０は、図１１Ａおよび／または図１１Ｂを参照しながら説明した同様のモジュール（たとえば、モジュール１１２０および／またはモジュール１１６０）の一例であり得る。基地局ＲＡＴモジュール１３７０またはそれの部分は、プロセッサを含み得、および／または基地局ＲＡＴモジュール１３７０の機能の一部または全部は、プロセッサモジュール１３３０によっておよび／またはプロセッサモジュール１３３０に関連して実行され得る。
【０１５８】
[0178]図１４を参照すると、無認可スペクトルを介したＬＴＥ／ＬＴＥ−Ａのために構成されたＵＥ１４１５を示すブロック図１４００が示されている。ＵＥ１４１５は、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれるか、またはその一部であり得る。ＵＥ１４１５は、モバイル動作を可能にするために、小型バッテリーなどの内部電源（図示せず）を有し得る。いくつかの例では、ＵＥ１４１５は、図１、図２、図５、図６Ａ、図６Ｂ、図１２Ａ、および／または図１２Ｂに関して説明したＵＥ１１５、２１５、５１５、６１５、１２１５、および／もしくは１２５５またはデバイスのうちの１つまたは複数の一例であり得る。ＵＥ１４１５は、図１〜図５、図６Ａ、図６Ｂ、図７Ａ、図７Ｂ、図７Ｃ、図９Ａ、図９Ｂ、図１２Ａ、および／または図１２Ｂに関して上記で説明したＵＥチャネルアクセス特徴および機能のうちの少なくともいくつかを実装するように構成され得る。
【０１５９】
[0179]ＵＥ１４１５は、プロセッサモジュール１４０５と、メモリモジュール１４１０と、（トランシーバモジュール１４７０によって表される）少なくとも１つのトランシーバモジュールと、（アンテナ１４８０によって表される）少なくとも１つのアンテナと、ＵＥ  ＲＡＴモジュール１４４０とを含み得る。これらの構成要素の各々は、１つまたは複数のバス１４３５を介して直接または間接的に互いと通信していることがある。
【０１６０】
[0180]メモリモジュール１４１０は、ＲＡＭとＲＯＭとを含み得る。メモリモジュール１４１０は、実行されたとき、プロセッサモジュール１４０５に、キャリアアグリゲーション動作モードで認可スペクトルおよび／または無認可スペクトルを使用するアップリンク送信に関係する様々な態様を含む、認可スペクトルおよび／または無認可スペクトルにおいてＬＴＥベースの通信を使用するための本明細書で説明する様々な機能を実行することを行わせるように構成された命令を含んでいるコンピュータ可読、コンピュータ実行可能ソフトウェア（ＳＷ）コード１４２０を記憶し得る。代替的に、ソフトウェアコード１４２０は、プロセッサモジュール１４０５によって直接実行可能でないことがあるが、（たとえば、コンパイルされ実行されたとき）ＵＥ１４１５に、本明細書で説明する様々な機能を実行させるように構成され得る。
【０１６１】
[0181]プロセッサモジュール１４０５は、インテリジェントハードウェアデバイス、たとえば、ＣＰＵ、マイクロコントローラ、ＡＳＩＣなどを含み得る。プロセッサモジュール１４０５は、トランシーバモジュール１４７０を介して受信された情報、および／またはアンテナ１４８０を介した送信のためにトランシーバモジュール１４７０に送られるべき情報を処理し得る。プロセッサモジュール１４０５は、単独でまたはＵＥ  ＲＡＴモジュール１４４０とともに、キャリアアグリゲーション動作モードで認可スペクトルおよび／または無認可スペクトルを使用するアップリンク送信に関係する様々な態様を含む、認可スペクトルおよび／または無認可スペクトルにおいてＬＴＥベースの通信を使用する様々な態様を処理し得る。
【０１６２】
[0182]トランシーバモジュール１４７０は、基地局またはｅＮＢと双方向に通信するように構成され得る。トランシーバモジュール１４７０は、１つまたは複数の送信機モジュールおよび１つまたは複数の別個の受信機モジュールとして実装され得る。トランシーバモジュール１４７０は、少なくとも１つの認可スペクトル（たとえば、認可ＬＴＥスペクトル）における通信と、少なくとも１つの無認可スペクトル（たとえば、ＷｉＦｉ、Ｂｌｕｅｔｏｏｔｈ、または他の無認可スペクトルによって従来使用されるスペクトル）における通信とをサポートし得る。トランシーバモジュール１４７０は、パケットを変調し、変調されたパケットを送信のためにアンテナ１４８０に与え、アンテナ１４８０から受信されたパケットを復調するように構成されたモデムを含み得る。ＵＥ１４１５は単一のアンテナを含み得るが、ＵＥ１４１５が複数のアンテナ１４８０を含み得る例があり得る。
【０１６３】
[0183]図１４のアーキテクチャによれば、ＵＥ１４１５は通信管理モジュール１４３０をさらに含み得る。通信管理モジュール１４３０は、様々な基地局またはｅＮＢとの通信を管理し得る。通信管理モジュール１４３０は、１つまたは複数のバス１４３５を介してＵＥ１４１５の他の構成要素の一部または全部と通信しているＵＥ１４１５の構成要素であり得る。代替として、通信管理モジュール１４３０の機能は、トランシーバモジュール１４７０の構成要素として、コンピュータプログラム製品として、および／またはプロセッサモジュール１４０５の１つもしくは複数のコントローラ要素として実装され得る。
【０１６４】
[0184]ＵＥ  ＲＡＴモジュール１４４０は、認可スペクトルおよび／または無認可スペクトルにおいてＬＴＥベースの通信を使用することに関係して図１〜図５、図６Ａ、図６Ｂ、図７Ａ、図７Ｂ、図７Ｃ、図９Ａ、図９Ｂ、図１２Ａ、および／または図１２Ｂにおいて説明したＵＥ機能または態様の一部または全部を実行および／または制御するように構成され得る。たとえば、ＵＥ  ＲＡＴモジュール１４４０は、補足ダウンリンクモード、キャリアアグリゲーションモード、および／またはスタンドアロンモードをサポートするように構成され得る。ＵＥ  ＲＡＴモジュール１４４０は、認可スペクトルを介してＬＴＥ／ＬＴＥ−Ａ通信を処理するように構成されたＬＴＥモジュール１４４５と、無認可スペクトルを介してＬＴＥ／ＬＴＥ−Ａ通信を処理するように構成されたＬＴＥ無認可モジュール１４５０と、無認可スペクトルにおいてＬＴＥ／ＬＴＥ−Ａベースの通信以外の通信を処理するように構成された非ＬＴＥ無認可モジュール１４５５とを含み得る。ＵＥ  ＲＡＴモジュール１４４０はまた、図１〜図５、図６Ａ、図６Ｂ、図７Ａ、図７Ｂ、図７Ｃ、図９Ａ、図９Ｂ、図１２Ａ、および／または図１２Ｂを参照しながら説明したＵＥチャネルアクセス機能のいずれかを実行するように構成されたＵＥ無認可チャネルアクセスモジュール１４６０を含み得る。ＵＥ無認可チャネルアクセスモジュール１４６０は、図１２Ａおよび／または図１２Ｂを参照しながら説明した同様のモジュール（たとえば、モジュール１２２０および／またはモジュール１２６０）の一例であり得る。ＵＥ  ＲＡＴモジュール１４４０またはそれの部分は、プロセッサを含み得、および／またはＵＥ  ＲＡＴモジュール１４４０の機能の一部または全部は、プロセッサモジュール１４０５によっておよび／またはプロセッサモジュール１４０５に関連して実行され得る。
【０１６５】
[0185]次に図１５を参照すると、基地局１５０５（たとえば、ｅＮＢ）とＵＥ１５１５とを含む多入力多出力（ＭＩＭＯ）通信システム１５００のブロック図が示されている。基地局１５０５およびＵＥ１５１５は、認可スペクトルおよび／または無認可スペクトルを使用したＬＴＥベースの通信をサポートし得る。さらに、基地局１５０５およびＵＥ１５１５は、無認可スペクトルまたは帯域を介したチャネルアクセスのための異なる方式をサポートし得る。基地局１５０５は、図１、図２、図５、図６Ａ、図６Ｂ、図１１Ａ、図１１Ｂ、および／または図１３を参照しながら説明した基地局１０５、２０５、５０５、６０５、１１０５、１１５５、および／もしくは１３０５またはデバイスの１つまたは複数の態様の一例であり得、一方、ＵＥ１５１５は、図１、図２、図５、図６Ａ、図６Ｂ、図１２Ａ、図１２Ｂ、および／または図１４を参照しながら説明したＵＥ１１５、２１５、５１５、６１５、１２１５、１２５５、および／もしくは１４１５またはデバイスの１つまたは複数の態様の一例であり得る。システム１５００に、図１、図２、および／または図５を参照しながら説明したワイヤレス通信システム１００、２００、および／または５００の態様を示し得る。
【０１６６】
[0186]基地局１５０５は、アンテナ１５３４−ａ〜１５３４−ｘを備え得、ＵＥ１５１５は、アンテナ１５５２−ａ〜１５５２−ｎを備え得る。システム１５００では、基地局１５０５は、複数の通信リンクを介して同時にデータを送ることが可能であり得る。各通信リンクは「レイヤ」と呼ばれることがあり、通信リンクの「ランク」は、通信のために使用されるレイヤの数を示し得る。たとえば、基地局１５０５が２つの「レイヤ」を送信する２×２ＭＩＭＯシステムでは、基地局１５０５とＵＥ１５１５との間の通信リンクのランクは２であり得る。
【０１６７】
[0187]基地局１５０５で、送信（Ｔｘ）プロセッサ１５２０は、データソースからデータを受信し得る。送信プロセッサ１５２０はデータを処理し得る。送信プロセッサ１５２０はまた、基準シンボルおよび／またはセル固有基準信号を生成し得る。送信（Ｔｘ）ＭＩＭＯプロセッサ１５３０は、適用可能な場合、データシンボル、制御シンボル、および／または基準シンボルに対して空間処理（たとえば、プリコーディング）を実行し得、出力シンボルストリームを送信変調器１５３２−ａ〜１５３２−ｘに与え得る。各変調器１５３２は、出力サンプルストリームを取得するために、（たとえば、ＯＦＤＭなどのための）それぞれの出力シンボルストリームを処理し得る。各変調器１５３２は、ダウンリンク（ＤＬ）信号を取得するために、出力サンプルストリームをさらに処理（たとえば、アナログ変換、増幅、フィルタ、およびアップコンバート）し得る。一例では、変調器１５３２−ａ〜１５３２−ｘからのＤＬ信号は、それぞれアンテナ１５３４−ａ〜１５３４−ｘを介して送信され得る。
【０１６８】
[0188]ＵＥ１５１５において、アンテナ１５５２−ａ〜１５５２−ｎは、基地局１５０５からＤＬ信号を受信し得、受信された信号をそれぞれ復調器１５５４−ａ〜１５５４−ｎに与え得る。各復調器１５５４は、入力サンプルを取得するために、それぞれの受信信号を調整（たとえば、フィルタ処理、増幅、ダウンコンバート、およびデジタル化）し得る。各復調器１５５４はさらに、受信シンボルを取得するために、（たとえば、ＯＦＤＭなどのために）入力サンプルを処理し得る。ＭＩＭＯ検出器１５５６は、すべての復調器１５５４−ａ〜１５５４−ｎから受信シンボルを取得し、適用可能な場合は受信シンボルに対してＭＩＭＯ検出を実行し、検出されたシンボルを与え得る。受信（Ｒｘ）プロセッサ１５５８が、検出されたシンボルを処理し（たとえば、復調し、デインターリーブし、および復号し）、ＵＥ１５１５のための復号されたデータをデータ出力に与え、復号された制御情報をプロセッサ１５８０、またはメモリ１５８２に与え得る。プロセッサ１５８０は、認可スペクトルおよび／または無認可スペクトルにおいてＬＴＥベースの通信を使用することに関係する様々な機能を実行し得るモジュールまたは機能１５８１を含み得る。たとえば、モジュールまたは機能１５８１は、図１〜図５、図６Ａ、図６Ｂ、図７Ａ、図７Ｂ、図７Ｃ、図９Ａ、図９Ｂ、図１２Ａ、図１２Ｂ、および／または図１４に関して上記で説明したＵＥチャネルアクセス機能の一部または全部を実行し得る。
【０１６９】
[0189]アップリンク（ＵＬ）上で、ＵＥ１５１５において、送信（Ｔｘ）プロセッサ１５６４が、データソースからデータを受信し、処理し得る。送信プロセッサ１５６４はまた、基準信号用の基準シンボルを生成し得る。送信プロセッサ１５６４からのシンボルは、適用可能な場合、送信（Ｔｘ）ＭＩＭＯプロセッサ１５６６によってプリコーディングされ、さらに（たとえば、ＳＣ−ＦＤＭＡなどのための）復調器１５５４−ａ〜１５５４−ｎによって処理され、基地局１５０５から受信された送信パラメータに従って基地局１５０５に送信され得る。基地局１５０５において、ＵＥ１５１５からのＵＬ信号がアンテナ１５３４によって受信され、復調器１５３２によって処理され、適用可能な場合、ＭＩＭＯ検出器１５３６によって検出され、受信プロセッサによってさらに処理され得る。受信（Ｒｘ）プロセッサ１５３８は、復号データをデータ出力とプロセッサ１５４０とに与え得る。プロセッサ１５４０は、認可スペクトルおよび／または無認可スペクトルにおいてＬＴＥベースの通信を使用することに関係する様々な態様を実行し得るモジュールまたは機能１５４１を含み得る。たとえば、モジュールまたは機能１５４１は、図１〜図５、図６Ａ、図６Ｂ、図７Ａ、図７Ｂ、図７Ｃ、図９Ａ、図９Ｂ、図１１Ａ、図１１Ｂ、および／または図１３に関して上記で説明した基地局チャネルアクセス機能の一部または全部を実行し得る。いくつかの例では、モジュールまたは機能１５４１は、波形のＷｉＦｉ可読構成要素のＷｉＦｉ可読性を保証するために、異なるアンテナ１５５４−ａ〜１５５４−ｘ上で異なる遅延を与えるために使用され得る。モジュールまたは機能１５４１は、波形のＬＴＥ構成要素の可読性を保証するために、空間周波数ブロックコード（ＳＦＢＣ：space frequency block code）、周波数シフト時間ダイバーシティ（ＦＳＴＤ：frequency-shift time diversity）、および／または多重化などの機構を使用し得る。
【０１７０】
[0190]基地局１５０５の構成要素は、ハードウェアにおいて適用可能な機能の一部または全部を実行するように適応された１つまたは複数のＡＳＩＣとともに、個々にまたはまとめて実装され得る。言及したモジュールの各々は、システム１５００の動作に関係する１つまたは複数の機能を実行するための手段であり得る。同様に、ＵＥ１５１５の構成要素は、ハードウェアにおいて適用可能な機能の一部または全部を実行するように適応された１つまたは複数のＡＳＩＣとともに、個々にまたはまとめて実装され得る。言及した構成要素の各々は、システム１５００の動作に関係する１つまたは複数の機能を実行するための手段であり得る。
【０１７１】
[0191]図１６は、ワイヤレス通信のための方法１６００の一例を示すフローチャートである。明快のために、方法１６００について、図１、図２、図５、図６Ａ、図６Ｂ、図１１Ａ、図１１Ｂ、図１３、および／または図１５を参照しながら説明した基地局１０５、２０５、５０５、６０５、１１０５、１１５５、１３０５、および／もしくは１５０５またはデバイスのうちの１つを参照しながら以下で説明する。一例では、基地局は、以下で説明する機能を実行するために基地局の機能要素を制御するためのコードの１つまたは複数のセットを実行し得る。
【０１７２】
[0192]ブロック１６０５において、無認可スペクトルの利用可能性を決定するために、基地局（たとえば、基地局１０５）においてＣＣＡが実行され得る。ブロック１６０５における動作は、場合によっては、図１１Ａ、図１１Ｂ、または図１３を参照しながら説明した基地局無認可チャネルアクセスモジュール１１２０、１１６０、もしくは１３９０、または図１１Ｂを参照しながら説明したＣＣＡモジュール１１６５、または図１５を参照しながら説明したモジュールもしくは機能１５４１を使用して実行され得る。
【０１７３】
[0193]ブロック１６１０において、無認可スペクトルが利用可能であるという決定が行われると、無認可スペクトルを介して（たとえば、基地局から）ＵＥのセットに第１の波形（たとえば、Ｗ１＋Ｌ１、ＰＷ１＋Ｌ１）が送信され得る。第１の波形は、基地局が無認可スペクトルを介したチャネルアクセスを有する第１の時間期間と第２の時間期間とを示すように構成され得る。ブロック１６１０における動作は、場合によっては、図１１Ａ、図１１Ｂ、または図１３を参照しながら説明した基地局無認可チャネルアクセスモジュール１１２０、１１６０、もしくは１３９０、または図１１Ｂを参照しながら説明したＷｉＦｉ可読波形モジュール１１７０、ＬＴＥ波形モジュール１１７５、および／もしくは波形タイミングモジュール１１８０、または図１５を参照しながら説明したモジュールもしくは機能１５４１を使用して実行され得る。
【０１７４】
[0194]ブロック１６１５において、（たとえば、ＵＥのセットのうちの１つまたは複数から）第２の波形（たとえば、Ｌ２）が受信され得る。各第２の波形は、第１の波形に応答して受信され得、第１の時間期間中に無認可スペクトルを介して受信され得る。各第２の波形は、第２の時間期間中に基地局からデータを受信するために、それぞれのＵＥが無認可スペクトルを介したチャネルアクセスを有することを示すように構成され得る。ブロック１６１５における動作は、場合によっては、図１１Ａ、図１１Ｂ、または図１３を参照しながら説明した基地局無認可チャネルアクセスモジュール１１２０、１１６０、もしくは１３９０、または図１１Ｂを参照しながら説明したＬＴＥ波形モジュール１１７５、または図１５を参照しながら説明したモジュールもしくは機能１５４１を使用して実行され得る。
【０１７５】
[0195]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１７６】
[0196]図１７は、ワイヤレス通信のための方法１７００の別の例を示すフローチャートである。明快のために、方法１７００について、図１、図２、図５、図６Ａ、図６Ｂ、図１１Ａ、図１１Ｂ、図１３、および／または図１５を参照しながら説明した基地局１０５、２０５、５０５、６０５、１１０５、１１５５、１３０５、および／または１５０５のうちの１つを参照しながら以下で説明する。一例では、基地局は、以下で説明する機能を実行するために基地局の機能要素を制御するためのコードの１つまたは複数のセットを実行し得る。
【０１７７】
[0197]ブロック１７０５において、無認可スペクトルの利用可能性を決定するために、基地局（たとえば、基地局１０５）においてＣＣＡが実行され得る。ブロック１７０５における動作は、場合によっては、図１１Ａ、図１１Ｂ、または図１３を参照しながら説明した基地局無認可チャネルアクセスモジュール１１２０、１１６０、もしくは１３９０、または図１１Ｂを参照しながら説明したＣＣＡモジュール１１６５、または図１５を参照しながら説明したモジュールもしくは機能１５４１を使用して実行され得る。
【０１７８】
[0198]ブロック１７１０において、無認可スペクトルが利用可能であるという決定が行われると、無認可スペクトルを介して（たとえば、基地局から）ＵＥのセットに第１の波形（たとえば、Ｗ１＋Ｌ１、ＰＷ１＋Ｌ１）が送信され得る。ＵＥのセットは、第１の波形を送信した基地局のカバレージエリア内のすべてのＵＥまたは基地局のカバレージエリア内のＵＥの指定されたサブセットを含み得る。第１の波形は、基地局が無認可スペクトルを介したチャネルアクセスを有する第１の時間期間と第２の時間期間とを示すように構成され得る。第１の時間期間は、１つまたは複数のＵＥとのデータ送信をセットアップするために基地局によって使用され、ＵＥ自体のそれぞれのＣＣＡを実行するためにＵＥによって使用され得る。第２の時間期間は、データを送信および／または受信するために、基地局および１つまたは複数のＵＥによって使用され得る。
【０１７９】
[0199]いくつかの例では、第１の波形は、第１の構成要素（たとえば、Ｗ１、ＰＷ１）と第２の構成要素（たとえば、Ｌ１）とを含み得る。波形の第１の構成要素は、基地局が無認可スペクトルを介したチャネルアクセスを有する第１の時間期間を示すように構成され得る。第１の構成要素は、ＷｉＦｉデバイスによって可読であり、それによって、基地局のカバレージエリア内のＷｉＦｉデバイスが、第１の時間期間のタイミングを決定し、第１の時間期間中に無認可スペクトルにアクセスするのを回避することが可能になり得る。場合によっては、第１の構成要素は、ＰＬＣＰヘッダとＷｉＦｉ可読データフィールドとを含み得る。他の場合には、第１の構成要素は、ＰＬＣＰヘッダを含むが、ＷｉＦｉ可読データフィールドを含まないことがある。
【０１８０】
[0200]波形の第２の構成要素は、基地局が無認可スペクトルを介したチャネルアクセスを有する第２の時間期間を示すように構成され得る。第２の構成要素は、無認可スペクトルを介したＬＴＥ／ＬＴＥ−Ａ通信に適合するＵＥなどのセルラーデバイスによって可読であり、それによって、基地局のカバレージエリア内のＵＥが、第２の時間期間のタイミングを決定することが可能になり得る。ＵＥは、次いで、ＵＥのための無認可スペクトルの利用可能性を決定するためにＣＣＡを実行し得、無認可スペクトルがＵＥのために利用可能であるという決定が行われると、ＵＥは、近くのＷｉＦｉデバイスに、基地局が第２の時間期間中にチャネルアクセスを有することを示すように構成された波形を送信し得る。場合によっては、第２の構成要素は、サイクリックプレフィックスとＯＦＤＭシンボルとを含み得る。一例では、ＯＦＤＭシンボルは、直交位相シフトキーイング（ＱＰＳＫ：Quadrature Phase-Shift Keying）を使用するときに約１６００ビットのペイロードを含み得る。他の場合には、第２の構成要素は、サイクリックプレフィックスを含み得るが、ＯＦＤＭシンボルを含まないことがある。
【０１８１】
[0201]場合によっては、第１の波形の第１の構成要素は、第１の波形の第２の構成要素の前に送信され得る。他の場合には、第１の波形の第２の構成要素は、第１の波形の第１の構成要素の前に送信され得る。第１の構成要素および第２の構成要素は、連続してまたは連続せずに送信され得る。
【０１８２】
[0202]ブロック１７１０における動作は、場合によっては、図１１Ａ、図１１Ｂ、または図１３を参照しながら説明した基地局無認可チャネルアクセスモジュール１１２０、１１６０、もしくは１３９０、または図１１Ｂを参照しながら説明したＷｉＦｉ可読波形モジュール１１７０、ＬＴＥ波形モジュール１１７５、および／もしくは波形タイミングモジュール１１８０、または図１５を参照しながら説明したモジュールもしくは機能１５４１を使用して実行され得る。
【０１８３】
[0203]場合によっては、ブロック１７０５において実行されるＣＣＡは、特定のサブフレーム中に実行され得、第１の時間期間は、第１の波形を送信する基地局が、サブフレームの終了まで、または次のサブフレーム中のある時間まで、無認可スペクトルを介したチャネルアクセスを有することを示し得る。代替または追加として、第２の時間期間は、基地局が、サブフレームの後、または次のサブフレーム中のある時間の後の指定された時間期間の間、無認可スペクトルを介したチャネルアクセスを有することを示し得る。
【０１８４】
[0204]ブロック１７１５において、（たとえば、ＵＥのセットのうちの１つまたは複数から）第２の波形（たとえば、Ｌ２）が受信され得る。各第２の波形は、第１の波形に応答して受信され得、第１の時間期間中に無認可スペクトルを介して受信され得る。各第２の波形は、第２の時間期間中に基地局からデータを受信するために、それぞれのＵＥが無認可スペクトルを介したチャネルアクセスを有することを示すように構成され得る。ブロック１７１５における動作は、場合によっては、図１１Ａ、図１１Ｂ、または図１３を参照しながら説明した基地局無認可チャネルアクセスモジュール１１２０、１１６０、もしくは１３９０、または図１１Ｂを参照しながら説明したＬＴＥ波形モジュール１１７５、または図１５を参照しながら説明したモジュールもしくは機能１５４１を使用して実行され得る。
【０１８５】
[0205]ブロック１７２０において、同期波形とトレーニング波形との一方または両方が基地局に第２の波形を送信したＵＥに送信され得、ブロック１７２５において、データがＵＥに送信され得る。同期波形および／またはトレーニング波形により、ＵＥはデータをより受信しやすくなり得る。ブロック１７２０および／またはブロック１７２５における動作は、場合によっては、図１１Ａまたは図１１Ｂを参照しながら説明した送信機モジュール１１３０もしくは１１３２、または図１３を参照しながら説明したプロセッサモジュール１３３０および／もしくはトランシーバモジュール１３５５、または図１５を参照しながら説明したプロセッサ１５４０、送信プロセッサ１５２０、および／もしくは送信ＭＩＭＯプロセッサ１５３０を使用して実行され得る。
【０１８６】
[0206]したがって、方法１７００はワイヤレス通信を提供し得る。方法１７００は一実装形態にすぎないこと、および方法１７００の動作は、他の実装形態が可能であるように、並べ替えられるかまたは場合によっては変更され得ることに留意されたい。
【０１８７】
[0207]図１８は、ワイヤレス通信のための方法１８００のまた別の例を示すフローチャートである。明快のために、方法１８００について、図１、図２、図５、図６Ａ、図６Ｂ、図１１Ａ、図１１Ｂ、図１３、および／または図１５を参照しながら説明した基地局１０５、２０５、５０５、６０５、１１０５、１１５５、１３０５、および／もしくは１５０５またはデバイスのうちの１つを参照しながら以下で説明する。一例では、基地局は、以下で説明する機能を実行するために基地局の機能要素を制御するためのコードの１つまたは複数のセットを実行し得る。
【０１８８】
[0208]ブロック１８０５において、基地局（たとえば、基地局１０５）においてＣＣＡを実行するためにサブフレーム中のＣＣＡスロットのセットのうちの１つが擬似ランダムに選択され得る。ブロック１８１０において、無認可スペクトルの利用可能性を決定するために、選択されたＣＣＡスロット中に基地局においてＣＣＡが実行され得る。ブロック１８０５および／またはブロック１８１０における動作は、場合によっては、図１１Ａ、図１１Ｂ、または図１３を参照しながら説明した基地局無認可チャネルアクセスモジュール１１２０、１１６０、もしくは１３９０、または図１１Ｂを参照しながら説明したＣＣＡモジュール１１６５、または図１５を参照しながら説明したモジュールもしくは機能１５４１を使用して実行され得る。
【０１８９】
[0209]ブロック１８１５において、無認可スペクトルが利用可能であるという決定が行われると、無認可スペクトルを介して（たとえば、基地局から）ＵＥのセットに第１の波形（たとえば、Ｗ１＋Ｌ１、ＰＷ１＋Ｌ１）が送信され得る。ＵＥのセットは、第１の波形を送信した基地局のカバレージエリア内のすべてのＵＥまたは基地局のカバレージエリア内のＵＥの指定されたサブセットを含み得る。ブロック１８１５における動作は、場合によっては、図１１Ａ、図１１Ｂ、または図１３を参照しながら説明した基地局無認可チャネルアクセスモジュール１１２０、１１６０、もしくは１３９０、または図１１Ｂを参照しながら説明したＷｉＦｉ可読波形モジュール１１７０、ＬＴＥ波形モジュール１１７５、および／もしくは波形タイミングモジュール１１８０、または図１５を参照しながら説明したモジュールもしくは機能１５４１を使用して実行され得る。
【０１９０】
[0210]場合によっては、ブロック１８１０において実行されるＣＣＡは、特定のサブフレーム中に実行され得、第１の波形は、第１の波形を送信する基地局が、サブフレームの終了まで、または次のサブフレーム中のある時間まで、無認可スペクトルを介したチャネルアクセスを有することを示し得る。代替または追加として、第１の波形は、基地局が、サブフレームの後、または次のサブフレーム中のある時間の後の指定された時間期間の間、無認可スペクトルを介したチャネルアクセスを有することを示し得る。
【０１９１】
[0211]ブロック１８２０において、（たとえば、ＵＥのセットのうちの１つまたは複数から）第２の波形（たとえば、Ｌ２）が受信され得る。各第２の波形は、第１の波形に応答して受信され得、ブロック１８１０においてＣＣＡが実行されたサブフレーム中に無認可スペクトルを介して受信され得る。各第２の波形は、次のサブフレーム中に基地局からデータを受信するために、それぞれのＵＥが無認可スペクトルを介したチャネルアクセスを有することを示すように構成され得る。ブロック１８１５における動作は、場合によっては、図１１Ａ、図１１Ｂ、または図１３を参照しながら説明した基地局無認可チャネルアクセスモジュール１１２０、１１６０、もしくは１３９０、または図１１Ｂを参照しながら説明したＬＴＥ波形モジュール１１７５、または図１５を参照しながら説明したモジュールもしくは機能１５４１を使用して実行され得る。
【０１９２】
[0212]したがって、方法１８００はワイヤレス通信を提供し得る。方法１８００は一実装形態にすぎないこと、および方法１８００の動作は、他の実装形態が可能であるように、並べ替えられるかまたは場合によっては変更され得ることに留意されたい。
【０１９３】
[0213]場合によっては、方法１６００、方法１７００、および／または方法１８００の態様は組み合わされ得る。
【０１９４】
[0214]図１９は、ワイヤレス通信のための方法１９００の一例を示すフローチャートである。明快のために、方法１９００について、図１、図２、図５、図６Ａ、図６Ｂ、図１２Ａ、図１２Ｂ、図１４、および／または図１５を参照しながら説明したＵＥ１１５、２１５、５１５、６１５、１２１５、１２５５、１４１５、および／もしくは１５１５またはデバイスのうちの１つを参照しながら以下で説明する。一例では、ＵＥは、以下で説明する機能を実行するためにＵＥの機能要素を制御するためのコードの１つまたは複数のセットを実行し得る。
【０１９５】
[0215]ブロック１９０５において、基地局（たとえば、基地局１０５）からＵＥ（たとえば、ＵＥ１１５）において第１の波形（たとえば、Ｗ１＋Ｌ１、ＰＷ１＋Ｌ１）が受信される。第１の波形は、基地局が無認可スペクトルを介したチャネルアクセスを有する第１の時間期間と第２の時間期間とを示すように構成され得る。ブロック１９０５における動作は、場合によっては、図１２Ａ、図１２Ｂ、または図１４を参照しながら説明したＵＥ無認可チャネルアクセスモジュール１２２０、１２６０、もしくは１４６０、または図１２Ｂを参照しながら説明したＷｉＦｉ可読波形モジュール１２７０、ＬＴＥ波形モジュール１２７５、および／もしくは波形タイミングモジュール１２８０、または図１５を参照しながら説明したモジュールもしくは機能１５８１を使用して実行され得る。
【０１９６】
[0216]ブロック１９１０において、第１の波形に応答して、ＵＥのための無認可スペクトルの利用可能性を決定するためにＣＣＡが実行され得る。ブロック１９１０における動作は、場合によっては、図１２Ａ、図１２Ｂ、または図１４を参照しながら説明したＵＥ無認可チャネルアクセスモジュール１２２０、１２６０、もしくは１４６０、または図１２Ｂを参照しながら説明したＣＣＡモジュール１２６５、または図１５を参照しながら説明したモジュールもしくは機能１５８１を使用して実行され得る。
【０１９７】
[0217]ブロック１９１５において、無認可スペクトルが利用可能であるという決定が行われると、無認可スペクトルを介して（たとえば、ＵＥから）第２の波形（たとえば、Ｗ２、ＰＷ２）および第３の波形（たとえば、Ｌ２）が送信され得る。第２の波形は、近くのＷｉＦｉデバイスに、基地局が第２の時間期間中に無認可スペクトルを介したチャネルアクセスを有することを示すように構成され得る。第３の波形は、第２の時間期間中のＵＥへのデータ送信のために基地局に情報を与えるように構成され得る。ブロック１９１５における動作は、場合によっては、図１２Ａ、図１２Ｂ、または図１４を参照しながら説明したＵＥ無認可チャネルアクセスモジュール１２２０、１２６０、もしくは１４６０、または図１２Ｂを参照しながら説明したＷｉＦｉ可読波形モジュール１２７０、ＬＴＥ波形モジュール１２７５、および／もしくは波形タイミングモジュール１２８０、または図１５を参照しながら説明したモジュールもしくは機能１５８１を使用して実行され得る。
【０１９８】
[0218]したがって、方法１９００はワイヤレス通信を提供し得る。方法１９００は一実装形態にすぎないこと、および方法１９００の動作は、他の実装形態が可能であるように、並べ替えられるかまたは場合によっては変更され得ることに留意されたい。
【０１９９】
[0219]図２０は、ワイヤレス通信のための方法２０００の別の例を示すフローチャートである。明快のために、方法２０００について、図１、図２、図５、図６Ａ、図６Ｂ、図１２Ａ、図１２Ｂ、図１４、および／または図１５を参照しながら説明したＵＥ１１５、２１５、５１５、６１５、１２１５、１２５５、１４１５、および／もしくは１５１５またはデバイスのうちの１つを参照しながら以下で説明する。一例では、ＵＥは、以下で説明する機能を実行するためにＵＥの機能要素を制御するためのコードの１つまたは複数のセットを実行し得る。
【０２００】
[0220]ブロック２００５において、基地局（たとえば、基地局１０５）からＵＥ（たとえば、ＵＥ１１５）において第１の波形（たとえば、Ｗ１＋Ｌ１、ＰＷ１＋Ｌ１）が受信される。第１の波形は、基地局が無認可スペクトルを介したチャネルアクセスを有する時間期間を示すように構成され得る。ブロック２００５における動作は、場合によっては、図１２Ａ、図１２Ｂ、または図１４を参照しながら説明したＵＥ無認可チャネルアクセスモジュール１２２０、１２６０、もしくは１４６０、または図１２Ｂを参照しながら説明したＷｉＦｉ可読波形モジュール１２７０、ＬＴＥ波形モジュール１２７５、および／もしくは波形タイミングモジュール１２８０、または図１５を参照しながら説明したモジュールもしくは機能１５８１を使用して実行され得る。
【０２０１】
[0221]ブロック２０１０において、第１の波形に応答して、ＵＥのための無認可スペクトルの利用可能性を決定するためにＣＣＡが実行され得る。ブロック２０１０における動作は、場合によっては、図１２Ａ、図１２Ｂ、または図１４を参照しながら説明したＵＥ無認可チャネルアクセスモジュール１２２０、１２６０、またはもしくは１４６０、あるいはまたは図１２Ｂを参照しながら説明したＣＣＡモジュール１２６５、あるいはまたは図１５を参照しながら説明したモジュールまたはもしくは機能１５８１を使用して実行され得る。
【０２０２】
[0222]ブロック２０１５において、無認可スペクトルが利用可能であるという決定が行われると、無認可スペクトルを介して（たとえば、ＵＥから）第２の波形（たとえば、Ｌ２）が送信され得る。第２の波形は、時間期間中のＵＥへのデータ送信のために基地局に情報を与えるように構成され得る。ブロック２０１５における動作は、場合によっては、図１２Ａ、図１２Ｂ、または図１４を参照しながら説明したＵＥ無認可チャネルアクセスモジュール１２２０、１２６０、もしくは１４６０、または図１２Ｂを参照しながら説明したＷｉＦｉ可読波形モジュール１２７０、ＬＴＥ波形モジュール１２７５、および／もしくは波形タイミングモジュール１２８０、または図１５を参照しながら説明したモジュールもしくは機能１５８１を使用して実行され得る。
【０２０３】
[0223]したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。
【０２０４】
[0224]図２１は、ワイヤレス通信のための方法２１００のまた別の例を示すフローチャートである。明快のために、方法２１００について、図１、図２、図５、図６Ａ、図６Ｂ、図１２Ａ、図１２Ｂ、図１４、および／または図１５を参照しながら説明したＵＥ１１５、２１５、５１５、６１５、１２１５、１２５５、１４１５、および／もしくは１５１５またはデバイスのうちの１つを参照しながら以下で説明する。一例では、ＵＥは、以下で説明する機能を実行するためにＵＥの機能要素を制御するためのコードの１つまたは複数のセットを実行し得る。
【０２０５】
[0225]ブロック２１０５において、基地局（たとえば、基地局１０５）からＵＥ（たとえば、ＵＥ１１５）において第１の波形（たとえば、Ｗ１＋Ｌ１、ＰＷ１＋Ｌ１）が受信され得る。第１の波形は、基地局が無認可スペクトルを介したチャネルアクセスを有する第１の時間期間と第２の時間期間とを示すように構成され得る。ブロック２１０５における動作は、場合によっては、図１２Ａ、図１２Ｂ、または図１４を参照しながら説明したＵＥ無認可チャネルアクセスモジュール１２２０、１２６０、もしくは１４６０、または図１２Ｂを参照しながら説明したＷｉＦｉ可読波形モジュール１２７０、ＬＴＥ波形モジュール１２７５、および／もしくは波形タイミングモジュール１２８０、または図１５を参照しながら説明したモジュールもしくは機能１５８１を使用して実行され得る。
【０２０６】
[0226]いくつかの例では、第１の波形は、第１の構成要素（たとえば、Ｗ１、ＰＷ１）と第２の構成要素（たとえば、Ｌ１）とを含み得る。第１の構成要素および第２の構成要素は、連続しているか、または連続しておらず、第１の構成要素または第２の構成要素のいずれかが最初に送信され得る。波形の第１の構成要素は、基地局が無認可スペクトルを介したチャネルアクセスを有する第１の時間期間を示すように構成され得る。第１の構成要素は、ＷｉＦｉデバイスによって可読であり、それによって、基地局のカバレージエリア内のＷｉＦｉデバイスが、第１の時間期間のタイミングを決定し、第１の時間期間中に無認可スペクトルにアクセスするのを回避することが可能になり得る。波形の第２の構成要素は、基地局が無認可スペクトルを介したチャネルアクセスを有する第２の時間期間を示すように構成され得る。第２の構成要素は、セルラーデバイス（たとえば、ＵＥ）によって可読であり、それによって、ＵＥが、第２の時間期間のタイミングを決定することが可能になり得る。場合によっては、第１の波形の第２の構成要素が、第２の時間期間を識別するために復号され得る。
【０２０７】
[0227]ブロック２１１０において、第１の波形に応答して、ＵＥのための無認可スペクトルの利用可能性を決定するためにＣＣＡが実行され得る。ブロック２１１０における動作は、場合によっては、図１２Ａ、図１２Ｂ、または図１４を参照しながら説明したＵＥ無認可チャネルアクセスモジュール１２２０、１２６０、もしくは１４６０、または図１２Ｂを参照しながら説明したＣＣＡモジュール１２６５、または図１５を参照しながら説明したモジュールもしくは機能１５８１を使用して実行され得る。
【０２０８】
[0228]ブロック２１１５において、第１の時間期間中の第２の波形スロット（たとえば、第２の波形スロット７３０、９３０）のセットのうちの１つが識別され得る。第２の波形スロットのセットにより、同じ事業者展開中の別のＵＥは、方法２１００を実行するＵＥによって識別される第２の波形スロットに対してジグザグに配置された第２の波形スロットを識別することが可能になり得る。ブロック２１１５における動作は、場合によっては、図１２Ａ、図１２Ｂ、または図１４を参照しながら説明したＵＥ無認可チャネルアクセスモジュール１２２０、１２６０、もしくは１４６０、または図１２Ｂを参照しながら説明した波形タイミングモジュール１２８０、または図１５を参照しながら説明したモジュールもしくは機能１５８１を使用して実行され得る。
【０２０９】
[0229]ブロック２１２０において、無認可スペクトルが利用可能であるという決定が行われると、識別された第２の波形スロット中に無認可スペクトルを介して（たとえば、ＵＥから）第２の波形（たとえば、Ｗ２、ＰＷ２）が送信され得る。第２の波形は、近くのＷｉＦｉデバイスに、基地局が第２の時間期間中に無認可スペクトルを介したチャネルアクセスを有することを示すように構成され得る。第２の波形スロットのセットのジグザグ配置により、近くのＷｉＦｉデバイスは、２つ以上のＵＥから受信された第２の波形をより良く区別し、復号することが可能になり得る。
【０２１０】
[0230]ブロック２１２５において、無認可スペクトルが利用可能であるという決定が行われると、無認可スペクトルを介して（たとえば、ＵＥから）第３の波形（たとえば、Ｌ２）が送信され得る。第３の波形は、第２の時間期間中のＵＥへのデータ送信のために基地局に情報を与えるように構成され得る。場合によっては、第３の波形は、チャネル推定とチャネル同期との一方または両方のための基準シンボルを含み得る。
【０２１１】
[0231]場合によっては、第２の波形は、第３の波形の前に送信され得る。他の場合には、第３の波形は、第２の波形の前に送信され得る。第２の波形および第３の波形は、連続してまたは連続せずに送信され得る。
【０２１２】
[0232]ブロック２１２０および／またはブロック２１２５における動作は、場合によっては、図１２Ａ、図１２Ｂ、または図１４を参照しながら説明したＵＥ無認可チャネルアクセスモジュール１２２０、１２６０、もしくは１４６０、または図１２Ｂを参照しながら説明したＷｉＦｉ可読波形モジュール１２７０、ＬＴＥ波形モジュール１２７５、および／もしくは波形タイミングモジュール１２８０、または図１５を参照しながら説明したモジュールもしくは機能１５８１を使用して実行され得る。
【０２１３】
[0233]したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０２１４】
[0234]場合によっては、方法１９００、方法２０００、および／または方法２１００の態様は組み合わされ得る。
【０２１５】
[0235]添付の図面に関して上記に記載した詳細な説明は、例示的な例について説明しており、実装され得るまたは特許請求の範囲内に入る例のみを表すものではない。この説明全体にわたって使用される「例示的」という用語は、「例、事例、または例示の働きをすること」を意味し、「好ましい」または「他の例よりも有利な」を意味しない。詳細な説明は、説明された技法の理解を与えるために、具体的な詳細を含む。ただし、これらの技法は、これらの具体的な詳細なしに実施され得る。いくつかの事例では、説明した例の概念を不明瞭にすることを回避するために、よく知られている構造およびデバイスをブロック図の形式で示す。
【０２１６】
[0236]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０２１７】
[0237]本明細書の開示に関して説明した様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成としても実装され得る。プロセッサは、場合によっては、メモリと電子通信していることがあり、メモリは、プロセッサによって実行可能な命令を記憶する。
【０２１８】
[0238]本明細書で説明された機能は、ハードウェア、プロセッサによって実行されるソフトウェア、ファームウェア、またはそれらの任意の組合せで実現され得る。プロセッサによって実行されるソフトウェアで実現される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が異なる物理的な場所で実装されるように分散されることを含む、様々な位置に物理的に配置され得る。また、特許請求の範囲を含めて、本明細書で使用される場合、「のうちの少なくとも１つ」で始まる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０２１９】
[0239]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが同軸ケーブル、光ファイバーケーブル、より対線、デジタル加入者線（「ＤＳＬ」）、または赤外線、無線、およびマイクロ波などのワイヤレス技術を使用して、ウェブサイト、サーバ、または他の遠隔ソースから送信される場合、その同軸ケーブル、光ファイバーケーブル、より対線、ＤＳＬ、または赤外線、無線、およびマイクロ波などのワイヤレス技術が媒体の定義に含められる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０２２０】
[0240]本開示のこれまでの説明は、当業者が本開示を作成または使用することを可能にするために提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
ワイヤレス通信のための方法であって、
無認可スペクトルの利用可能性を決定するために基地局においてクリアチャネルアセスメント（ＣＣＡ）を実行することと、
前記無認可スペクトルが利用可能であるという決定が行われたとき、前記無認可スペクトルを介してユーザ機器（ＵＥ）のセットに第１の波形を送信することと、
前記第１の波形に応答して、ＵＥの前記セットのうちの１つまたは複数から第２の波形を受信することと、各第２の波形が、前記無認可スペクトルを介して受信され、前記基地局からデータを受信するために前記それぞれのＵＥが前記無認可スペクトルを介したチャネルアクセスを有することを示すように構成される、
を備える、ワイヤレス通信のための方法。
［Ｃ２］
前記無認可スペクトルを介してＵＥの前記セットのうちの前記１つまたは複数にデータを送信すること
をさらに備える、Ｃ１に記載の方法。
［Ｃ３］
前記無認可スペクトルを介してＵＥの前記セットのうちの前記１つまたは複数に同期波形とトレーニング波形との一方または両方を送信すること
をさらに備える、Ｃ２に記載の方法。
［Ｃ４］
前記第１の波形が、第１の構成要素と第２の構成要素とを備える、前記第１の構成要素が、ＷｉＦｉ（登録商標）デバイスによって可読であるように構成され、前記第２の構成要素が、セルラーデバイスによって可読であるように構成される、Ｃ１に記載の方法。
［Ｃ５］
前記セルラーデバイスが、無認可スペクトルで動作するＬＴＥデバイスを備える、Ｃ４に記載の方法。
［Ｃ６］
前記第１の波形の同じ第１の構成要素が、事業者展開中の各基地局によって使用される、Ｃ４に記載の方法。
［Ｃ７］
前記第１の波形の異なる第２の構成要素が、事業者展開中の各基地局によって使用される、Ｃ４に記載の方法。
［Ｃ８］
前記第１の波形の前記第１の構成要素が、物理レイヤ収束プロシージャ（ＰＬＣＰ）ヘッダとＷｉＦｉ可読データフィールドとを備える、Ｃ４に記載の方法。
［Ｃ９］
前記第１の波形は、前記基地局が認可スペクトルを介したチャネルアクセスを有する第１の時間期間と第２の時間期間とを示すように構成される、Ｃ１に記載の方法。
［Ｃ１０］
ＣＣＡを実行することが、サブフレーム中に前記ＣＣＡを実行することを備える、
前記第１の時間期間は、前記基地局が、前記サブフレームの終了まで、または次のサブフレーム中のある時間まで、前記無認可スペクトルを介したチャネルアクセスを有することを示す、
前記第２の時間期間は、前記基地局が、前記サブフレームの後、または次のサブフレーム中のある時間の後の指定された時間期間の間、前記無認可スペクトルを介したチャネルアクセスを有することを示す、
Ｃ９に記載の方法。
［Ｃ１１］
ワイヤレス通信のための基地局であって、
無認可スペクトルの利用可能性を決定するためにクリアチャネルアセスメント（ＣＣＡ）を実行するための手段と、
前記無認可スペクトルが利用可能であるという決定が行われたとき、前記無認可スペクトルを介してユーザ機器（ＵＥ）のセットに第１の波形を送信するための手段と、
前記第１の波形に応答して、ＵＥの前記セットのうちの１つまたは複数から第２の波形を受信するための手段と、各第２の波形が、前記無認可スペクトルを介して受信され、前記基地局からデータを受信するために前記それぞれのＵＥが前記無認可スペクトルを介したチャネルアクセスを有することを示すように構成される、
を備える、ワイヤレス通信のための基地局。
［Ｃ１２］
前記無認可スペクトルを介してＵＥの前記セットのうちの前記１つまたは複数にデータを送信するための手段
をさらに備える、Ｃ１１に記載の基地局。
［Ｃ１３］
前記無認可スペクトルを介してＵＥの前記セットのうちの前記１つまたは複数に同期波形とトレーニング波形との一方または両方を送信するための手段
をさらに備える、Ｃ１２に記載の基地局。
［Ｃ１４］
前記第１の波形が、第１の構成要素と第２の構成要素とを備える、前記第１の構成要素が、ＷｉＦｉデバイスによって可読であるように構成され、前記第２の構成要素が、セルラーデバイスによって可読であるように構成される、Ｃ１１に記載の基地局。
［Ｃ１５］
前記セルラーデバイスが、無認可スペクトルで動作するＬＴＥデバイスを備える、Ｃ１４に記載の基地局。
［Ｃ１６］
前記第１の波形の同じ第１の構成要素が、事業者展開中の各基地局によって使用される、Ｃ１４に記載の基地局。
［Ｃ１７］
前記第１の波形の異なる第２の構成要素が、事業者展開中の各基地局によって使用される、Ｃ１４に記載の基地局。
［Ｃ１８］
前記第１の波形の前記第１の構成要素が、物理レイヤ収束プロシージャ（ＰＬＣＰ）ヘッダとＷｉＦｉ可読データフィールドとを備える、Ｃ１４に記載の基地局。
［Ｃ１９］
前記第１の波形は、前記基地局が認可スペクトルを介したチャネルアクセスを有する第１の時間期間と第２の時間期間とを示すように構成される、Ｃ１１に記載の基地局。
［Ｃ２０］
前記ＣＣＡがサブフレーム中に実行される、
前記第１の時間期間は、前記基地局が、前記サブフレームの終了まで、または次のサブフレーム中のある時間まで、前記無認可スペクトルを介したチャネルアクセスを有することを示す、
前記第２の時間期間は、前記基地局が、前記サブフレームの後、または次のサブフレーム中のある時間の後の指定された時間期間の間、前記無認可スペクトルを介したチャネルアクセスを有することを示す、
Ｃ１９に記載の基地局。
［Ｃ２１］
ワイヤレス通信のための方法であって、
ユーザ機器（ＵＥ）において第１の波形を受信することと、
前記第１の波形に応答して、前記ＵＥのための無認可スペクトルの利用可能性を決定するためにクリアチャネルアセスメント（ＣＣＡ）を実行することと、
前記無認可スペクトルが利用可能であるという決定が行われたとき、前記無認可スペクトルを介して第２の波形と第３の波形とを送信することと、前記第２の波形は、近くのＷｉＦｉデバイスに、基地局が前記無認可スペクトルを介したチャネルアクセスを有することを示すように構成され、前記第３の波形が、前記ＵＥへのデータ送信のために前記基地局に情報を与えるように構成される、
を備える、ワイヤレス通信のための方法。
［Ｃ２２］
第２の波形スロットのセットのうちの１つを識別することと、
前記識別された第２の波形スロット中に前記第２の波形を送信することと
をさらに備える、Ｃ２１に記載の方法。
［Ｃ２３］
前記識別することが、同じ事業者展開中の別のＵＥによって識別される第２の波形スロットに対して前記第２の波形スロットをジグザグに配置するために、前記第２の波形スロットを識別することを備える、Ｃ２２に記載の方法。
［Ｃ２４］
前記第１の波形が、第１の構成要素と第２の構成要素とを備える、前記第１の構成要素が、ＷｉＦｉネットワークにワイヤレスに接続することが可能なデバイスによって可読であるように構成され、前記第２の構成要素が、セルラーデバイスによって可読であるように構成される、Ｃ２１に記載の方法。
［Ｃ２５］
前記第３の波形を送信することが、チャネル推定とチャネル同期との一方または両方のための基準シンボルを送信することを備える、Ｃ２１に記載の方法。
［Ｃ２６］
ワイヤレス通信のためのユーザ機器（ＵＥ）であって、
第１の波形を受信するための手段と、
前記第１の波形に応答して、前記ＵＥのための無認可スペクトルの利用可能性を決定するためにクリアチャネルアセスメント（ＣＣＡ）を実行するための手段と、
前記無認可スペクトルが利用可能であるという決定が行われたとき、前記無認可スペクトルを介して第２の波形と第３の波形とを送信するための手段と、前記第２の波形は、近くのＷｉＦｉデバイスに、基地局が前記無認可スペクトルを介したチャネルアクセスを有することを示すように構成され、前記第３の波形が、前記ＵＥへのデータ送信のために前記基地局に情報を与えるように構成される、
を備える、ワイヤレス通信のためのユーザ機器（ＵＥ）。
［Ｃ２７］
第２の波形スロットのセットのうちの１つを識別するための手段と、
前記識別された第２の波形スロット中に前記第２の波形を送信するための手段と
をさらに備える、Ｃ２６に記載のＵＥ。
［Ｃ２８］
第２の波形スロットのセットのうちの１つを識別するための前記手段が、同じ事業者展開中の別のＵＥによって識別される第２の波形スロットに対して前記第２の波形スロットをジグザグに配置するために、前記第２の波形スロットを識別するように構成される、Ｃ２７に記載のＵＥ。
［Ｃ２９］
前記第１の波形が、第１の構成要素と第２の構成要素とを備える、前記第１の構成要素が、ＷｉＦｉネットワークにワイヤレスに接続することが可能なデバイスによって可読であるように構成され、前記第２の構成要素が、セルラーデバイスによって可読であるように構成される、Ｃ２６に記載のＵＥ。
［Ｃ３０］
前記第３の波形を送信するための手段が、チャネル推定とチャネル同期との一方または両方のための基準シンボルを送信するように構成される、Ｃ２６に記載のＵＥ。
【図１】
2019024235.tif 000003
【図２】
2019024235.tif 000004
【図３】
2019024235.tif 000005
【図４】
2019024235.tif 000006
【図５】
2019024235.tif 000007
【図６Ａ】
2019024235.tif 000008
【図６Ｂ】
2019024235.tif 000009
【図７Ａ】
2019024235.tif 000010
【図７Ｂ】
2019024235.tif 000011
【図７Ｃ】
2019024235.tif 000012
【図８Ａ】
2019024235.tif 000013
【図８Ｂ】
2019024235.tif 000014
【図９Ａ】
2019024235.tif 000015
【図９Ｂ】
2019024235.tif 000016
【図１０】
2019024235.tif 000017
【図１１Ａ】
2019024235.tif 000018
【図１１Ｂ】
2019024235.tif 000019
【図１２Ａ】
2019024235.tif 000020
【図１２Ｂ】
2019024235.tif 000021
【図１３】
2019024235.tif 000022
【図１４】
2019024235.tif 000023
【図１５】
2019024235.tif 000024
【図１６】
2019024235.tif 000025
【図１７】
2019024235.tif 000026
【図１８】
2019024235.tif 000027
【図１９】
2019024235.tif 000028
【図２０】
2019024235.tif 000029
【図２１】
2019024235.tif 000030
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
共有スペクトルの利用可能性を決定するために第１の無線アクセス技術（ＲＡＴ）に関連する基地局においてクリアチャネルアセスメント（ＣＣＡ）を実行することと、
前記共有スペクトルが利用可能であるという決定が行われるとき、前記共有スペクトルを介して、前記第１のＲＡＴに関連するユーザ機器（ＵＥ）に第１の波形を送信することと、前記第１の波形が、前記第１のＲＡＴとは異なる第２のＲＡＴに関連する第１のデバイスによって可読であるように構成された第１の構成要素と、前記第１のＲＡＴに関連する第２のデバイスによって可読であるように構成された第２の構成要素とを備える、
前記ＵＥのうちの１つまたは複数から第２の波形を受信することと、前記第２の波形が、前記共有スペクトルを介して受信され、前記基地局からデータを受信するために前記それぞれのＵＥが前記共有スペクトルを介したチャネルアクセスを有することを示すように構成される、
を備える、ワイヤレス通信のための方法。
【請求項２】
前記共有スペクトルを介して前記ＵＥのうちの前記１つまたは複数にデータを送信することをさらに備える、請求項１に記載の方法。
【請求項３】
前記共有スペクトルを介して前記ＵＥのうちの前記１つまたは複数に同期波形またはトレーニング波形を送信することをさらに備える、請求項２に記載の方法。
【請求項４】
前記第１のＲＡＴは、セルラーＲＡＴを含む、請求項１に記載の方法。
【請求項５】
前記第２のＲＡＴが、ワイヤレスローカルエリアネットワーク（ＷＬＡＮ）を含む、請求項１に記載の方法。
【請求項６】
前記第１の構成要素が、物理レイヤ収束プロシージャ（ＰＬＣＰ）ヘッダとＷｉＦｉ可読データフィールドとを備える、請求項５に記載の方法。
【請求項７】
同じ第１の構成要素が、前記共有スペクトルで動作する基地局のセットによって使用される、請求項１に記載の方法。
【請求項８】
前記セットは、同じタイプまたは同じ展開の基地局を含む、請求項７に記載の方法。
【請求項９】
異なる第２の構成要素が、事業者展開中の基地局のセットによって使用される、請求項１に記載の方法。
【請求項１０】
前記第１の波形は、前記基地局が前記共有スペクトルを介したチャネルアクセスを有する第１の時間期間と第２の時間期間とを示すように構成される、請求項１に記載の方法。
【請求項１１】
ＣＣＡを実行することが、サブフレーム中に前記ＣＣＡを実行することを備え、
前記第１の時間期間は、前記基地局が、前記サブフレームの終了まで、または次のサブフレーム中のある時間まで、前記共有スペクトルを介したチャネルアクセスを有することを示し、
前記第２の時間期間は、前記基地局が、前記サブフレームの後、または次のサブフレーム中のある時間の後の指定された時間期間の間、前記共有スペクトルを介したチャネルアクセスを有することを示す、
請求項１０に記載の方法。
【請求項１２】
ワイヤレス通信のための基地局であって、
プロセッサと、
前記プロセッサと電子通信しているメモリと、
前記メモリに記憶された命令と
を備え、前記命令は、
共有スペクトルの利用可能性を決定するために第１の無線アクセス技術（ＲＡＴ）に関連する前記基地局においてクリアチャネルアセスメント（ＣＣＡ）を実行することと、
前記共有スペクトルが利用可能であるという決定が行われるとき、前記共有スペクトルを介して、前記第１のＲＡＴに関連するユーザ機器（ＵＥ）に第１の波形を前記基地局によって送信することと、前記第１の波形が、前記第１のＲＡＴとは異なる第２のＲＡＴに関連する第１のデバイスによって可読であるように構成された第１の構成要素と、前記第１のＲＡＴに関連する第２のデバイスによって可読であるように構成された第２の構成要素とを備える、
前記第１の波形に応答して、前記ＵＥのうちの１つまたは複数から第２の波形を受信することと、前記第２の波形が、前記共有スペクトルを介して受信され、前記基地局からデータを受信するために前記それぞれのＵＥが前記共有スペクトルを介したチャネルアクセスを有することを示すように構成される、
を行うために前記プロセッサによって実行可能である、基地局。
【請求項１３】
前記命令は、前記共有スペクトルを介してＵＥの前記セットのうちの前記１つまたは複数にデータを送信するために前記プロセッサによって実行可能である、請求項１２に記載の基地局。
【請求項１４】
前記命令は、前記共有スペクトルを介して前記ＵＥのうちの前記１つまたは複数に同期波形またはトレーニング波形を送信するために前記プロセッサによって実行可能である、請求項１３に記載の基地局。
【請求項１５】
前記第１のＲＡＴは、セルラーＲＡＴを含む、請求項１２に記載の基地局。
【請求項１６】
前記第２のＲＡＴが、ワイヤレスローカルエリアネットワーク（ＷＬＡＮ）を含む、請求項１２に記載の基地局。
【請求項１７】
前記第１の構成要素が、物理レイヤ収束プロシージャ（ＰＬＣＰ）ヘッダとＷｉＦｉ可読データフィールドとを備える、請求項１６に記載の基地局。
【請求項１８】
同じ第１の構成要素が、前記共有スペクトルで動作する基地局のセットによって使用される、請求項１２に記載の基地局。
【請求項１９】
前記セットは、同じタイプまたは同じ展開の基地局を含む、請求項１８に記載の基地局。
【請求項２０】
異なる第２の構成要素が、事業者展開中の基地局のセットによって使用される、請求項１２に記載の基地局。
【請求項２１】
前記第１の波形は、前記基地局が前記共有スペクトルを介したチャネルアクセスを有する第１の時間期間と第２の時間期間とを示すように構成される、請求項１２に記載の基地局。
【請求項２２】
ＣＣＡを実行するために前記プロセッサによって実行可能な前記命令が、サブフレーム中に前記ＣＣＡを実行するために前記プロセッサによって実行可能な命令を備え、
前記第１の時間期間は、前記基地局が、前記サブフレームの終了まで、または次のサブフレーム中のある時間まで、前記共有スペクトルを介したチャネルアクセスを有することを示し、
前記第２の時間期間は、前記基地局が、前記サブフレームの後、または次のサブフレーム中のある時間の後の指定された時間期間の間、前記共有スペクトルを介したチャネルアクセスを有することを示す、
請求項２１に記載の基地局。
【請求項２３】
ワイヤレス通信のための方法であって、
共有スペクトルを介して、第１の波形を、第１の無線アクセス技術（ＲＡＴ）に関連するユーザ機器（ＵＥ）において受信することと、前記第１の波形が、前記第１のＲＡＴとは異なる第２のＲＡＴに関連する第１のデバイスによって可読であるように構成された第１の構成要素と、前記第１のＲＡＴに関連する第２のデバイスによって可読であるように構成された第２の構成要素とを備える、
前記第１の波形に応答して、前記ＵＥのための前記共有スペクトルの利用可能性を決定するためにクリアチャネルアセスメント（ＣＣＡ）を実行することと、
を備える、ワイヤレス通信のための方法。
【請求項２４】
前記共有スペクトルが利用可能であるという決定が行われるとき、前記共有スペクトルを介して第２の波形を送信することをさらに備え、前記第２の波形は、基地局が前記共有スペクトルを介したチャネルアクセスを有することを示すように構成される、請求項２３に記載の方法。
【請求項２５】
第２の波形スロットのセットのうちの１つを識別することと、
前記識別された第２の波形スロット中に前記第２の波形を送信することと
をさらに備える、請求項２４に記載の方法。
【請求項２６】
前記識別することが、同じ事業者展開中の別のＵＥによって識別される第２の波形スロットに対して前記第２の波形スロットをジグザグに配置するために、前記第２の波形スロットを識別することを備える、請求項２５に記載の方法。
【請求項２７】
前記共有スペクトルを介して第３の波形を送信することをさらに備え、前記第３の波形が、前記ＵＥへのデータ送信のために前記基地局に情報を与えるように構成される、請求項２４に記載の方法。
【請求項２８】
前記第１のＲＡＴは、セルラーＲＡＴを含む、請求項２３に記載の方法。
【請求項２９】
前記第２のＲＡＴが、ワイヤレスローカルエリアネットワーク（ＷＬＡＮ）を含む、請求項２３に記載の方法。
【請求項３０】
ワイヤレス通信のためのユーザ機器（ＵＥ）であって、
プロセッサと、
前記プロセッサと電子通信しているメモリと、
前記メモリに記憶された命令と
を備え、前記命令は、
共有スペクトルを介して、第１の波形を、第１の無線アクセス技術（ＲＡＴ）に関連するＵＥにおいて受信することと、前記第１の波形が、前記第１のＲＡＴとは異なる第２のＲＡＴに関連する第１のデバイスによって可読であるように構成された第１の構成要素と、前記第１のＲＡＴに関連する第２のデバイスによって可読であるように構成された第２の構成要素とを備える、
前記第１の波形に応答して、前記ＵＥのための前記共有スペクトルの利用可能性を決定するためにクリアチャネルアセスメント（ＣＣＡ）を実行することと、
を行うために前記プロセッサによって実行可能である、ＵＥ。
【請求項３１】
前記命令は、前記共有スペクトルが利用可能であるという決定が行われるとき、前記共有スペクトルを介して第２の波形を送信するために前記プロセッサによって実行可能であり、前記第２の波形は、基地局が前記共有スペクトルを介したチャネルアクセスを有することを示すように構成される、請求項３０に記載のＵＥ。
【請求項３２】
前記命令は、
第２の波形スロットのセットのうちの１つを識別することと、
前記識別された第２の波形スロット中に前記第２の波形を送信することと
を行うために前記プロセッサによって実行可能である、請求項３１に記載のＵＥ。
【請求項３３】
前記命令が、同じ事業者展開中の別のＵＥによって識別される第２の波形スロットに対して前記第２の波形スロットをジグザグに配置するために、前記第２の波形スロットを識別するために前記プロセッサによって実行可能である、請求項３２に記載のＵＥ。
【請求項３４】
前記命令は、前記共有スペクトルを介して第３の波形を送信するために前記プロセッサによって実行可能であり、前記第３の波形が、前記ＵＥへのデータ送信のために前記基地局に情報を与えるように構成される、請求項３１に記載のＵＥ。
【請求項３５】
前記第１のＲＡＴは、セルラーＲＡＴを含む、請求項３０に記載のＵＥ。
【請求項３６】
前記第２のＲＡＴが、ワイヤレスローカルエリアネットワーク（ＷＬＡＮ）を含む、請求項３０に記載のＵＥ。